(57)【要約】【課題】プレビュー画像を表示するまでの時間を短縮し、作業効率を向上させること。【解決手段】スキャンした原稿の画像データを生成するスキャナ部１２０と、利用者による操作入力及び利用者に対して画像を表示出力する操作表示部１３０と、スキャナ部１２０と画像データに対する画像処理を行う本体部１１０とを接続する第１の画像転送ライン１５１と、スキャナ部１２０と操作表示部１３０とを、本体部１１０を介さずに直接接続するプレビュー画像転送ライン１５０とを備え、スキャナ部１２０は、画像データを第１の画像転送ライン１５１を介して本体部１１０に転送するとともに、画像データをプレビュー画像転送ライン１５０を介して操作表示部１３０に転送し、操作表示部１３０は、スキャナ部１２０から受信した画像データをスキャンした原稿のプレビュー画像としてＬＣＤ１３３に表示出力する。【選択図】    図１
2006345496.tif 000002
【特許請求の範囲】
【請求項１】
原稿をスキャンして、スキャンした原稿の画像データを生成するスキャナ手段と、
利用者による操作入力および利用者に対して画像を表示出力する表示部（ＬＣＤ）を備えた操作表示手段と、
前記画像データに対する画像処理を行う本体部と、
前記スキャナ手段と前記本体部とを接続する第１の画像転送手段と、
前記スキャナ手段と前記操作表示手段とを、前記本体部を介さずに直接接続するプレビュー画像転送手段と、を備え、
前記スキャナ手段は、前記画像データを前記第１の画像転送手段を介して前記本体部に転送するとともに、前記画像データを前記プレビュー画像転送手段を介して前記操作表示手段に転送し、
前記操作表示手段は、前記スキャナ手段から受信した前記画像データを前記スキャンした原稿のプレビュー画像として前記表示部に表示出力すること、
を特徴とする画像形成装置。
【請求項２】
前記プレビュー画像転送手段は、前記第１の画像転送手段から分岐して前記操作表示手段と接続されていること、
を特徴とする請求項１に記載の画像形成装置。
【請求項３】
前記スキャナ手段の内部に設けられ、前記画像データの生成及び送受信の制御を行う読取制御手段を備え、
前記読取制御手段は、前記画像データから前記プレビュー画像を生成するデータ処理手段を有し、前記データ処理手段によって生成されたプレビュー画像を、前記プレビュー画像転送手段を介して前記操作表示手段に転送すること、
を特徴とする請求項１に記載の画像形成装置。
【請求項４】
前記操作表示手段の内部に設けられ、前記画像データの受信及び表示出力の制御を行う表示制御手段を備え、
前記表示制御手段は、前記スキャナ手段から前記プレビュー画像転送手段を介して受信した前記画像データから前記プレビュー画像を生成するデータ処理手段を有し、前記データ処理手段によって生成されたプレビュー画像を前記表示部に表示出力すること、
を特徴とする請求項１または２に記載の画像形成装置。
【請求項５】
前記操作表示手段は、利用者から前記本体部で画像処理された前記画像データをプレビュー画像として表示出力する詳細表示の要求を受け付け、
前記操作表示手段と前記本体部を接続して、前記本体部から前記操作表示手段に、前記画像処理された前記画像データを転送する第２の画像転送手段とを備え、
前記本体部は、前記操作表示手段によって前記詳細表示の要求を受け付けた場合、前記画像処理された前記画像データを、前記第２の画像転送手段を介して前記操作表示手段に転送し、
前記操作表示手段は、前記本体部から受信した前記画像処理された前記画像データを前記表示部に表示出力すること、
を特徴とする請求項１〜４のいずれか一つに記載の画像形成装置。
【請求項６】
前記操作表示手段は、前記スキャナ手段でスキャンした前記画像データをプレビュー画像として表示出力するプレビュー画像表示の要求を受け付け、
前記スキャナ手段は、前記操作表示手段によって前記プレビュー画像表示の要求を受け付けた場合、スキャンした前記画像データを前記プレビュー画像転送手段を介して前記操作表示手段に転送し、
前記操作表示手段は、前記スキャナ手段から受信したスキャンした前記画像データを前記表示部に表示出力すること、
を特徴とする請求項１〜５のいずれか一つに記載の画像形成装置。
【請求項７】
前記画像データを画像出力する画像出力手段をさらに備え、
前記操作表示手段は、さらに、利用者から前記本体部で画像処理された前記画像データの画像出力動作を開始する画像出力動作開始の要求を受け付け、
前記本体部は、前記操作表示手段によって前記画像出力動作開始の要求を受け付けた場合、前記画像処理された前記画像データを前記画像出力手段に転送し、
前記画像出力手段は、前記操作表示手段によって前記画像出力動作開始の要求を受け付けた場合、前記本体部から受信した前記画像処理された前記画像データの画像出力動作を開始すること、
を特徴とする請求項１〜６のいずれか一つに記載の画像形成装置。
【請求項８】
前記操作表示手段は、さらに、前記画像処理された前記画像データの画像出力動作を停止する画像出力動作停止の要求を受け付け、
前記本体部は、前記操作表示手段によって前記画像出力動作停止の要求を受け付けた場合、前記画像処理された前記画像データを削除し、
前記画像出力手段は、前記操作表示手段によって前記画像出力動作停止の要求を受け付けた場合、前記画像処理された前記画像データの画像出力動作を停止すること、
を特徴とする請求項７に記載の画像形成装置。
【請求項９】
前記操作表示手段は、画像出力動作を開始する画像出力動作開始設定、または画像出力動作を停止する画像出力動作停止設定を受け付け、
前記本体部は、さらに、前記画像出力動作開始設定を受け付けた場合に所定時間が経過した場合、前記画像処理された前記画像データを前記画像出力手段に転送し、前記画像出力動作停止設定を受け付けた場合に前記所定時間が経過した場合、前記画像処理された前記画像データを削除し、
前記画像出力手段は、さらに、前記画像出力動作開始設定を受け付けた場合に前記所定時間が経過した場合、前記本体部から受信した前記画像処理された前記画像データの画像出力動作を開始し、前記画像出力動作停止設定を受け付けた場合に前記所定時間が経過した場合、前記画像処理された前記画像データの画像出力動作を停止すること、
を特徴とする請求項８に記載の画像形成装置。
【請求項１０】
前記画像出力手段は、前記画像データを印刷するプリンタ部を含むこと、
を特徴とする請求項７〜９のいずれか一つに記載の画像形成装置。
【請求項１１】
前記画像出力手段は、前記画像データをファクシミリ送信するファクシミリ部を含むこと、
を特徴とする請求項７〜９のいずれか一つに記載の画像形成装置。
【請求項１２】
原稿をスキャンするスキャナ手段と画像データに対する画像処理を行う本体部とを接続する第１の画像転送手段を介して、前記スキャナ手段によってスキャンした原稿の画像データを前記本体部に転送するとともに、前記画像データを前記スキャナ手段と画像を表示する操作表示手段とを直接接続するプレビュー画像転送手段を介して前記操作表示手段に転送する転送ステップと、
前記スキャナ手段から受信した前記画像データをスキャンした原稿のプレビュー画像として表示部に表示出力する表示ステップと、
を含むことを特徴とするプレビュー画像表示方法。
【発明の詳細な説明】
【技術分野】
【０００１】
本発明は、原稿をスキャンして、スキャンした原稿の画像データを生成し、画像出力する画像形成装置に関するものであり、特に、スキャンした画像データをプレビュー画像として表示出力する画像形成装置及びプレビュー画像表示方法に関する。
【背景技術】
【０００２】
従来、利用者により載置された原稿をスキャンして、スキャンした原稿の画像データを出力する過程において、利用者の要求に応じて原稿の画像データを印刷前にプレビュー画像として操作表示部に表示する複写機などの画像形成装置が一般に知られている。
【０００３】
また、プリンタにおいて複数頁のプレビュー画像を平行して生成することにより、プレビュー処理を高速化する技術が開示されている（例えば、特許文献１参照）。また、スキャナ装置で解像度あるいは階調数の異なる複数の画像データを生成して、低解像度あるいは低階調の画像データに基づきプレビュー表示処理を高速に行う技術も開示されている（例えば、特許文献２参照）。
【０００４】
【特許文献１】特開平１１−２０３０９９号公報
【特許文献２】特開平１１−２８９４１６号公報
【発明の開示】
【発明が解決しようとする課題】
【０００５】
しかし、従来の画像形成装置でプレビュー画像を表示する場合は、スキャナ部によりスキャンした原稿の画像データを画像処理等を行う本体部に送信し、本体部で受信した画像データからプレビュー画像を生成し、生成されたプレビュー画像を操作表示部に送信して表示していた。この場合、スキャナ部によってスキャンした画像データはＲＧＢ形式のデータであるが、画像データを印刷するために最終的に生成される画像データは、書き込み用のフォーマットであるＣＭＹＫ形式のデータや一般的な画像フォーマットであるＪＰＥＧ形式のデータなどである。
【０００６】
このため、本体部では、スキャナ部によりスキャンしたＲＧＢ形式の画像データをＣＭＹＫ形式のデータやＪＰＥＧ形式のデータに変換する。そして、利用者によりプレビュー画像を要求された場合は、プレビュー画像として表示するためのフォーマットであるＲＧＢ形式のデータに戻すために、画像データを再生成することになる。よって、データ形式変換した後に元のデータ形式に戻してプレビュー画面を表示することになるため、利用者がプレビュー画像を要求してから表示されるまでに時間が掛かり、作業効率を低下させるという問題があった。
【０００７】
また、上記特許文献１の技術では、プレビュー画像を表示する表示装置部（操作表示部）がプリンタに設けられておらず、ネットワーク上のホストＰＣ（Personal Computer）でプレビュー画像を表示する。即ち、プリンタ本体で行われる画像処理の中でプレビュー画像が生成され、ネットワークを介してホストＰＣに送信されて、表示装置部に表示されることになるため、利用者がプレビュー画像を要求してから表示されるまでに時間が掛かり、作業効率を低下させるという問題があった。
【０００８】
また、上記特許文献２の技術でも、プレビュー画像を表示する表示部（操作表示部）が設けられておらず、ネットワーク上のコンピュータでプレビュー画像を表示する。即ち、上記特許文献１の技術と同様に、プレビュー画像はネットワークを介してコンピュータで表示されることになるため、利用者がプレビュー画像を要求してから表示されるまでに時間が掛かり、作業効率を低下させるという問題があった。
【０００９】
本発明は、上記に鑑みてなされたものであって、原稿をスキャンしてからプレビュー画像が表示されるまでの時間を短縮でき、利用者を長時間待たせることがなく操作性を向上させ作業効率を向上させる画像形成装置及びプレビュー画像表示方法を得ることを目的とする。
【課題を解決するための手段】
【００１０】
上述した課題を解決し、目的を達成するために、請求項１にかかる発明は、原稿をスキャンして、スキャンした原稿の画像データを生成するスキャナ手段と、利用者による操作入力および利用者に対して画像を表示出力する表示部（ＬＣＤ）を備えた操作表示手段と、前記画像データに対する画像処理を行う本体部と、前記スキャナ手段と前記本体部とを接続する第１の画像転送手段と、前記スキャナ手段と前記操作表示手段とを、前記本体部を介さずに直接接続するプレビュー画像転送手段と、を備え、前記スキャナ手段は、前記画像データを前記第１の画像転送手段を介して前記本体部に転送するとともに、前記画像データを前記プレビュー画像転送手段を介して前記操作表示手段に転送し、前記操作表示手段は、前記スキャナ手段から受信した前記画像データを前記スキャンした原稿のプレビュー画像として前記表示部に表示出力すること、を特徴とする画像形成装置である。
【００１１】
また、請求項２にかかる発明は、請求項１に記載の画像形成装置において、前記プレビュー画像転送手段は、前記第１の画像転送手段から分岐して前記操作表示手段と接続されていること、を特徴とする。
【００１２】
また、請求項３にかかる発明は、請求項１に記載の画像形成装置において、前記スキャナ手段の内部に設けられ、前記画像データの生成及び送受信の制御を行う読取制御手段を備え、前記読取制御手段は、前記画像データから前記プレビュー画像を生成するデータ処理手段を有し、前記データ処理手段によって生成されたプレビュー画像を、前記プレビュー画像転送手段を介して前記操作表示手段に転送すること、を特徴とする。
【００１３】
また、請求項４にかかる発明は、請求項１または２に記載の画像形成装置において、前記操作表示手段の内部に設けられ、前記画像データの受信及び表示出力の制御を行う表示制御手段を備え、前記表示制御手段は、前記スキャナ手段から前記プレビュー画像転送手段を介して受信した前記画像データから前記プレビュー画像を生成するデータ処理手段を有し、前記データ処理手段によって生成されたプレビュー画像を前記表示部に表示出力すること、を特徴とする。
【００１４】
また、請求項５にかかる発明は、請求項１〜４のいずれか一つに記載の画像形成装置において、前記操作表示手段は、利用者から前記本体部で画像処理された前記画像データをプレビュー画像として表示出力する詳細表示の要求を受け付け、前記操作表示手段と前記本体部を接続して、前記本体部から前記操作表示手段に、前記画像処理された前記画像データを転送する第２の画像転送手段とを備え、前記本体部は、前記操作表示手段によって前記詳細表示の要求を受け付けた場合、前記画像処理された前記画像データを、前記第２の画像転送手段を介して前記操作表示手段に転送し、前記操作表示手段は、前記本体部から受信した前記画像処理された前記画像データを前記表示部に表示出力すること、を特徴とする。
【００１５】
また、請求項６にかかる発明は、請求項１〜５のいずれか一つに記載の画像形成装置において、前記操作表示手段は、前記スキャナ手段でスキャンした前記画像データをプレビュー画像として表示出力するプレビュー画像表示の要求を受け付け、前記スキャナ手段は、前記操作表示手段によって前記プレビュー画像表示の要求を受け付けた場合、スキャンした前記画像データを前記プレビュー画像転送手段を介して前記操作表示手段に転送し、前記操作表示手段は、前記スキャナ手段から受信したスキャンした前記画像データを前記表示部に表示出力すること、を特徴とする。
【００１６】
また、請求項７にかかる発明は、請求項１〜６のいずれか一つに記載の画像形成装置において、前記画像データを画像出力する画像出力手段をさらに備え、前記操作表示手段は、さらに、利用者から前記本体部で画像処理された前記画像データの画像出力動作を開始する画像出力動作開始の要求を受け付け、前記本体部は、前記操作表示手段によって前記画像出力動作開始の要求を受け付けた場合、前記画像処理された前記画像データを前記画像出力手段に転送し、前記画像出力手段は、前記操作表示手段によって前記画像出力動作開始の要求を受け付けた場合、前記本体部から受信した前記画像処理された前記画像データの画像出力動作を開始すること、を特徴とする。
【００１７】
また、請求項８にかかる発明は、請求項７に記載の画像形成装置において、前記操作表示手段は、さらに、前記画像処理された前記画像データの画像出力動作を停止する画像出力動作停止の要求を受け付け、前記本体部は、前記操作表示手段によって前記画像出力動作停止の要求を受け付けた場合、前記画像処理された前記画像データを削除し、前記画像出力手段は、前記操作表示手段によって前記画像出力動作停止の要求を受け付けた場合、前記画像処理された前記画像データの画像出力動作を停止すること、を特徴とする。
【００１８】
また、請求項９にかかる発明は、請求項８に記載の画像形成装置において、前記操作表示手段は、画像出力動作を開始する画像出力動作開始設定、または画像出力動作を停止する画像出力動作停止設定を受け付け、前記本体部は、さらに、前記画像出力動作開始設定を受け付けた場合に所定時間が経過した場合、前記画像処理された前記画像データを前記画像出力手段に転送し、前記画像出力動作停止設定を受け付けた場合に前記所定時間が経過した場合、前記画像処理された前記画像データを削除し、前記画像出力手段は、さらに、前記画像出力動作開始設定を受け付けた場合に前記所定時間が経過した場合、前記本体部から受信した前記画像処理された前記画像データの画像出力動作を開始し、前記画像出力動作停止設定を受け付けた場合に前記所定時間が経過した場合、前記画像処理された前記画像データの画像出力動作を停止すること、を特徴とする。
【００１９】
また、請求項１０にかかる発明は、請求項７〜９のいずれか一つに記載の画像形成装置において、前記画像出力手段は、前記画像データを印刷するプリンタ部を含むこと、を特徴とする。
【００２０】
また、請求項１１にかかる発明は、請求項７〜９のいずれか一つに記載の画像形成装置において、前記画像出力手段は、前記画像データをファクシミリ送信するファクシミリ部を含むこと、を特徴とする。
【００２１】
また、請求項１２にかかる発明は、原稿をスキャンするスキャナ手段と画像データに対する画像処理を行う本体部とを接続する第１の画像転送手段を介して、前記スキャナ手段によってスキャンした原稿の画像データを前記本体部に転送するとともに、前記画像データを前記スキャナ手段と画像を表示する操作表示手段とを直接接続するプレビュー画像転送手段を介して前記操作表示手段に転送する転送ステップと、前記スキャナ手段から受信した前記画像データをスキャンした原稿のプレビュー画像として表示部に表示出力する表示ステップと、を含むことを特徴とするプレビュー画像表示方法である。
【発明の効果】
【００２２】
請求項１にかかる発明によれば、スキャナ手段によって、スキャンした原稿の画像データを、第１の画像転送手段を介して画像データに対する画像処理を行う本体部に転送するとともに、スキャンした原稿の画像データを、プレビュー画像転送手段を介して操作表示手段に転送し、操作表示手段によって、スキャナ手段から受信した画像データをスキャンした原稿のプレビュー画像として表示部に表示出力する。
【００２３】
このため、スキャナ手段により読み取った画像データを本体部に転送し、本体部において画像データの処理をした後、その画像データを操作表示手段に転送してプレビュー画像を表示する画像形成装置に比べ、プレビュー画像の表示と画像出力用の画像データの処理を同時に行うことができる。従って、スキャナ手段により原稿を読み取ってから、プレビュー画像として操作表示手段により表示されるまでの時間を短縮することができ、利用者を長時間待たせることがなく操作性を向上させ作業効率を向上させるという効果を奏する。
【００２４】
また、スキャナ手段で読み取ったデータを操作表示手段に直接転送するため、読取データと表示データが同一データであることを活用できる。即ち、スキャナ手段によってスキャンした画像データを再生成する必要がなく、ＲＧＢ形式のデータのまま操作表示手段に転送し、プレビュー画像として表示できる。従って、プレビュー画像の生成のためにデータフォーマットのＲＧＢ形式のデータからＣＭＹＫ形式やＪＰＥＧ形式のデータへの変換や、ＣＭＹＫ形式やＪＰＥＧ形式のデータからＲＧＢ形式のデータへの再変換などの複雑な制御を行う必要がなく、簡易な制御でプレビュー画像表示機能を実現でき、プレビュー画像の表示までの時間を短縮することができるという効果を奏する。
【００２５】
また、請求項２にかかる発明によれば、プレビュー画像転送手段は、第１の画像転送手段から分岐して操作表示手段に接続されている。従って、スキャナ手段から本体部及び操作表示手段へ同一の画像データが転送されるため、スキャナ手段の構成は画像データ送信機能以外、既存のシステムをそのまま流用することができ、利用者の無駄な出費を防止することができるという効果を奏する。
【００２６】
また、請求項３にかかる発明によれば、スキャナ手段の内部に設けられた読取制御手段によって、画像データの生成及び送受信の制御を行う。さらに、読取制御手段は、画像データからプレビュー画像を生成するデータ処理手段を有し、データ処理手段によって生成されたプレビュー画像を、プレビュー画像転送手段を介して操作表示手段に転送する。
【００２７】
このため、スキャナ手段内部にあるデータ処理手段によって、本体部転送用の画像データ及び操作表示手段用のプレビュー画像としての画像データをそれぞれ別個に生成する。よって、本体部に送信する画像データより、操作表示手段に転送するプレビュー画像としての画像データの方が、少量のデータ量ですむことを考慮すると、プレビュー画像用に個別に画像データを生成することで、操作表示手段へ適切なデータ量のみを転送することができることになる。従って、必要以上に多量な画像データを転送することによる転送時間の遅延、転送時の画像データの破壊のリスク、操作表示手段におけるデータ処理時間の遅延等の問題を解消することができるとともに、スキャナ手段により原稿を読み取ってから、プレビュー画像として操作表示手段により表示されるまでの時間を短縮することができるという効果を奏する。
【００２８】
また、本体部によって印刷用に処理される画像データよりも単純間引きにより解像度、分解能等を下げてプレビュー画像を生成することによって、複雑な制御等を付加することが不要となり、スキャナ手段により原稿を読み取ってから、プレビュー画像として操作表示手段により表示されるまでの時間を短縮することができ、作業効率を向上させるという効果を奏する。
【００２９】
また、請求項４にかかる発明によれば、操作表示手段の内部に設けられた表示制御手段によって、画像データの受信及び表示出力の制御を行う。さらに、表示制御手段は、スキャナ手段からプレビュー画像転送手段を介して受信した画像データからプレビュー画像を生成するデータ処理手段を有し、データ処理手段によって生成されたプレビュー画像を表示部に表示出力する。このため、データ処理手段による処理によって、表示部に応じた適切な画像サイズ及び分解能でのプレビュー画像表示が可能となる。また、データの生成量を任意に設定できる構成とすれば、プレビュー画像の拡大、縮小等の機能も簡易に付加することができ、作業効率を向上させるという効果を奏する。
【００３０】
また、請求項５にかかる発明によれば、操作表示手段によって、利用者から本体部で画像処理された画像データをプレビュー画像として表示出力する詳細表示の要求を受け付け、本体部によって、操作表示手段により詳細表示の要求を受け付けた場合、画像処理された画像データを、操作表示手段と本体部を接続する第２の画像転送手段を介して操作表示手段に転送し、操作表示手段によって、本体部から受信した画像処理された画像データを前記表示部に表示出力する。
【００３１】
このため、利用者によるプレビュー画像の詳細表示の要求がなされた場合に、本体部により画像処理がなされた画像データを詳細画像として表示することが可能となる。また、本体部によって画像処理がなされた画像出力用の画像データや、本体部に保存されている画像データを操作表示手段に表示することも可能となり、従来の画像形成装置の機能を劣化させることがない。従って、高レベルでの画像確認が可能となり、機能性を向上させることができつつ、スキャナ手段により原稿を読み取ってから、プレビュー画像として操作表示手段により表示されるまでの時間を短縮することができ、利用者を長時間待たせることがなく、利便性を向上させ作業効率を向上させることができる。また、プレビュー画像の詳細表示の要求があった場合のみ、画像処理がなされた画像出力用の画像データを表示するため、システムの安定性を増加することができるという効果を奏する。
【００３２】
また、請求項６にかかる発明によれば、操作表示手段によって、スキャナ手段でスキャンした画像データをプレビュー画像として表示出力するプレビュー画像表示の要求を受け付け、スキャナ手段によって、操作表示手段によりプレビュー画像表示の要求を受け付けた場合、スキャンした画像データをプレビュー画像転送手段を介して操作表示手段に転送し、操作表示手段によって、スキャナ手段から受信したスキャンした画像データを表示部に表示出力する。従って、プレビュー画像表示の要求があった場合のみ、プレビュー画像を表示するため、プレビュー画像表示の要求を行わなければ、プレビュー画像表示機能を有さない装置と同様の処理能力で画像出力を行うことが可能であるため、プレビュー画像表示機能の付加による機能劣化を防止することができ、機能性を向上させ作業効率を向上させるという効果を奏する。
【００３３】
また、請求項７にかかる発明によれば、操作表示手段によって、利用者から本体部で画像処理された画像データの画像出力動作を開始する画像出力動作開始の要求を受け付け、本体部によって、操作表示手段により画像出力動作開始の要求を受け付けた場合、画像処理された画像データを画像出力手段に転送し、画像出力手段によって、操作表示手段により画像出力動作開始の要求を受け付けた場合、本体部から受信した画像処理された画像データの画像出力動作を開始する。従って、プレビュー画像が表示されて確認した後に画像出力動作開始の要求ができ、確実にプレビュー画像の確認後に画像出力動作を開始することができるため、機能性を向上させ作業効率を向上させることができるという効果を奏する。
【００３４】
また、請求項８にかかる発明によれば、操作表示手段によって、画像処理された画像データの画像出力動作を停止する画像出力動作停止の要求を受け付け、本体部によって、操作表示手段により画像出力動作停止の要求を受け付けた場合、画像処理された画像データを削除し、画像出力手段によって、操作表示手段により画像出力動作停止の要求を受け付けた場合、画像処理された画像データの画像出力動作を停止する。従って、プレビュー画像が表示されて確認した後に画像出力動作停止の要求ができ、所望する画像出力の方向とは異なる場合などに、画像処理中や画像出力中であっても処理を中断できるため、機能性を向上させ作業効率を向上させることができるという効果を奏する。
【００３５】
また、請求項９にかかる発明によれば、操作表示手段によって、画像出力動作を開始する画像出力動作開始設定、または画像出力動作を停止する画像出力動作停止設定を受け付け、本体部によって、画像出力動作開始設定を受け付けた場合に所定時間が経過した場合、画像処理された画像データを画像出力手段に転送し、画像出力動作停止設定を受け付けた場合に所定時間が経過した場合、画像処理された画像データを削除し、画像出力手段によって、画像出力動作開始設定を受け付けた場合に所定時間が経過した場合、本体部から受信した画像処理された画像データの画像出力動作を開始し、画像出力動作停止設定を受け付けた場合に所定時間が経過した場合、画像処理された画像データの画像出力動作を停止する。従って、プレビュー画像を表示した後、次動作を要求せずに所定時間が経過した場合でも、画像出力動作の開始もしくは画像出力動作の停止の次動作を行い、装置の動作が途中で放置されることなく最終動作を完了させることができるため、機能性を向上させ作業効率を向上させることができるという効果を奏する。
【００３６】
また、請求項１０にかかる発明によれば、画像出力手段が画像データを印刷するプリンタ部を含む構成となっている。従って、プレビュー画像の表示と印刷用の画像データの処理を同時に行うことができ、スキャナ手段により原稿を読み取ってから、プレビュー画像として操作表示手段により表示されるまでの時間を短縮することができ、利用者を長時間待たせることがなく操作性を向上させ作業効率を向上させるプリンタ部を含む画像形成装置を提供することができるという効果を奏する。
【００３７】
また、請求項１１にかかる発明によれば、画像出力手段が画像データをファクシミリ送信するファクシミリ部を含む構成となっている。従って、プレビュー画像の表示とファクシミリ送信用の画像データの処理を同時に行うことができ、スキャナ手段により原稿を読み取ってから、プレビュー画像として操作表示手段により表示されるまでの時間を短縮することができ、利用者を長時間待たせることがなく操作性を向上させ作業効率を向上させるファクシミリ部を含む画像形成装置を提供することができるという効果を奏する。
【００３８】
また、請求項１２にかかる発明によれば、転送ステップによって、原稿をスキャンするスキャナ手段と画像データに対する画像処理を行う本体部とを接続する第１の画像転送手段を介して、スキャナ手段によってスキャンした原稿の画像データを本体部に転送するとともに、画像データをスキャナ手段と画像を表示する操作表示手段とを直接接続するプレビュー画像転送手段を介して操作表示手段に転送し、表示ステップによって、スキャナ手段から受信した画像データをスキャンした原稿のプレビュー画像として表示部に表示出力する。
【００３９】
このため、スキャナ手段により読み取った画像データを本体部に転送し、本体部において画像データの処理をした後、その画像データを操作表示手段に転送してプレビュー画像を表示する画像形成装置に比べ、プレビュー画像の表示と画像出力用の画像データの処理を同時に行うことができる。従って、スキャナ手段により原稿を読み取ってから、プレビュー画像として操作表示手段により表示されるまでの時間を短縮することができ、利用者を長時間待たせることがなく操作性を向上させ作業効率を向上させるという効果を奏する。
【００４０】
また、スキャナ手段で読み取ったデータを操作表示手段に直接転送するため、読取データと表示データが同一データであることを活用できる。即ち、スキャナ手段によってスキャンした画像データを再生成する必要がなく、ＲＧＢ形式の画像データのまま操作表示手段に転送し、プレビュー画像として表示できる。従って、データフォーマットの生成などの複雑な制御を付加する必要がなく、簡易な制御構成でプレビュー画像表示機能を実現でき、プレビュー画像の表示までの時間を短縮することができるという効果を奏する。
【発明を実施するための最良の形態】
【００４１】
以下に添付図面を参照して、この発明にかかる画像形成装置及びプレビュー画像表示方法の最良な実施の形態を詳細に説明する。以下の実施の形態では、本発明の画像形成装置を複写機に適用した例を示す。但し、複写機に限られず、プリンタ、ファクシミリ等の画像形成処理を行うものであれば、本発明を適用することができる。
【００４２】
（第１の実施の形態）
図１は、本発明の第１の実施の形態にかかる複写機の構成を示すブロック図である。本実施の形態にかかる複写機１００は、原稿をスキャンして、スキャンした原稿の画像データを生成し、印刷するものであり、スキャナ部１２０と、本体部１１０と、操作表示部１３０と、プリンタ部１４０とから構成されている。
【００４３】
また、本体部１１０とスキャナ部１２０は、第１の画像転送ライン１５１により接続されており、本体部１１０と操作表示部１３０は、要求転送ライン１５２により接続されており、さらに、本体部１１０とプリンタ部１４０は、第３の画像転送ライン１５３により接続されている。また、スキャナ部１２０と操作表示部１３０は、プレビュー画像転送ライン１５０により本体部１１０を経由せずに直接接続されている。
【００４４】
スキャナ部１２０は、利用者によって載置された原稿をスキャンして読み取るものであり、ＣＣＤ（Charge Coupled Device）１２１と、読取制御部１２２とを主に備えている。
【００４５】
ＣＣＤ１２１は、スキャナ部１２０に設置されている図示しないコンタクトガラス上に利用者によって載置された原稿に対して光を照射し、その反射光を光電変換して原稿画像をＲＧＢ形式の画像データとして読み取るものである。
【００４６】
読取制御部１２２は、ＣＣＤ１２１により読み取った画像データを第１の画像転送ライン１５１を介して本体部１１０に転送して、スキャナ部１２０の制御を行うものである。また、読取制御部１２２は、ＣＣＤ１２１により読み取った画像データを、本体部１１０を経由せずにプレビュー画像転送ライン１５０を介して操作表示部１３０に転送する。
【００４７】
本体部１１０は、スキャナ部１２０から読み取った画像データを受信して、操作表示部１３０から利用者により入力された設定等の操作に従い画像処理、画像データの保存等を行うものであり、制御部１１１と、ＨＤＤ（Hard Disk Drive）１１４とを主に備えている。また、制御部１１１は、スキャナ部１２０により読み取った画像データの画像処理などの制御を行うものであり、画像メモリ１１２と、画像処理部１１３とを主に備えている。
【００４８】
ＨＤＤ１１４は、スキャナ部１２０から読み取った画像データ、画像処理部１１３によって生成された印刷用の画像データ等を保存する記憶媒体である。
【００４９】
画像メモリ１１２は、スキャナ部１２０から読み取った画像データ、画像処理部１１３により生成された画像データなどを、画像処理等のために一時的に保存する記憶媒体である。
【００５０】
画像処理部１１３は、スキャナ部１２０から受信し画像メモリ１１２に一時的に保存されたＲＧＢ形式の画像データから、プリンタ部１４０における印刷用のＣＭＹＫ形式やＪＰＥＧ形式などの画像データを生成する処理等を行い、画像メモリ１１２に保存するものである。また、画像処理部１１３は、利用者が設定した機能に対応した各種の画像処理（解像度の変更、拡大／縮小、濃度／色の調整など）やレイアウト加工処理（両面印刷／片面印刷、集約印刷、余白サイズの調整など）を行う。
【００５１】
操作表示部１３０は、利用者による設定入力の受付及びプレビュー画像等の画像データを表示出力するものであり、タッチパネル１３１と、表示制御部１３２と、ＬＣＤ（Liquid Crystal Display）１３３とを主に備えている。また、操作表示部１３０は、スキャナ部１２０により読み取った画像データを、本体部１１０を経由しないプレビュー画像転送ライン１５０を介して直接受信し、プレビュー画像として表示出力する。
【００５２】
タッチパネル１３１は、キー及びＬＥＤ（Light Emitting Diode）等から構成されている入力画面であり、利用者が指等でキーを押下することにより設定操作を行うものである。
【００５３】
表示制御部１３２は、利用者によってタッチパネル１３１に入力された印刷指示等の情報を、要求転送ライン１５２を介して本体部１１０に転送し、操作表示部１３０の制御を行うものである。また、表示制御部１３２は、プレビュー画像転送ライン１５０を介してスキャナ部１２０から受信したＲＧＢ形式の画像データをプレビュー画像としてＬＣＤ１３３に表示出力するものである。
【００５４】
ＬＣＤ１３３は、文字や画像を表示する液晶画面であり、スキャナ部１２０によってスキャンした画像のプレビュー画像や、利用者からの設定入力を行わせる各種ボタン、キーなどを表示するものである。
【００５５】
プリンタ部１４０は、本体部１１０によって生成された印刷用の画像データを受信して、印刷するものであり、印刷部１４１と、書込制御部１４２とを主に備えている。
【００５６】
印刷部１４１は、本体部１１０における画像処理部１１３により生成された画像データに基づいて光ビームを偏向走査させ、感光体上に形成した静電潜像にトナーを使って現像し、生成されたトナー画像を転写紙に転写して、定着処理を行って画像データを印刷するものである。
【００５７】
書込制御部１４２は、本体部１１０において生成された印刷用の画像データを受信して、印刷部１４１により印刷するなどの制御を行うものである。
【００５８】
次に、以上のように構成された本実施の形態にかかる複写機１００により読み取った画像データの印刷を行う複写処理について説明する。図２は、複写機１００における複写処理の手順を示すフローチャートである。
【００５９】
まず、原稿を複写して印刷する場合、利用者は原稿をスキャナ部１２０に設置されているコンタクトガラスに載置する。読取制御部１２２は、載置された原稿をスキャンし、ＣＣＤ１２１でＲＧＢ形式の画像データとして読み取る（ステップＳ２０１）。
【００６０】
次に、読取制御部１２２は、本体部１１０において印刷用の画像データを生成するために、ＣＣＤ１２１により読み取った画像データを、本体部１１０における画像処理部１１３に転送する（ステップＳ２０２）。そして、画像処理部１１３は、読取制御部１２２より転送された画像データを第１の画像転送ライン１５１を介して受信する（ステップＳ２０３）。画像処理部１１３は、受信した画像データからＣＭＹＫ形式やＪＰＥＧ形式などの印刷用の画像データを生成するための画像処理を行い、生成した画像データを画像メモリ１１２に保存する（ステップＳ２０４）。
【００６１】
また、読取制御部１２２は、操作表示部１３０においてプレビュー画像を表示するために、ステップＳ２０１で読み取った画像データを表示制御部１３２にも転送する（ステップＳ２０５）。そして、表示制御部１３２は、読取制御部１２２により転送された画像データを、プレビュー画像転送ライン１５０を介して本体部１１０を経由せずに直接受信する（ステップＳ２０６）。表示制御部１３２は、受信した画像データをプレビュー画像としてＬＣＤ１３３に表示出力する（ステップＳ２０７）。
【００６２】
次に、利用者によりＬＣＤ１３３に表示されたプレビュー画像が確認されたか否かの判断がなされる（ステップＳ２０８）。すなわち、表示制御部１３２が印刷指示を受け付けたか否かを判断し、印刷指示を受け付けた場合はプレビュー画像が確認されたと判断する。利用者により、プレビュー画像が確認されなかった場合（ステップＳ２０８：Ｎｏ）、すなわち、印刷指示がなされなかった場合、再度、読取制御部１２２による原稿のスキャンがなされる。
【００６３】
一方、利用者により、プレビュー画像が確認され、印刷指示がなされた場合（ステップＳ２０８：Ｙｅｓ）、画像処理部１１３は、読取制御部１２２によって読み込んだ画像データを印刷するために、ステップＳ２０４において画像処理した画像データを書込制御部１４２に転送する（ステップＳ２０９）。次に、書込制御部１４２は、画像処理部１１３により転送された画像データを第３の画像転送ライン１５３を介して受信する（ステップＳ２１０）。そして、印刷部１４１は、受信した画像データを用紙に印刷する（ステップＳ２１１）。
【００６４】
このように、本実施の形態では、スキャナ部１２０によって、スキャンした原稿の画像データを、第１の画像転送ライン１５１を介して画像データに対する画像処理を行う本体部１１０に転送するとともに、画像データを、プレビュー画像転送ライン１５０を介して操作表示部１３０に転送し、操作表示部１３０によって、スキャナ部１２０から受信した画像データをスキャンした原稿のプレビュー画像としてＬＣＤ１３３に表示出力する。
【００６５】
このため、プレビュー画像の表示と印刷用の画像データの処理を同時に行うことができる。従って、スキャナ部１２０により原稿を読み取ってから、プレビュー画像として操作表示部１３０により表示されるまでの時間を短縮することができ、利用者を長時間待たせることがなく操作性を向上させ作業効率を向上させることができる。
【００６６】
また、スキャナ手段で読み取ったデータを操作表示手段に直接転送するため、読取データと表示データが同一データであることを活用できる。即ち、スキャナ手段によってスキャンした画像データを再生成する必要がなく、ＲＧＢ形式のデータのまま操作表示手段に転送し、プレビュー画像として表示できる。従って、プレビュー画像の生成のためにデータフォーマットのＲＧＢ形式のデータからＣＭＹＫ形式やＪＰＥＧ形式のデータへの変換や、ＣＭＹＫ形式やＪＰＥＧ形式のデータからＲＧＢ形式のデータへの再変換などの複雑な制御を行う必要がなく、簡易な制御でプレビュー画像表示機能を実現でき、プレビュー画像の表示までの時間を短縮することができる。
【００６７】
（第２の実施の形態）
第１の実施の形態の複写機は、ＣＣＤによって読み取った画像データを読取制御部によって、画像処理部及び表示制御部それぞれに転送されたが、第２の実施の形態の複写機は、読取制御部によって転送された画像データが、画像処理部及び表示制御部に対して分岐して転送されるものである。以下に、添付図面を参照して、第２の実施の形態について説明する。
【００６８】
図３は、本発明の第２の実施の形態にかかる複写機の構成を示すブロック図である。本実施の形態にかかる複写機３００は、原稿をスキャンして、スキャンした原稿の画像データを生成し、印刷するものであり、スキャナ部３２０と、本体部１１０と、操作表示部１３０と、プリンタ部１４０とから構成されている。
【００６９】
また、本体部１１０とスキャナ部３２０は、第１の画像転送ライン３５１によって接続されており、本体部１１０と操作表示部１３０は、要求転送ライン１５２によって接続されており、さらに、本体部１１０とプリンタ部１４０は、第３の画像転送ライン１５３によって接続されている。また、スキャナ部３２０と操作表示部１３０は、プレビュー画像転送ライン３５０によって、本体部１１０を経由せずに第１の画像転送ライン３５１から分岐して直接接続されている。
【００７０】
ここで、本体部１１０と、操作表示部１３０と、プリンタ部１４０の構成及び機能は、第１の実施の形態における複写機と同様であるので、説明を省略する。尚、操作表示部１３０は、第１の画像転送ライン３５１から分岐したプレビュー画像転送ライン３５０を介してスキャナ部３２０から受信した画像データをプレビュー画像としてＬＣＤ１３３に表示出力するものである。
【００７１】
スキャナ部３２０は、利用者によって載置された原稿をスキャンして読み取るものであり、ＣＣＤ１２１と、読取制御部３２２とを主に備えている。
【００７２】
ここで、ＣＣＤ１２１の構成及び機能は、第１の実施の形態と同様であるので、説明を省略する。
【００７３】
読取制御部３２２は、ＣＣＤ１２１により読み取った画像データを、第１の画像転送ライン３５１を介して本体部１１０に転送して、スキャナ部３２０の制御を行うものである。また、読取制御部３２２は、ＣＣＤ１２１により読み取った画像データを、本体部１１０を経由せずに、第１の画像転送ライン３５１から分岐したプレビュー画像転送ライン３５０を介して操作表示部１３０に転送する。
【００７４】
次に、以上のように構成された本実施の形態にかかる複写機３００により読み取った画像データの印刷を行う複写処理について説明する。図４は、複写機３００における複写処理の手順を示すフローチャートである。
【００７５】
まず、原稿を複写して印刷する場合、利用者は原稿をスキャナ部３２０に設置されているコンタクトガラスに載置する。読取制御部３２２は、載置された原稿をスキャンし、ＣＣＤ１２１でＲＧＢ形式の画像データとして読み取る（ステップＳ４０１）。
【００７６】
次に、読取制御部３２２は、ＣＣＤ１２１により読み取った画像データを転送する（ステップＳ４０２）。そして、画像処理部１１３は、読取制御部３２２より転送された画像データを第１の画像転送ライン３５１を介して受信する（ステップＳ４０３）。そして、画像処理部１１３は、受信した画像データからＣＭＹＫ形式やＪＰＥＧ形式などの印刷用の画像データを生成するための画像処理を行い、生成した画像データを画像メモリ１１２に保存する（ステップＳ４０４）。
【００７７】
また、表示制御部１３２は、ステップＳ４０２において読取制御部３２２により転送された画像データを、第１の画像転送ライン３５１から分岐したプレビュー画像転送ライン３５０を介して、本体部１１０を経由せずに直接受信する（ステップＳ４０５）。そして、表示制御部１３２は、受信した画像データをプレビュー画像としてＬＣＤ１３３に表示出力する（ステップＳ４０６）。
【００７８】
利用者によるＬＣＤ１３３に表示されたプレビュー画像の確認以降の処理及び流れ（ステップＳ４０７〜Ｓ４１０）については、図２の第１の実施の形態で説明した処理および流れ（ステップＳ２０８〜Ｓ２１１）と同様である。
【００７９】
このように、本実施の形態では、プレビュー画像転送ライン３５０は、第１の画像転送ライン３５１から分岐して操作表示部１３０に接続されている。従って、スキャナ部３２０から本体部１１０及び操作表示部１３０へ同一の画像データが転送されるため、スキャナ部３２０の構成は画像データ送信機能以外、既存のシステムをそのまま流用することができ、利用者の無駄な出費を防止するとことができる。
【００８０】
（第３の実施の形態）
第１の実施の形態の複写機は、ＣＣＤによって読み取った画像データを読取制御部によって、画像処理部及び表示制御部それぞれにそのまま転送されたが、第３の実施の形態の複写機は、ＣＣＤによって読み取った画像データのデータ処理を行った後に、画像処理部及び表示制御部それぞれに転送されるものである。以下に、添付図面を参照して、第３の実施の形態について説明する。
【００８１】
図５は、本発明の第３の実施の形態にかかる複写機の構成を示すブロック図である。本実施の形態にかかる複写機５００は、原稿をスキャンして、スキャンした原稿の画像データを生成し、印刷するものであり、スキャナ部５２０と、本体部１１０と、操作表示部１３０と、プリンタ部１４０とから構成されている。
【００８２】
また、本体部１１０とスキャナ部５２０は、第１の画像転送ライン５５１によって接続されており、本体部１１０と操作表示部１３０は、要求転送ライン１５２によって接続されており、さらに、本体部１１０とプリンタ部１４０は、第３の画像転送ライン１５３によって接続されている。また、スキャナ部５２０と操作表示部１３０は、プレビュー画像転送ライン５５０によって、本体部１１０を経由せずに直接接続されている。
【００８３】
ここで、本体部１１０と、操作表示部１３０と、プリンタ部１４０の構成及び機能は、第１の実施の形態における複写機と同様であるので、説明を省略する。尚、操作表示部１３０は、プレビュー画像転送ライン５５０を介してスキャナ部５２０から受信した画像データを、プレビュー画像としてＬＣＤ１３３に表示出力するものである。
【００８４】
スキャナ部５２０は、利用者によって載置された原稿をスキャンして読み取るものであり、ＣＣＤ１２１と、読取制御部５２２とを主に備えている。
【００８５】
ここで、ＣＣＤ１２１の構成及び機能は、第１の実施の形態と同様であるので、説明を省略する。
【００８６】
読取制御部５２２は、ＣＣＤ１２１により読み取った画像データを、第１の画像転送ライン５５１を介して本体部１１０に転送して、スキャナ部５２０の制御を行うものである。また、読取制御部５２２は、ＣＣＤ１２１により読み取った画像データを、本体部１１０を経由せずに、プレビュー画像転送ライン５５０を介して操作表示部１３０に直接転送する。また、読取制御部５２２は、データ処理を行うデータ処理部５２３を主に備えている。
【００８７】
データ処理部５２３は、ＣＣＤ１２１により読み取った画像データから、本体部１１０の画像処理部１１３に転送するための画像データ及び表示制御部１３２に転送するためのプレビュー画像を、それぞれ別個に生成するものである。
【００８８】
次に、以上のように構成された本実施の形態にかかる複写機５００により読み取った画像データの印刷を行う複写処理について説明する。図６は、複写機５００における複写処
理の手順を示すフローチャートである。
【００８９】
まず、原稿を複写して印刷する場合、利用者は原稿をスキャナ部５２０に設置されているコンタクトガラスに載置する。読取制御部５２２は、載置された原稿をスキャンし、ＣＣＤ１２１でＲＧＢ形式の画像データとして読み取る（ステップＳ６０１）。
【００９０】
次に、読取制御部５２２に設けられたデータ処理部５２３は、ＣＣＤ１２１により読み取った画像データから画像処理部１１３へ転送するための画像処理部転送用データ及び表示制御部１３２へ転送するためのプレビュー画像をそれぞれ別個に生成する（ステップＳ６０２）。それぞれ別個に生成することにより、プレビュー画像は、画像処理部転送用データ（印刷用に転送する画像データ）より少ないデータ量で生成することが可能になる。
【００９１】
次に、読取制御部５２２は、データ処理部５２３により生成された画像処理部転送用データを画像処理部１１３に転送する（ステップＳ６０３）。そして、画像処理部１１３は、読取制御部５２２より転送された画像処理部転送用データを、第１の画像転送ライン５５１を介して受信する（ステップＳ６０４）。そして、画像処理部１１３は、受信した画像処理部転送用データからＣＭＹＫ形式やＪＰＥＧ形式などの印刷用の画像データを生成するための画像処理を行い、生成した画像データを画像メモリ１１２に保存する（ステップＳ６０５）。
【００９２】
また、読取制御部５２２は、ステップＳ６０２においてデータ処理部５２３により生成されたプレビュー画像を、表示制御部１３２に転送する（ステップＳ６０６）。そして、表示制御部１３２は、読取制御部５２２により転送されたプレビュー画像を、プレビュー画像転送ライン５５０を介して、本体部１１０を経由せずに直接受信する（ステップＳ６０７）。そして、表示制御部１３２は、受信したプレビュー画像をＬＣＤ１３３に表示出力する（ステップＳ６０８）。
【００９３】
利用者によるＬＣＤ１３３に表示されたプレビュー画像の確認以降の処理および流れ（ステップＳ６０９〜Ｓ６１２）については、図２の第１の実施の形態で説明した処理および流れ（ステップＳ２０８〜Ｓ２１１）と同様である。
【００９４】
このように、本実施の形態では、スキャナ部５２０の内部に設けられた読取制御部５２２によって、画像データの生成及び送受信の制御を行う。さらに、読取制御部５２２は、画像データからプレビュー画像を生成するデータ処理部５２３を有し、データ処理部５２３によって生成されたプレビュー画像を、プレビュー画像転送ライン５５０を介して操作表示部１３０に転送する。従って、スキャナ部５２０内部にあるデータ処理部５２３によって、本体部１１０転送用の画像データ及び操作表示部１３０用のプレビュー画像としての画像データをそれぞれ別個に生成するため、操作表示部１３０へ適切なデータ量のみを転送することができることになる。よって、必要以上に多量な画像データを転送することにより考えられる転送時間の遅延、転送時の画像データの破壊のリスク、操作表示部１３０におけるデータ処理時間の遅延等の問題を解消することができるとともに、スキャナ部５２０により原稿を読み取ってから、プレビュー画像として操作表示部１３０により表示されるまでの時間を短縮することができる。
【００９５】
また、本体部１１０によって印刷用に処理される画像データよりも単純間引きにより解像度、分解能等を下げてプレビュー画像を生成することによって、複雑な制御等を付加することが不要となり、スキャナ部５２０により原稿を読み取ってから、プレビュー画像として操作表示部１３０により表示されるまでの時間を短縮することができ、作業効率を向上させることができる。
【００９６】
（第４の実施の形態）
第２の実施の形態の複写機は、読取制御部によって転送された画像データが、画像処理部及び表示制御部に分岐して転送されるものであるが、第４の実施の形態の複写機は、表示制御部により転送された画像データを受信して、更に、画像処理を行った後に表示されるものである。以下に、添付図面を参照して、第４の実施の形態について説明する。
【００９７】
図７は、本発明の第４の実施の形態にかかる複写機の構成を示すブロック図である。本実施の形態にかかる複写機７００は、原稿をスキャンして、スキャンした原稿の画像データを生成し、印刷するものであり、スキャナ部３２０と、本体部１１０と、操作表示部７３０と、プリンタ部１４０とから構成されている。
【００９８】
また、本体部１１０とスキャナ部３２０は、第１の画像転送ライン３５１によって接続されており、本体部１１０と操作表示部７３０は、要求転送ライン１５２によって接続されており、さらに、本体部１１０とプリンタ部１４０は、第３の画像転送ライン１５３によって接続されている。また、スキャナ部３２０と操作表示部７３０は、プレビュー画像転送ライン３５０によって、本体部１１０を経由せずに第１の画像転送ライン３５１から分岐して直接接続されている。
【００９９】
ここで、本体部１１０と、プリンタ部１４０の構成及び機能は、第１の実施の形態における複写機と同様であり、スキャナ部３２０は、第２の実施の形態における複写機と同様であるので、説明を省略する。
【０１００】
操作表示部７３０は、利用者による設定入力の受付及びプレビュー画像等の画像データを表示出力するものであり、タッチパネル１３１と、表示制御部７３２と、ＬＣＤ１３３とを主に備えている。また、操作表示部７３０は、スキャナ部３２０により読み取った画像データを、本体部１１０を経由しないプレビュー画像転送ライン３５０を介して直接受信し、プレビュー画像として表示出力する。
【０１０１】
ここで、タッチパネル１３１と、ＬＣＤ１３３の構成及び機能は、第１の実施の形態における複写機と同様であるので、説明を省略する。
【０１０２】
表示制御部７３２は、利用者によってタッチパネル１３１に入力された情報を、要求転送ライン１５２を介して本体部１１０に転送して、操作表示部７３０の制御を行うものである。また、表示制御部７３２は、プレビュー画像転送ライン３５０を介してスキャナ部３２０から受信したＲＧＢ形式の画像データをプレビュー画像としてＬＣＤ１３３に表示出力するものである。また、表示制御部７３２は、データ処理を行うデータ処理部７３４を備えている。
【０１０３】
データ処理部７３４は、読取制御部３２２により受信した画像データから、ＬＣＤ１３３に表示するためのプレビュー画像を生成するものである。
【０１０４】
次に、以上のように構成された本実施の形態にかかる複写機７００により読み取った画像データの印刷を行う複写処理について説明する。図８は、複写機７００における複写処理の手順を示すフローチャートである。
【０１０５】
まず、原稿を複写して印刷する場合、利用者は原稿をスキャナ部３２０に設置されているコンタクトガラスに載置する。読取制御部３２２におけるＣＣＤ１２１による載置された原稿のスキャンから、画像処理部１１３による生成した画像データの画像メモリ１１２への保存までの処理および流れ（ステップＳ８０１〜Ｓ８０４）については、図４の第２の実施の形態で説明した処理および流れ（ステップＳ４０１〜Ｓ４０４）と同様である。
【０１０６】
次に、表示制御部７３２は、ステップＳ８０２において読取制御部３２２により転送された画像データを、第１の画像転送ライン３５１から分岐したプレビュー画像転送ライン３５０を介して、本体部１１０を経由せずに直接受信する（ステップＳ８０５）。
【０１０７】
次に、操作表示部７３０に設けられたデータ処理部７３４は、読取制御部３２２から受信した画像データからＬＣＤ１３３に表示するためのプレビュー画像を生成する（ステップＳ８０６）。そして、表示制御部７３２は、生成したプレビュー画像をＬＣＤ１３３に表示出力する（ステップＳ８０７）。
【０１０８】
利用者によるＬＣＤ１３３に表示されたプレビュー画像の確認以降の処理および流れ（ステップＳ８０８〜Ｓ８１１）については、図２の第１の実施の形態で説明した処理および流れ（ステップＳ２０８〜Ｓ２１１）と同様である。
【０１０９】
このように、本実施の形態では、操作表示部７３０の内部に設けられた表示制御部７３２によって、画像データの受信及び表示出力の制御を行う。さらに、表示制御部７３２は、スキャナ部１２０からプレビュー画像転送ライン３５０を介して受信した画像データからプレビュー画像を生成するデータ処理部７３４を有し、データ処理部７３４によって生成されたプレビュー画像をＬＣＤ１３３に表示出力する。このため、データ処理部７３４による処理によって、ＬＣＤ１３３に応じた適切な画像サイズ及び分解能でのプレビュー画像表示が可能となる。また、データの生成量を任意に設定できる構成とすれば、プレビュー画像の拡大、縮小等の機能も簡易に付加することができ、作業効率を向上させることができる。
【０１１０】
（第５の実施の形態）
第３の実施の形態の複写機は、ＣＣＤによって読み取った画像データの画像処理を行った後に、画像処理部及び表示制御部それぞれに転送されるものであるが、第５の実施の形態の複写機は、さらに、利用者によるプレビュー画像の詳細表示要求があった場合は、本体部において画像処理された画像データを、プレビュー画像として表示するものである。以下に、添付図面を参照して、第５の実施の形態について説明する。
【０１１１】
図９は、本発明の第５の実施の形態にかかる複写機の構成を示すブロック図である。本実施の形態にかかる複写機９００は、原稿をスキャンして、スキャンした原稿の画像データを生成し、印刷するものであり、スキャナ部５２０と、本体部１１０と、操作表示部１３０と、プリンタ部１４０とから構成されている。
【０１１２】
また、本体部１１０とスキャナ部５２０は、第１の画像転送ライン５５１によって接続されており、本体部１１０と操作表示部１３０は、要求転送ライン１５２及び第２の画像転送ライン９５３とによって接続されており、さらに、本体部１１０とプリンタ部１４０は、第３の画像転送ライン１５３によって接続されている。また、スキャナ部５２０と操作表示部１３０は、プレビュー画像転送ライン５５０によって、本体部１１０を経由せずに直接接続されている。
【０１１３】
ここで、本体部１１０と、操作表示部１３０と、プリンタ部１４０の構成及び機能は、第１の実施の形態における複写機と同様であり、スキャナ部５２０の構成及び機能は、第３の実施の形態における複写機と同様であるので、説明を省略する。
【０１１４】
尚、操作表示部１３０は、プレビュー画像転送ライン５５０を介してスキャナ部５２０から受信した画像データを、プレビュー画像としてＬＣＤ１３３に表示出力するものである。また、操作表示部１３０は、利用者より入力されたプレビュー画像の詳細表示の要求を、要求転送ライン１５２を介して、画像処理部１１３に転送し、第２の画像転送ライン９５３を介して画像処理部１１３によって生成された画像データを受信し、プレビュー画像の詳細表示としてＬＣＤ１３３に表示出力する。
【０１１５】
次に、以上のように構成された本実施の形態にかかる複写機９００により読み取った画像データの印刷を行う複写処理について説明する。図１０−１、図１０−２は、複写機９００における複写処理の手順を示すフローチャートである。
【０１１６】
まず、原稿を複写して印刷する場合、利用者は原稿をスキャナ部５２０に設置されているコンタクトガラスに載置する。読取制御部５２２におけるＣＣＤ１２１による載置された原稿のスキャンから、表示制御部１３２におけるＬＣＤ１３３によるプレビュー画像の表示までの処理および流れ（ステップＳ１００１〜Ｓ１００８）については、図６の第３の実施の形態で説明した処理および流れ（ステップＳ６０１〜Ｓ６０８）と同様である。
【０１１７】
次に、利用者によりプレビュー画像の詳細表示が要求されたか否かの判断がなされる（ステップＳ１００９）。利用者によるプレビュー画像の詳細表示が要求された場合（ステップＳ１００９：Ｙｅｓ）、その旨が要求転送ライン１５２を介して画像処理部１１３に転送される。そして、画像処理部１１３は、画像メモリ１１２に保存されている画像処理がなされた画像データを、表示制御部１３２に転送する（ステップＳ１０１０）。
【０１１８】
次に、表示制御部１３２は、画像処理部１１３より転送された画像データを、第２の画像転送ライン９５３を介して受信する。そして、受信した画像データをプレビュー画像の詳細表示としてＬＣＤ１３３に表示出力する（ステップＳ１０１１）。
【０１１９】
一方、利用者によるプレビュー画像の詳細表示が要求されなかった場合（ステップＳ１００９：Ｎｏ）は、そのまま次の処理が行われる。
【０１２０】
利用者によって、詳細表示がされた場合のＬＣＤ１３３に表示されたプレビュー画像及び詳細表示、または詳細表示がされなかった場合のＬＣＤ１３３に表示されたプレビュー画像の確認以降の処理および流れ（ステップＳ１０１２〜Ｓ１０１５）については、図２の第１の実施の形態で説明した処理および流れ（ステップＳ２０８〜Ｓ２１１）と同様である。
【０１２１】
このように、本実施の形態では、操作表示部１３０によって、利用者から本体部１１０で画像処理された画像データをプレビュー画像として表示出力する詳細表示の要求を受け付け、第２の画像転送ライン９５３によって、操作表示部１３０と本体部１１０を直接接続して、本体部１１０から操作表示部１３０に、画像処理された画像データを転送し、操作表示部１３０によって、本体部１１０から受信した画像処理された画像データを表示出力する。このため、利用者によるプレビュー画像の詳細表示の要求がなされた場合に、本体部１１０により画像処理がなされた画像データを詳細画像として表示することが可能となる。また、本体部１１０によって画像処理がなされた印刷用の画像データや、本体部１１０に保存されている画像データを操作表示部１３０に表示することも可能となり、従来の画像形成装置の機能を劣化させることがない。従って、スキャナ部５２０により原稿を読み取ってから、プレビュー画像として操作表示部１３０により表示されるまでの時間を短縮することができ、利用者を長時間待たせることがなく、利便性を向上させ作業効率を向上させることができる。
【０１２２】
尚、本実施の形態における複写機は、利用者による詳細表示の要求の転送に用いる要求転送ライン１５２と、画像処理部１１３から画像処理がなされた画像データをプレビュー画像の詳細表示として転送する第２の画像転送ライン９５３とは、別個のラインとして設けているが、同一のラインを兼用して構成してもよく、その場合は、ハード構成の複雑化を防止できる。
【０１２３】
（第６の実施の形態）
第５の実施の形態の複写機は、転送された画像データを受信し、表示制御部により画像処理を行ったプレビュー画像が表示されると、印刷動作を開始する旨の指示がなされ印刷を行なうものであったが、第６の実施の形態の複写機は、さらに、利用者による印刷動作を停止する旨の指示があった場合に、印刷動作を停止するものである。以下に、添付図面を参照して、第６の実施の形態について説明する。
【０１２４】
図１１は、第６の実施の形態にかかる複写機の構成を示すブロック図である。本実施形態にかかる複写機１１００は、原稿をスキャンして、スキャンした原稿の画像データを生成し、印刷するものであり、スキャナ部１２０と、本体部１１１０と、操作表示部１１３０と、プリンタ部１１４０とから構成されている。
【０１２５】
また、本体部１１１０とスキャナ部１２０は、第１の画像転送ライン１５１によって接続されており、本体部１１１０と操作表示部１１３０は、要求転送ライン１５２によって接続されており、さらに、本体部１１１０とプリンタ部１１４０は、第３の画像転送ライン１５３によって接続されている。また、スキャナ部１２０と操作表示部１１３０は、プレビュー画像転送ライン１５０により本体部１１０を経由せずに直接接続されている。
【０１２６】
ここで、スキャナ部１２０の構成及び機能は、第１の実施の形態における複写機と同様であるので、説明を省略する。
【０１２７】
操作表示部１１３０は、利用者による設定入力の受付及びプレビュー画像等の画像データを表示出力するものであり、タッチパネル１３１と、表示制御部１１３２と、ＬＣＤ１３３とを主に備えている。また、操作表示部１１３０は、スキャナ部１２０により読み取った画像データを、本体部１１１０を経由しないプレビュー画像転送ライン１５０を介して直接受信し、プレビュー画像として表示出力する。
【０１２８】
ここで、タッチパネル１３１と、ＬＣＤ１３３の構成及び機能は、第１の実施の形態における複写機と同様であるので、説明を省略する。
【０１２９】
表示制御部１１３２は、利用者によってタッチパネル１３１に入力された情報を、要求転送ライン１５２を介して本体部１１１０に転送して、操作表示部１１３０の制御を行うものである。また、表示制御部１１３２は、利用者によるスキャナ部１２０によりスキャンした原稿の画像データの印刷を開始する旨の印刷動作開始の要求をタッチパネル１３１の「スタートボタン」等が押下されることによって受け付けると、印刷動作移行フラグをオンに設定する。他方、利用者による印刷を停止する旨の印刷動作停止の要求をタッチパネル１３１の「キャンセルボタン」等が押下されることによって受け付けると、印刷動作移行フラグをオフに設定する。ここで、印刷動作移行フラグとは、印刷動作に移行するか否かを判断するためのフラグであり、印刷動作移行フラグがオンのときは、印刷動作に移行可能な状態を示し、印刷動作移行フラグがオフのときは、印刷動作に移行しない状態を示すものである。また、印刷動作移行フラグは、メモリ、ＨＤＤなどの記憶媒体に保存されている。
また、表示制御部１１３２は、プレビュー画像転送ライン１５０を介してスキャナ部１２０から受信したＲＧＢ形式の画像データをプレビュー画像としてＬＣＤ１３３に表示出力する。また、表示制御部１１３２は、データ処理を行うデータ処理部７３４を備えている。ここで、データ処理部７３４の構成及び機能は、第４の実施の形態における複写機と同様であるので、説明を省略する。
【０１３０】
本体部１１１０は、スキャナ部１２０から読み取った画像データを受信して、操作表示部１１３０から利用者により入力された設定等の操作に従い画像処理、画像データの保存等を行うものであり、制御部１１１１と、ＨＤＤ１１４とを主に備えている。また、制御部１１１１は、スキャナ部１２０により読み取った画像データの画像処理などの制御を行うものであり、画像メモリ１１２と、画像処理部１１１３とを主に備えている。
【０１３１】
ここで、画像メモリ１１２の構成及び機能は、第１の実施の形態における複写機と同様であるので、説明を省略する。
【０１３２】
ＨＤＤ１１４は、スキャナ部１２０から読み取った画像データ、画像処理部１３１３によって生成された印刷用の画像データ等、及び印刷動作移行フラグのオンまたはオフの設定を保存する記憶媒体である。
【０１３３】
画像処理部１１１３は、第１の実施の形態における画像処理部１１３と同様に、スキャナ部１２０から受信し、画像メモリ１１２に一時的に保存されたＲＧＢ形式の画像データから、プリンタ部１４０における印刷用のＣＭＹＫ形式やＪＰＥＧ形式などの画像データを生成する処理等を行い、画像メモリ１１２に保存するものである。また、利用者が設定した機能に対応した各種の画像処理やレイアウト加工処理を行い、画像メモリ１１２に保存するものである。
また、画像処理部１１１３は、印刷動作移行フラグを参照して、操作表示部１１３０の表示制御部１１３２により印刷動作移行フラグがオンに設定されている場合、その旨および上述したような画像処理を行った印刷用の画像データをプリンタ部１１４０に転送する処理を行う。また、画像処理部１１１３は、印刷動作移行フラグを参照して、操作表示部１１３０の表示制御部１１３２により印刷動作移行フラグがオフに設定されている場合、その旨をプリンタ部１１４０に転送し、上述したような画像処理を行った印刷用の画像データを画像メモリ１１２から削除する処理を行い、次動作に備えて待機状態に移行する。
【０１３４】
プリンタ部１１４０は、本体部１１１０によって生成された印刷用の画像データを受信して、印刷するものであり、印刷部１４１と、書込制御部１１４２とを主に備えている。
【０１３５】
ここで、印刷部１４１の機能及び構成は、第１の実施の形態における複写機と同様であるので、説明を省略する。
【０１３６】
書込制御部１１４２は、本体部１１１０において生成された印刷用の画像データを受信して、印刷部１４１により印刷するなどの制御を行うものである。また、書込制御部１１４２は、操作表示部１１３０の表示制御部１１３２により印刷動作移行フラグがオンに設定されている場合に、本体部１１１０から受信した画像処理された印刷用の画像データの印刷動作を開始する。また、操作表示部１１３０の表示制御部１１３２により印刷動作移行フラグがオフに設定されている場合に、本体部１１１０から受信した画像処理された印刷用の画像データの印刷動作を行っている場合は、その印刷動作を中断して停止し、次動作に備えて待機状態に移行する。
【０１３７】
次に、以上のように構成された本実施の形態にかかる複写機１１００により読み取った画像データの印刷を行う複写処理について説明する。図１２は、複写機１１００における複写処理の手順を示すフローチャートである。
【０１３８】
まず、原稿を複写して印刷する場合、利用者は原稿をスキャナ部１２０に設置されているコンタクトガラスに載置する。読取制御部１２２は、載置された原稿をスキャンし、ＣＣＤ１２１でＲＧＢ形式の画像データとして読み取る（ステップＳ１２０１）。
【０１３９】
次に、読取制御部１２２は、本体部１１００において印刷用の画像データを生成するために、ＣＣＤ１２１により読み取った画像データを、本体部１１００における画像処理部１１１３に転送する（ステップＳ１２０２）。そして、画像処理部１１１３は、読取制御部１２２により転送された画像データを第１の画像転送ライン１５１を介して受信する（ステップＳ１２０３）。画像処理部１１１３は、受信した画像データからＣＭＹＫ形式やＪＰＥＧ形式などの印刷用の画像データを生成するための画像処理を行い、生成した画像データを画像メモリ１１２に保存する（ステップＳ１２０４）。
【０１４０】
また、読取制御部１２２は、操作表示部１１３０においてプレビュー画像を表示するために、ステップＳ１２０１で読み取った画像データを表示制御部１１３２にも転送する（ステップＳ１２０５）。そして、表示制御部１１３２は、読取制御部１２２により転送された画像データを、プレビュー画像転送ライン１５０を介して本体部１１１０を経由せずに直接受信する（ステップＳ１２０６）。
【０１４１】
次に、操作表示部１１３０に設けられたデータ処理部７３４は、読取制御部１２２から受信した画像データからＬＣＤ１３３に表示するためのプレビュー画像を生成する（ステップＳ１２０７）。そして、表示制御部１１３２は、生成したプレビュー画像をＬＣＤ１３３に表示出力する（ステップＳ１２０８）。
【０１４２】
次に、利用者によりＬＣＤ１３３に表示されたプレビュー画像が確認されたか否かの判断がなされる。すなわち、表示制御部１１３２は、利用者からの印刷動作開始の要求を受け付けたか否かの判断をすることによって、利用者によりプレビュー画像が確認されたか否かを判断する（ステップＳ１２０９）。印刷動作開始の要求を受け付けた場合（ステップＳ１２０９：Ｙｅｓ）、表示制御部１１３２は、プレビュー画像が確認されたことになり、印刷動作移行フラグをオンに設定する（ステップＳ１２１０）。
【０１４３】
一方、印刷動作開始の要求を受け付けなかった場合（ステップＳ１２０９：Ｎｏ）、プレビュー画像が確認されなかったことになり、表示制御部１１３２は、印刷動作停止の要求を受け付けたか否かを判断する（ステップＳ１２１１）。印刷動作停止の要求を受け付けた場合（ステップＳ１２１１：Ｙｅｓ）、印刷動作を強制停止する（ステップＳ１２１２）。すなわち、画像処理部１１１３は、印刷用の画像データを画像メモリ１１２から削除する処理を行い、次動作に備えて待機状態に移行する。また、書込制御部１１４０は、本体部１１１０から受信した印刷用の画像データの印刷動作を既に行っている場合は、その印刷動作を中断して停止し、次動作に備えて待機状態に移行する。一方、印刷動作停止の要求を受け付けなかった場合（ステップＳ１２１１：Ｎｏ）、ステップＳ１２０９に戻って、再度、プレビュー画像が確認されたか否かを判断する処理を行う。
【０１４４】
また、ステップＳ１２０４により画像データを画像メモリ１１２に保存した後、画像処理部１１１３は、ステップＳ１２１０における印刷動作移行フラグがオンに設定されているか否かを判断する（ステップＳ１２１３）。印刷動作移行フラグがオンになっていない場合、すなわち印刷動作移行フラグがオフに設定されている場合は（ステップＳ１２１３：Ｎｏ）、再度、ステップ１２１３に戻って処理を行う。
【０１４５】
一方、印刷動作移行フラグがオンに設定されている場合は（ステップＳ１２１３：Ｙｅｓ）、画像処理部１１１３は、読取制御部１２２によって読み込んだ画像データを印刷するために、ステップＳ１２０４において画像メモリ１１２に保存した印刷用の画像データを書込制御部１１４２に転送する（ステップＳ１２１４）。次に、書込制御部１１４２は、画像処理部１１１３により転送された画像データを第３の画像転送ライン１５３を介して受信する（ステップＳ１２１５）。そして、印刷部１４１は、受信した画像データを用紙に印刷する（ステップＳ１２１６）。
【０１４６】
このように、本実施の形態では、表示制御部１１３２によりプレビュー画像を表示出力した後、利用者から本体部１１１０で画像処理された印刷用の画像データの印刷動作開始の要求を受け付けた場合に、画像処理部１１１３は、画像処理された印刷用の画像データをプリンタ部１１４０に転送し、書込制御部１１４２は、本体部１１１０から受信した画像データの印刷動作を開始する。また、表示制御部１１３２によりプレビュー画像を表示出力した後、利用者から本体部１１１０で画像処理された印刷用の画像データの印刷動作停止の要求を受け付けた場合に、画像処理部１１１３は、画像処理された印刷用の画像データを削除し、書込制御部１１４２は、画像データの印刷動作を行っている場合は、その印刷動作を停止する。
【０１４７】
従って、プレビュー画像が表示されて確認した後に印刷動作開始の要求ができるため、確実にプレビュー画像の確認後に印刷動作を開始することができ、機能性を向上させ作業効率を向上させることができる。また、プレビュー画像が表示されて確認した後に印刷動作停止の要求ができるため、印刷される画像が所望する方向とは異なっている場合などに、画像データの画像処理中や印刷中であっても処理を中断でき、機能性を向上させ作業効率を向上させることができる。
【０１４８】
また、プレビュー画像は、印刷方向の判断が可能な程度とすると、操作表示部１１３０に転送される画像データの容量を減少させることができる。さらに、本体部１１１０において画像データの画像処理動作中であっても印刷動作開始または印刷動作停止のいずれを行うかの判断が可能となるため、印刷方向に間違いがあった場合には、即座に印刷動作を停止して修正し、再度印刷動作を開始することが可能となり、さらに機能性を向上させ作業効率を向上させることができる。
【０１４９】
（第７の実施の形態）
第６の実施の形態の複写機は、転送された画像データを受信し、表示制御部により画像処理を行ったプレビュー画像が表示された後、印刷動作を開始する旨の指示がなされた場合は印刷を行ない、印刷動作を停止する旨の指示がなされた場合は印刷動作を停止するものであったが、第７の実施の形態の複写機は、さらに、本体部において画像処理された画像データを、プレビュー画像の詳細表示として表示出力するものである。以下に、添付図面を参照して、第７の実施の形態について説明する。
【０１５０】
図１３は、第７の実施の形態にかかる複写機の構成を示すブロック図である。本実施形態にかかる複写機１３００は、原稿をスキャンして、スキャンした原稿の画像データを生成し、印刷するものであり、スキャナ部１２０と、本体部１３１０と、操作表示部１３３０と、プリンタ部１１４０とから構成されている。
【０１５１】
また、本体部１３１０とスキャナ部１２０は、第１の画像転送ライン１５１によって接続されており、本体部１３１０と操作表示部１３３０は、要求転送ライン１５２及び第２の画像転送ライン９５３とによって接続されており、さらに、本体部１３１０とプリンタ部１１４０は、第３の画像転送ライン１５３によって接続されている。また、スキャナ部１２０と操作表示部１３３０は、プレビュー画像転送ライン１５０によって、本体部１３１０を経由せずに直接接続されている。
【０１５２】
ここで、スキャナ部１２０の構成及び機能は、第１の実施の形態における複写機と同様であり、プリンタ部１１４０の構成及び機能は、第６の実施の形態における複写機と同様であるので、説明を省略する。
【０１５３】
操作表示部１３３０は、利用者による設定入力の受付及びプレビュー画像等の画像データを表示出力するものであり、タッチパネル１３１と、表示制御部１３３２と、ＬＣＤ１３３とを主に備えている。また、操作表示部１３３０は、スキャナ部１２０により読み取った画像データを、本体部１３１０を経由しないプレビュー画像転送ライン１５０を介して直接受信し、プレビュー画像として表示出力する。
【０１５４】
ここで、タッチパネル１３１と、ＬＣＤ１３３の構成及び機能は、第１の実施の形態における複写機と同様であるので、説明を省略する。
【０１５５】
表示制御部１３３２は、第６の実施の形態の表示制御部における機能に加えて、画像処理された画像データを本体部１３１０に要求し、第２の画像転送ライン９５３を介して本体部１３１０から画像処理された画像データを受信して、受信した画像データをプレビュー画像の詳細表示としてＬＣＤ１３３に表示出力するものである。
【０１５６】
本体部１３１０は、スキャナ部１２０から読み取った画像データを受信して、操作表示部１３３０から利用者により入力された設定等の操作に従い画像処理、画像データの保存等を行うものであり、制御部１３１１と、ＨＤＤ１１４とを主に備えている。また、制御部１３１１は、スキャナ部１２０により読み取った画像データの画像処理などの制御を行うものであり、画像メモリ１１２と、画像処理部１３１３とを主に備えている。
【０１５７】
ここで、ＨＤＤ１１４と、画像メモリ１１２の構成及び機能は、第１の実施の形態における複写機と同様であるので、説明を省略する。
【０１５８】
画像処理部１１１３は、第６の実施の形態の画像処理部における機能に加えて、操作表示部１３３０から画像処理した画像データの要求を受信した場合、画像メモリ１１２に保存されている画像データを第２の画像転送ラインを介して操作表示部１３３０に転送するものである。
【０１５９】
次に、以上のように構成された本実施の形態にかかる複写機１３００により読み取った画像データの印刷を行う複写処理について説明する。図１４は、複写機１３００における複写処理の手順を示すフローチャートである。
【０１６０】
まず、原稿を複写して印刷する場合、利用者は原稿をスキャナ部１２０に設置されているコンタクトガラスに載置する。読取制御部１２２におけるＣＣＤ１２１による載置された原稿のスキャンから、印刷動作の強制停止までの処理および流れ（ステップＳ１４０１〜Ｓ１４１２）については、図１２の第６の実施の形態で説明した処理および流れ（ステップＳ１２０１〜Ｓ１２１２）と同様である。
【０１６１】
次に、表示制御部１３３２が印刷動作停止の要求を受け付けたか否かを判断し（ステップＳ１４１１）、印刷動作停止の要求を受け付けなかった場合（ステップＳ１４１１：Ｎｏ）、表示制御部１３３２は、画像処理された画像データを本体部１３１０に要求する（ステップＳ１４１３）。そして、表示制御部１３３２は、要求に対応する画像処理された画像データを第２の画像転送ライン９５３を介して本体部１３１０から受信して（ステップＳ１４１４）、受信した画像データをプレビュー画像の詳細表示としてＬＣＤ１３３に表示出力する（ステップＳ１４１５）。そして、ステップＳ１４０９に戻って、再度、プレビュー画像（詳細表示）が確認されたか否かを判断する処理を行う。
【０１６２】
また、ステップＳ１４０４により画像データを画像メモリ１１２に保存した後、ステップＳ１４１３においてなされた表示制御部１３３２からの画像処理された画像データの要求を受信したか否かを判断する（ステップＳ１４１６）。画像処理された画像データの要求を受信した場合（ステップＳ１４１６：Ｙｅｓ）、画像処理部１３１３は、画像メモリ１１２に保存されている画像データを操作表示部１１３０に転送する（ステップＳ１４１７）。なお、表示制御部１３３２は、ここで転送された画像データを、上述したステップＳ１４１４で受信していることになる。
【０１６３】
そして、画像処理部１３１３は、ステップＳ１４１０における印刷動作移行フラグがオンに設定されているか否かを判断する（ステップＳ１４１８）。また、画像処理されたデータの要求を受信しなかった場合（ステップＳ１４１６：Ｎｏ）も同様に、印刷動作移行フラグがオンに設定されているか否かを判断する（ステップＳ１４１８）。印刷動作移行フラグがオンになっていない場合、すなわち印刷動作移行フラグがオフに設定されている場合は（ステップＳ１４１８：Ｎｏ）、再度、ステップ１４１６に戻って処理を行う。
【０１６４】
一方、印刷動作移行フラグがオンに設定されている場合は（ステップＳ１４１８：Ｙｅｓ）、プリンタ部１１４０により印刷動作が開始されるが、画像処理部１３１３による印刷用の画像データの転送以降の処理および流れは（ステップＳ１４１９〜Ｓ１４２１）、図１２の第６の実施の形態で説明した処理および流れ（ステップＳ１２１４〜Ｓ１２１６）と同様である。
【０１６５】
このように、本実施の形態では、表示制御部１３３２は、プレビュー画像が表示された後に印刷動作開始の要求を受け付けなかった場合、本体部１３１０において画像処理された画像データを第２の画像転送ラインを介して操作表示部１３３０に転送し、表示制御部１３３２は、本体部１３１０から受信した画像処理された印刷用の画像データをＬＣＤ１３３に表示出力する。
【０１６６】
このため、スキャナ部１２０より操作表示部１３３０へ直接転送された画像データのプレビュー画像は、画像処理がなされていないため、実際の印刷画像とは細部において異なることが考えられるが、上記構成にすると、本体部１３１０によって画像処理がなされた印刷用の画像データや、本体部１３１０に保存されている画像データをＬＣＤ１３３に表示することも可能となり、高レベルでの画像確認が可能となる。従って、印刷動作を迅速化を重視する利用者でも、高レベルの画像確認を重視する利用者でも、それぞれの利用者の要求に応じた動作が可能になり、機能性を向上させることができる。
また、直接転送されたプレビュー画像を表示する場合は、スキャナ部１２０により原稿を読み取ってから、プレビュー画像として操作表示部１３３０により表示されるまでの時間を短縮することができ、利用者を長時間待たせることがなく、利便性を向上させ作業効率を向上させることができる。
【０１６７】
（第８の実施の形態）
第７の実施の形態の複写機は、本体部において画像処理された画像データを、プレビュー画像の詳細表示として表示出力するものであったが、第８の実施の形態に複写機は、さらに、利用者によるプレビュー画像の詳細表示の要求があった場合に、本体部において画像処理された画像データを、プレビュー画像の詳細表示として表示するものである。以下に、添付図面を参照して、第８の実施の形態について説明する。
【０１６８】
第８の実施の形態にかかる複写機の構成は、第７の実施の形態と同様であるため、図１３を参照して説明する。以下では、第７の実施の形態の複写機と異なる構成について説明する。
【０１６９】
表示制御部１３３２は、第６の実施の形態の表示制御部における機能に加えて、利用者から本体部１３１０で画像処理された画像データをプレビュー画像として表示出力する旨の詳細表示の要求を受け付けた場合に、画像処理された画像データを本体部１３１０に要求するものである。また、表示制御部１３３２は、第２の画像転送ライン９５３を介して本体部１３１０から画像処理された画像データを受信して、受信した画像データをプレビュー画像の詳細表示としてＬＣＤ１３３に表示出力するものである。
【０１７０】
画像処理部１３１３は、第６の実施の形態の画像処理部における機能に加えて、操作表示部１３３０において詳細表示の要求を受け付け、画像処理した画像データの要求を受信した場合、画像メモリ１１２に保存されている画像データを第２の画像転送ラインを介して操作表示部１３３０に転送するものである。
【０１７１】
次に、以上のように構成された本実施の形態にかかる複写機１３００により読み取った画像データの印刷を行う複写処理について説明する。図１５は、複写機１３００における複写処理の手順を示すフローチャートである。
【０１７２】
まず、原稿を複写して印刷する場合、利用者は原稿をスキャナ部１２０に設置されているコンタクトガラスに載置する。読取制御部１２２におけるＣＣＤ１２１による載置された原稿のスキャンから、印刷動作の強制停止までの処理および流れ（ステップＳ１５０１〜Ｓ１５１２）については、図１２の第６の実施の形態で説明した処理および流れ（ステップＳ１２０１〜Ｓ１２１２）と同様である。
【０１７３】
次に、表示制御部１３３２が印刷動作停止の要求を受け付けたか否かを判断し（ステップＳ１５１１）、印刷動作停止の要求を受け付けなかった場合（ステップＳ１５１１：Ｎｏ）、表示制御部１３３２は、利用者からプレビュー画像の詳細表示の要求を受け付けたか否かを判断する（ステップＳ１５１３）。利用者からのプレビュー画像の詳細表示の要求を受け付けなかった場合（ステップＳ１５１３：Ｎｏ）、ステップＳ１５０９に戻って、再度、プレビュー画像が確認されたか否かを判断する処理を行う。
【０１７４】
一方、利用者からのプレビュー画像の詳細表示の要求を受け付けた場合（ステップＳ１５１３：Ｙｅｓ）、表示制御部１３３２による画像データの要求以降の処理および流れは（ステップＳ１５１４〜Ｓ１５２２）、図１４の第７の実施の形態で説明した処理および流れ（ステップＳ１４１３〜Ｓ１４２１）と同様である。
【０１７５】
このように、本実施の形態では、表示制御部１３３２により利用者から本体部１３１０で画像処理された画像データをプレビュー画像として表示出力するプレビュー画像の詳細表示の要求を受け付けた場合、本体部１３１０において画像処理された画像データを第２の画像転送ラインを介して操作表示部１３３０に転送し、表示制御部１３３２は、本体部１３１０から受信した画像処理された印刷用の画像データをＬＣＤ１３３に表示出力する。
【０１７６】
このため、利用者によるプレビュー画像の詳細表示の要求がなされた場合に、本体部１３１０により画像処理がなされた画像データを詳細画像として表示することが可能となる。また、スキャナ部１２０より操作表示部１３３０へ直接転送された画像データのプレビュー画像は、画像処理がなされていないため、実際の印刷画像とは細部において異なることが考えられるが、上記構成にすると、本体部１３１０によって画像処理がなされた印刷用の画像データや、本体部１３１０に保存されている画像データをＬＣＤ１３３に表示することも可能となり、高レベルでの画像確認が可能となる。従って、印刷動作を迅速化を重視する利用者でも、高レベルの画像確認を重視する利用者でも、それぞれの利用者の要求に応じた動作が可能になり、機能性を向上させることができる。
また、直接転送されたプレビュー画像を表示する場合は、スキャナ部１２０により原稿を読み取ってから、プレビュー画像として操作表示部１３３０により表示されるまでの時間を短縮することができ、利用者を長時間待たせることがなく、利便性を向上させ作業効率を向上させることができる。また、プレビュー画像の詳細表示の要求があった場合のみ、画像処理がなされた印刷用の画像データを表示するため、無断なデータ転送を軽減し、装置の制御不可を低減し、システムの安定性を増加することができる。
【０１７７】
（第９の実施の形態）
第８の実施の形態に複写機は、利用者によるプレビュー画像の詳細表示の要求があった場合に、本体部において画像処理された画像データを、プレビュー画像の詳細表示として表示するものであったが、第９の実施の形態は、さらに、プレビュー画像の詳細表示の要求の前段階の処理であるプレビュー画像の表示において、利用者によるプレビュー画像の表示要求があった場合に、ＣＣＤによって読み取った画像データをプレビュー画像として表示するものである。以下に、添付図面を参照して、第９の実施の形態について説明する。
【０１７８】
第９の実施の形態にかかる複写機の構成は、第７の実施の形態と同様であるため、図１３を参照して説明する。以下では、第８の実施の形態の複写機と異なる構成について説明する。
【０１７９】
表示制御部１３３２は、第８の実施の形態の表示制御部における機能に加えて、読取制御部１２２によって読み取った原稿の画像データをプレビュー画像として表示出力する旨のプレビュー画像表示の要求を受け付けた場合に、スキャナ部１２０から受信した読み取った原稿の画像データをＬＣＤ１３３に表示出力するものである。また、プレビュー画像表示の要求を受け付けなかった場合は、印刷動作移行フラグをオンに設定する。
【０１８０】
読取制御部１２２は、ＣＣＤ１２１により読み取った画像データを第１の画像転送ライン１５１を介して本体部１１０に転送して、スキャナ部１２０の制御を行うものである。また、読取制御部１２２は、操作表示部１３３０によってプレビュー画像表示の要求を受け付けた場合、ＣＣＤ１２１により読み取った画像データを、本体部１１０を経由せずにプレビュー画像転送ライン１５０を介して操作表示部１３０に転送する。
【０１８１】
次に、以上のように構成された本実施の形態にかかる複写機１３００により読み取った画像データの印刷を行う複写処理について説明する。図１６は、複写機１３００における複写処理の手順を示すフローチャートである。
【０１８２】
まず、原稿を複写して印刷する場合、利用者は原稿をスキャナ部１２０に設置されているコンタクトガラスに載置する。読取制御部１２２は、載置された原稿をスキャンし、ＣＣＤ１２１でＲＧＢ形式の画像データとして読み取る（ステップＳ１６０１）。
【０１８３】
次に、表示制御部１３３２は、プレビュー画像表示の要求を受け付けたか否かを判断する（ステップＳ１６０２）。そして、プレビュー画像表示の要求を受け付けた場合（ステップＳ１６０２：Ｙｅｓ）、読取制御部１２２は、本体部１３００において印刷用の画像データを生成するために、ＣＣＤ１２１により読み取った画像データを、本体部１３００における画像処理部１３１３に転送する（ステップＳ１６０５）。そして、画像処理部１３１３は、読取制御部１２２により転送された画像データを第１の画像転送ライン１５１を介して受信する（ステップＳ１６０６）。画像処理部１３１３は、受信した画像データからＣＭＹＫ形式やＪＰＥＧ形式などの印刷用の画像データを生成するための画像処理を行い、生成した画像データを画像メモリ１１２に保存する（ステップＳ１６０７）。
【０１８４】
また、読取制御部１２２は、操作表示部１３３０においてプレビュー画像を表示するために、ステップＳ１６０１で読み取った画像データを表示制御部１３３２にも転送する（ステップＳ１６０８）。そして、表示制御部１３３２は、読取制御部１２２により転送された画像データを、プレビュー画像転送ライン１５０を介して本体部１３１０を経由せずに直接受信する（ステップＳ１６０９）。
【０１８５】
次に、操作表示部１３３０に設けられたデータ処理部７３４は、読取制御部１２２から受信した画像データからＬＣＤ１３３に表示するためのプレビュー画像を生成する（ステップＳ１６１０）。そして、表示制御部１３３２は、生成したプレビュー画像をＬＣＤ１３３に表示出力する（ステップＳ１６１１）。
【０１８６】
一方、ステップＳ１６０２において、プレビュー画像表示の要求を受け付けなかった場合（ステップＳ１６０２：Ｎｏ）、表示制御部１１３２は、印刷動作移行フラグをオンに設定する（ステップＳ１６０３）。次に、読取制御部１２２は、本体部１３００において印刷用の画像データを生成するために、ＣＣＤ１２１により読み取った画像データを、本体部１３００における画像処理部１３１３に転送する（ステップＳ１６０４）。そして、ステップＳ１６０６以降の処理を行う。なお、この場合は、表示制御部１３３２に読み取った画像データを転送しない。
【０１８７】
そして、利用者によりＬＣＤ１３３に表示されたプレビュー画像が確認されたか否かの判断から、画像処理部１３１３による画像データの転送までの処理および流れは（ステップＳ１６１２〜Ｓ１６２１）、第８の実施の形態で説明した処理および流れ（ステップＳ１５０９〜Ｓ１５１８）と同様である。
【０１８８】
次に、画像処理部１３１３は、ステップＳ１６０３およびステップＳ１６１３における印刷動作移行フラグがオンに設定されているか否かを判断する（ステップＳ１６２２）。また、画像処理されたデータの要求を受信しなかった場合（ステップＳ１６２０：Ｎｏ）も同様に、印刷動作移行フラグがオンに設定されているか否かを判断する（ステップＳ１６２２）。印刷動作移行フラグがオンになっていない場合、すなわち印刷動作移行フラグがオフに設定されている場合は（ステップＳ１６２２：Ｎｏ）、再度、ステップ１４１６に戻って処理を行う。
【０１８９】
一方、印刷動作移行フラグがオンに設定されている場合は（ステップＳ１６２２：Ｙｅｓ）、プリンタ部１１４０により印刷動作が開始されるが、画像処理部１３１３による印刷用の画像データの転送以降の処理および流れは（ステップＳ１６２３〜Ｓ１６２５）、図１２の第６の実施の形態で説明した処理および流れ（ステップＳ１２１４〜Ｓ１２１６）と同様である。
【０１９０】
このように、表示制御部１３３２は、スキャナ部１２０でスキャンした画像データをプレビュー画像として表示出力するプレビュー画像表示の要求を受け付けた場合、読取制御部１２２がスキャンした画像データをプレビュー画像転送ラインを介して操作表示部１３３０に転送し、表示制御部１３３２は、スキャナ部１２０から受信したスキャンした画像データをＬＣＤ１３３に表示出力する。従って、プレビュー画像表示の要求があった場合のみ、プレビュー画像を表示するため、プレビュー画像表示の要求を行わなければ、プレビュー画像表示機能を有さない複写機と同様の処理能力で印刷動作を行うことが可能であり、プレビュー画像表示機能の付加による機能劣化を防止することができ、機能性を向上させ作業効率を向上させる。このとき、読取制御部１２２から操作表示部１３３０への画像データの転送動作自体も停止させる構成とすると、装置の制御負荷の低減等、システムの安定性を増加させることができる。
【０１９１】
なお、複数枚の原稿を連続して印刷する場合に、印刷の向きの確認のため１枚目のみプレビュー画像を表示させたい場合には、２枚目の原稿以降の印刷動作ではプレビュー画像表示機能を有さない複写機と同等の処理能力で印刷動作を実行することができることになる。
【０１９２】
（第１０の実施の形態）
第８の実施の形態に複写機は、利用者によるプレビュー画像の詳細表示の要求があった場合に、本体部において画像処理された画像データを、プレビュー画像の詳細表示として表示するものであったが、第１０の実施の形態は、さらに、プレビュー画像を表示した後、所定時間内に次動作の指示がない場合は、予め定めた次動作を実行するものである。以下に、添付図面を参照して、第１０の実施の形態について説明する。
【０１９３】
第１０の実施の形態にかかる複写機の構成は、第７の実施の形態と同様であるため、図１３を参照して説明する。以下では、第８の実施の形態の複写機と異なる構成について説明する。
【０１９４】
表示制御部１３３２は、第８の実施の形態の表示制御部における機能に加えて、ＬＣＤ１３３にプレビュー画像を表示した後の所定時間内に印刷動作開始または印刷動作停止のいずれの要求も受け付けなかった場合に、読取制御部１２２により読み取った画像データをプリンタ部１１４０で印刷する印刷動作を開始する旨を予め設定する印刷動作開始設定、またはその印刷動作を停止する旨を予め設定する印刷動作停止設定を受け付け、ＨＤＤ１１４に保存するものである。
【０１９５】
ＨＤＤ１１４は、スキャナ部１２０から読み取った画像データ、画像処理部１３１３によって生成された印刷用の画像データ等、及び印刷動作開始設定または印刷動作停止設定のいずれかの設定を保存する記憶媒体である。
【０１９６】
画像処理部１３１３は、第８の実施の形態の画像処理部における機能に加えて、ＨＤＤ１１４を参照して印刷動作開始設定がなされている場合で、ＬＣＤ１３３にプレビュー画像を表示した後の所定時間内に印刷動作開始または印刷動作停止のいずれの要求も受け付けなかった場合に、印刷動作開始の要求および画像処理された印刷用の画像データをプリンタ部１１４０に転送する処理を行う。また、ＨＤＤ１１４を参照して印刷動作停止設定がなされている場合で、ＬＣＤ１３３にプレビュー画像を表示した後の所定時間内に印刷動作開始または印刷動作停止のいずれの要求も受け付けなかった場合に、印刷動作停止の要求をプリンタ部１１４０に転送し、画像処理された印刷用の画像データを画像メモリ１１２から削除する処理を行い、次動作に備えて待機状態に移行する。
【０１９７】
書込制御部１１４２は、本体部１１１０において生成された印刷用の画像データを受信して、印刷部１４１により印刷するなどの制御を行うものである。また、書込制御部１１４２は、ＬＣＤ１３３にプレビュー画像を表示した後に所定時間が経過し、予め定めた印刷動作開始設定に従って、本体部１３１０から印刷動作開始の要求および画像処理された印刷用の画像データを受信した場合に、受信した画像データの印刷動作を開始する。また、書込制御部１１４２は、ＬＣＤ１３３にプレビュー画像を表示した後に所定時間が経過し、予め定めた印刷動作停止設定に従って、本体部１３１０から印刷動作停止の要求を受信した場合で、本体部１３１０から受信した画像処理された印刷用の画像データの印刷動作を行っている場合は、その印刷動作を中断して停止し、次動作に備えて待機状態に移行する。
【０１９８】
次に、以上のように構成された本実施の形態にかかる複写機１３００により読み取った画像データの印刷を行う複写処理について説明する。図１７は、複写機１３００における複写処理の手順を示すフローチャートである。
【０１９９】
まず、表示制御部１３３２は、利用者によるＬＣＤ１３３にプレビュー画像を表示した後の所定時間内に印刷動作開始または印刷動作停止のいずれの要求も受け付けなかった場合に、印刷動作開始または印刷動作停止のいずれの動作を行うかの設定、すなわち印刷動作開始設定または印刷動作停止設定のいずれかの設定を予め受け付け、ＨＤＤ１１４に保存する。
【０２００】
そして、原稿を複写して印刷する場合、利用者は原稿をスキャナ部１２０に設置されているコンタクトガラスに載置する。読取制御部１２２におけるＣＣＤ１２１による載置された原稿のスキャンから、表示制御部１３３２によるプレビュー画像の表示までの処理および流れ（ステップＳ１７０１〜Ｓ１７０８）については、図１２の第６の実施の形態で説明した処理および流れ（ステップＳ１２０１〜Ｓ１２０８）と同様である。
【０２０１】
次に、画像処理部１３１３は、表示制御部１３３２によってＬＣＤ１３３にプレビュー画像が表示された後、所定の時間が経過したか否かの判断をする（ステップＳ１７０９）。所定の時間が経過していない場合（ステップＳ１７０９：Ｎｏ）、利用者によりＬＣＤ１３３に表示されたプレビュー画像が確認されたか否かの判断がなされる。すなわち、表示制御部１３３２は、利用者からの印刷動作開始の要求を受け付けたか否かの判断をすることによって、利用者によりプレビュー画像が確認されたか否かを判断する（ステップＳ１７１０）。表示制御部１１３２は、印刷動作開始の要求を受け付けた場合（ステップＳ１７１０：Ｙｅｓ）、プレビュー画像が確認されたことになり、印刷動作移行フラグをオンに設定する（ステップＳ１７１１）。
【０２０２】
一方、印刷動作開始の要求を受け付けなかった場合（ステップＳ１７１０：Ｎｏ）、プレビュー画像が確認されなかったことになり、表示制御部１３３２は、印刷動作停止の要求を受け付けたか否かを判断する（ステップＳ１７１２）。印刷動作停止の要求を受け付けた場合（ステップＳ１７１２：Ｙｅｓ）、印刷動作を強制停止する（ステップＳ１７１３）。すなわち、画像処理部１３１３は、印刷用の画像データを画像メモリ１１２から削除する処理を行い、次動作に備えて待機状態に移行する。また、書込制御部１１４０は、本体部１１１０から受信した印刷用の画像データの印刷動作を既に行っている場合は、その印刷動作を中断して停止し、次動作に備えて待機状態に移行する。
【０２０３】
また、ステップＳ１７０９に戻って、所定の時間が経過していた場合（ステップＳ１７０９：Ｙｅｓ）、画像処理部１３１３は、ＨＤＤ１１４を参照して印刷動作停止設定が保存されているか否かを判断する（ステップＳ１７１４）。印刷動作停止設定が保存されていなかった場合、すなわち、印刷動作開始設定が保存されていた場合（ステップＳ１７１４：Ｎｏ）、表示制御部１１３２は、印刷動作移行フラグをオンに設定する（ステップＳ１７１１）。
【０２０４】
一方、印刷動作停止設定が保存されていた場合（ステップＳ１７１４：Ｙｅｓ）、印刷動作を強制停止する（ステップＳ１７１３）。すなわち、画像処理部１３１３は、印刷用の画像データを画像メモリ１１２から削除する処理を行い、次動作に備えて待機状態に移行する。また、書込制御部１１４０は、本体部１１１０から受信した印刷用の画像データの印刷動作を既に行っている場合は、その印刷動作を中断して停止し、次動作に備えて待機状態に移行する。
【０２０５】
また、ステップＳ１７１２に戻って、印刷動作停止の要求を受け付けなかった場合の（ステップＳ１７１２：Ｎｏ）、表示制御部１３３２によるプレビュー画像の詳細表示の要求以降の処理および流れは（ステップＳ１７１５〜Ｓ１７２４）、図１５の第８の実施の形態で説明した処理および流れ（ステップＳ１５１３〜Ｓ１４２２）と同様である。
【０２０６】
このように、本実施の形態では、表示制御部１３３２が予め印刷動作を開始する印刷動作開始設定、または印刷動作を停止する印刷動作停止設定を受け付ける。そして、本体部１３１０は、印刷動作開始設定を受け付けた場合に所定時間が経過した場合、画像処理された印刷用の画像データをプリンタ部１１４０に転送し、プリンタ部１１４０は、本体部１３３０から受信した画像処理された印刷用の画像データの印刷動作を開始する。また、本体部１３１０は、印刷動作停止設定を受け付けた場合に所定時間が経過した場合、画像処理された画像データを削除し、プリンタ部１１４０は、画像処理された印刷用の画像データの印刷動作を停止する。従って、プレビュー画像を表示した後、次動作を要求せずに所定時間が経過した場合でも、印刷動作の開始もしくは印刷動作の停止のいずれかの次動作を行うため、複写機の動作が途中で放置されることなく最終動作を完了させて次の動作に備えることが可能となり、機能性を向上させ作業効率を向上させることができる。
【０２０７】
（第１１の実施の形態）
第１１の実施の形態では、本発明の画像形成装置をファクシミリ装置に適用した例を示す。以下に、添付図面を参照して、第１１の実施の形態について説明する。
【０２０８】
図１８は、第１１の実施の形態にかかるファクシミリ装置の構成を示すブロック図である。本実施の形態にかかるファクシミリ装置１８００は、原稿をスキャンして、スキャンした原稿の画像データを生成し、ファクシミリ送信するものであり、スキャナ部１２０と、本体部１８１０と、操作表示部１８３０と、ファクシミリ部１８４０とから構成されている。
【０２０９】
また、本体部１８１０とスキャナ部１２０は、第１の画像転送ライン１５１によって接続されており、本体部１８１０と操作表示部１８３０は、要求転送ライン１５２によって接続されており、さらに、本体部１８１０とファクシミリ部１８４０は、第３の画像転送ライン１５３によって接続されている。また、スキャナ部１２０と操作表示部１８３０は、プレビュー画像転送ライン１５０により本体部１８１０を経由せずに直接接続されている。
【０２１０】
ここで、スキャナ部１２０の構成及び機能は、第１の実施の形態の複写機におけるスキャナ部と同様であるので、説明を省略する。
【０２１１】
操作表示部１８３０は、利用者による設定入力の受付及びプレビュー画像等の画像データを表示出力するものであり、タッチパネル１３１と、表示制御部１８３２と、ＬＣＤ１３３とを主に備えている。また、操作表示部１８３０は、スキャナ部１２０により読み取った画像データを、本体部１８１０を経由しないプレビュー画像転送ライン１５０を介して直接受信し、プレビュー画像として表示出力する。
【０２１２】
ここで、タッチパネル１３１と、ＬＣＤ１３３の構成及び機能は、第１の実施の形態の複写機におけるタッチパネルとＬＣＤと同様であるので、説明を省略する。
【０２１３】
表示制御部１８３２は、利用者によってタッチパネル１３１に入力された情報を、要求転送ライン１５２を介して本体部１８１０に転送して、操作表示部１８３０の制御を行うものである。また、表示制御部１１３２は、利用者によるスキャナ部１２０によりスキャンした原稿の画像データのファクシミリ送信を開始する旨のファクシミリ送信動作開始の要求をタッチパネル１３１の「スタートボタン」等が押下されることによって受け付けると、送信動作移行フラグをオンに設定する。他方、利用者によるファクシミリ送信を停止する旨のファクシミリ送信動作停止の要求をタッチパネル１３１の「キャンセルボタン」等が押下されることによって受け付けると、送信動作移行フラグをオフに設定する。ここで、送信動作移行フラグとは、ファクシミリ送信動作に移行するか否かを判断するためのフラグであり、送信動作移行フラグがオンのときは、ファクシミリ送信動作に移行可能な状態を示し、送信動作移行フラグがオフのときは、ファクシミリ動作に移行しない状態を示すものである。また、送信動作移行フラグは、メモリ、ＨＤＤなどの記憶媒体に保存されている。
また、表示制御部１８３２は、プレビュー画像転送ライン１５０を介してスキャナ部１２０から受信したＲＧＢ形式の画像データをプレビュー画像としてＬＣＤ１３３に表示出力する。また、表示制御部１８３２は、データ処理を行うデータ処理部７３４を備えている。ここで、データ処理部７３４の構成及び機能は、第４の実施の形態の複写機におけるデータ処理部と同様であるので、説明を省略する。
【０２１４】
本体部１８１０は、スキャナ部１２０から読み取った画像データを受信して、操作表示部１８３０から利用者により入力された設定等の操作に従い画像処理、画像データの保存等を行うものであり、制御部１８１１と、ＨＤＤ１１４とを主に備えている。また、制御部１８１１は、スキャナ部１２０により読み取った画像データの画像処理などの制御を行うものであり、画像メモリ１１２と、画像処理部１８１３とを主に備えている。
【０２１５】
ＨＤＤ１１４は、スキャナ部１２０から読み取った画像データ、画像処理部１８１３によって生成されたファクシミリ送信用の画像データ等、及び送信動作移行フラグのオンまたはオフの設定を保存する記憶媒体である。
【０２１６】
ここで、画像メモリ１１２の構成及び機能は、第１の実施の形態の複写機における画像メモリと同様であるので、説明を省略する。
【０２１７】
画像処理部１８１３は、第１の実施の形態における画像処理部１１３と同様に、スキャナ部１２０から受信し、画像メモリ１１２に一時的に保存されたＲＧＢ形式の画像データから、ファクシミリ部１８４０におけるファクシミリ送信用の画像データを生成する処理等を行い、画像メモリ１１２に保存するものであり、利用者が設定した機能に対応した各種の画像処理やレイアウト加工処理を行う。
また、画像処理部１８１３は、送信動作移行フラグを参照して、操作表示部１８３０の表示制御部１８３２により送信動作移行フラグがオンに設定されている場合、その旨および上述したような画像処理を行ったファクシミリ送信用の画像データをファクシミリ部１４４０に転送する処理を行う。また、画像処理部１８１３は、送信動作移行フラグを参照して、操作表示部１８３０の表示制御部１８３２により送信動作移行フラグがオフに設定されている場合、その旨をファクシミリ部１８４０に転送し、上述したような画像処理を行ったファクシミリ送信用の画像データを画像メモリ１１２から削除する処理を行い、次動作に備えて待機状態に移行する。
【０２１８】
ファクシミリ部１８４０は、本体部１８１０によって生成されたファクシミリ送信用の画像データを受信して、受信した画像データを各宛先へファクシミリ送信するものである。また、ファクシミリ部１８４２は、操作表示部１８３０の表示制御部１８３２により送信動作移行フラグがオンに設定されている場合に、本体部１８１０から受信した画像処理されたファクシミリ送信用の画像データのファクシミリ送信動作を開始する。また、操作表示部１８３０の表示制御部１８３２により送信動作移行フラグがオフに設定されている場合に、本体部１８１０から受信した画像処理されたファクシミリ送信用の画像データのファクシミリ送信動作を行っている場合は、そのファクシミリ送信動作を中断して停止し、次動作に備えて待機状態に移行する。
【０２１９】
次に、以上のように構成された本実施の形態にかかるファクシミリ装置１８００により読み取った画像データのファクシミリ送信を行うファクシミリ送信処理について説明する。図１９は、ファクシミリ装置１８００におけるファクシミリ送信処理の手順を示すフローチャートである。
【０２２０】
まず、原稿を複写してファクシミリ送信する場合、利用者は原稿をスキャナ部１２０に設置されているコンタクトガラスに載置する。読取制御部１２２による原稿のスキャンから、表示制御部１８３２によるプレビュー画像の表示出力までの処理および流れは（ステップＳ１９０１〜１９０８）は、図１２の第６の実施の形態で説明した処理および流れ（ステップＳ１２０１〜Ｓ１２０８）と同様である。
【０２２１】
次に、利用者によりＬＣＤ１３３に表示されたプレビュー画像が確認されたか否かの判断がなされる。すなわち、表示制御部１８３２は、利用者からのファクシミリ送信動作開始の要求を受け付けたか否かの判断をすることによって、利用者によりプレビュー画像が確認されたか否かを判断する（ステップＳ１９０９）。ファクシミリ送信動作開始の要求を受け付けた場合（ステップＳ１９０９：Ｙｅｓ）、表示制御部１８３２は、プレビュー画像が確認されたことになり、送信動作移行フラグをオンに設定する（ステップＳ１９１０）。
【０２２２】
一方、ファクシミリ送信動作開始の要求を受け付けなかった場合（ステップＳ１９０９：Ｎｏ）、プレビュー画像が確認されなかったことになり、表示制御部１８３２は、ファクシミリ送信動作停止の要求を受け付けたか否かを判断する（ステップＳ１９１１）。ファクシミリ送信動作停止の要求を受け付けた場合（ステップＳ１９１１：Ｙｅｓ）、ファクシミリ送信動作を強制停止する（ステップＳ１９１２）。すなわち、本体部１８１０は、ファクシミリ送信用の画像データを画像メモリ１１２から削除する処理を行い、次動作に備えて待機状態に移行する。また、ファクシミリ部１８４０は、本体部１８１０から受信したファクシミリ送信用の画像データのファクシミリ送信動作を既に行っている場合は、そのファクシミリ送信動作を中断して停止し、次動作に備えて待機状態に移行する。一方、ファクシミリ送信動作停止の要求を受け付けなかった場合（ステップＳ１９１１：Ｎｏ）、ステップＳ１９０９に戻って、再度、プレビュー画像が確認されたか否かを判断する処理を行う。
【０２２３】
また、ステップＳ１９０４により画像データを画像メモリ１１２に保存した後、画像処理部１１１３は、ステップＳ１９１０における送信動作移行フラグがオンに設定されているか否かを判断する（ステップＳ１９１３）。送信動作移行フラグがオンになっていない場合、すなわち送信動作移行フラグがオフに設定されている場合は（ステップＳ１９１３：Ｎｏ）、再度、ステップ１９１３に戻って処理を行う。
【０２２４】
一方、送信動作移行フラグがオンに設定されている場合は（ステップＳ１９１３：Ｙｅｓ）、画像処理部１８１３は、読取制御部１２２によって読み込んだ画像データをファクシミリ送信するために、ステップＳ１９０４において画像メモリ１１２に保存したファクシミリ送信用の画像データをファクシミリ部１８４２に転送する（ステップＳ１９１４）。次に、ファクシミリ部１８４２は、画像処理部１８１３により転送された画像データを第３の画像転送ライン１５３を介して受信する（ステップＳ１９１５）。そして、ファクシミリ部１８４０は、受信した画像データを各宛先へファクシミリ送信する（ステップＳ１９１６）。
【０２２５】
このように、本実施の形態では、表示制御部１１３２によりプレビュー画像を表示出力した後、利用者から本体部１１１０で画像処理されたファクシミリ送信用の画像データのファクシミリ送信動作開始の要求を受け付けた場合に、画像処理部１１１３は、画像処理されたファクシミリ送信用の画像データをファクシミリ部１８４０に転送し、ファクシミリ部１８４０は、本体部１１１０から受信した画像データのファクシミリ送信動作を開始する。また、表示制御部１１３２によりプレビュー画像を表示出力した後、利用者から本体部１１１０で画像処理されたファクシミリ送信用の画像データのファクシミリ送信動作停止の要求を受け付けた場合に、画像処理部１１１３は、画像処理されたファクシミリ送信用の画像データを削除し、ファクシミリ部１８４２は、画像データのファクシミリ送信動作を行っている場合は、そのファクシミリ送信動作を停止する。
従って、プレビュー画像が表示されて確認した後にファクシミリ送信動作開始の要求ができるため、確実にプレビュー画像の確認後にファクシミリ送信動作を開始することができ、機能性を向上させ作業効率を向上させることができる。また、プレビュー画像が表示されて確認した後にファクシミリ送信動作停止の要求ができるため、ファクシミリ送信される画像が所望する方向ではなかった場合などに、画像データの画像処理中やファクシミリ送信中であっても処理を中断でき、機能性を向上させ作業効率を向上させることができる。
【０２２６】
図２０は、本実施の形態にかかる複合機１００、３００、５００、７００、９００、１１００、１３００のハードウェア構成を示すブロック図である。本図に示すように、この複合機１００、３００、５００、７００、９００、１１００、１３００は、コントローラ１０とエンジン部（Engine）６０とをＰＣＩ（Peripheral Component Interconnect）バスで接続した構成となる。コントローラ１０は、複合機１全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【０２２７】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂとをさらに有する。
【０２２８】
ＣＰＵ１１は、複合機１００、３００、５００、７００、９００、１１００、１３００の全体制御をおこなうものであり、ＮＢ１３、ＭＥＭ−Ｐ１２およびＳＢ１４からなるチップセットを有し、このチップセットを介して他の機器と接続される。
【０２２９】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【０２３０】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【０２３１】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【０２３２】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。操作表示部２０はＡＳＩＣ１６に直接接続されている。
【０２３３】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【０２３４】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【０２３５】
なお、本実施の形態の複合機１００、３００、５００、７００、９００、１１００、１３００で実行されるプレビュー画像表示プログラムは、ＲＯＭ等に予め組み込まれて提供される。
【０２３６】
本実施の形態の複合機１００、３００、５００、７００、９００、１１００、１３００で実行されるプレビュー画像表示プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【０２３７】
さらに、本実施の形態の複合機１００、３００、５００、７００、９００、１１００、１３００装置で実行されるプレビュー画像表示プログラムを、インターネット等のネットワークに接続されたコンピュータ上に格納し、ネットワーク経由でダウンロードさせることにより提供するように構成しても良い。また、本実施の形態の複合機１００、３００、５００、７００、９００、１１００、１３００装置で実行されるプレビュー画像表示プログラムをインターネット等のネットワーク経由で提供または配布するように構成しても良い。
【０２３８】
本実施の形態の複合機１００、３００、５００、７００、９００、１１００、１３００装置で実行されるプレビュー画像表示プログラムは、上述した各部（読取制御部１２２、３２２、５２２、表示制御部１３２、７３２、１１３２、１３１２、画像処理部１１３、１１１３、１３１３、書込制御部１４２、１１４２）を含むモジュール構成となっており、実際のハードウェアとしてはＣＰＵ（プロセッサ）が上記ＲＯＭからプレビュー画像表示プログラムを読み出して実行することにより上記各部が主記憶装置上にロードされ、読取制御部１２２、３２２、５２２、表示制御部１３２、７３２、１１３２、１３１２、画像処理部１１３、１１１３、１３１３、書込制御部１４２、１１４２が主記憶装置上に生成されるようになっている。
【図面の簡単な説明】
【０２３９】
【図１】第１の実施の形態にかかる複写機の構成を示すブロック図である。
【図２】第１の実施の形態にかかる複写機における複写処理の手順を示すフローチャートである。
【図３】第２の実施の形態にかかる複写機の構成を示すブロック図である。
【図４】第２の実施の形態にかかる複写機における複写処理の手順を示すフローチャートである。
【図５】第３の実施の形態にかかる複写機の構成を示すブロック図である。
【図６】第３の実施の形態にかかる複写機における複写処理の手順を示すフローチャートである。
【図７】第４の実施の形態にかかる複写機の構成を示すブロック図である。
【図８】第４の実施の形態にかかる複写機における複写処理の手順を示すフローチャートである。
【図９】第５の実施の形態にかかる複写機の構成を示すブロック図である。
【図１０−１】第５の実施の形態にかかる複写機における複写処理の手順を示すフローチャートである。
【図１０−２】第５の実施の形態にかかる複写機における複写処理の手順を示すフローチャート（続き）である。
【図１１】第６の実施の形態にかかる複写機の構成を示すブロック図である。
【図１２】第６の実施の形態にかかる複写機における複写処理の手順を示すフローチャートである。
【図１３】第７の実施の形態にかかる複写機の構成を示すブロック図である。
【図１４】第７の実施の形態にかかる複写機における複写処理の手順を示すフローチャートである。
【図１５】第８の実施の形態にかかる複写機における複写処理の手順を示すフローチャートである。
【図１６】第９の実施の形態にかかる複写機における複写処理の手順を示すフローチャートである。
【図１７】第１０の実施の形態にかかる複写機における複写処理の手順を示すフローチャートである。
【図１８】第１１の実施の形態にかかるファクシミリ装置の構成を示すブロック図である。
【図１９】第１１の実施の形態にかかるファクシミリ装置におけるファクシミリ送信処理の手順を示すフローチャートである。
【図２０】本実施の形態にかかる複合機のハードウェア構成を示すブロック図である。
【符号の説明】
【０２４０】
１００、３００、５００、７００、９００、１１００、１３００  複写機
１１０、１１１０、１３１０、１８１０  本体部
１１１、１１１１、１３１１、１８１１  制御部
１１２  画像メモリ
１１３、１１１３、１３１３、１８１３  画像処理部
１１４  ＨＤＤ
１２０、３２０、５２０  スキャナ部
１２１  ＣＣＤ
１２２、３２２、５２２  読取制御部
１３０、７３０、１１３０、１３３０、１８３０  操作表示部
１３１  タッチパネル
１３２、７３２、１１３２、１３３２、１８３２  表示制御部
１３３  ＬＣＤ
１４０、１１４０  プリンタ部
１４１  印刷部
１４２、１１４２  書込制御部
１５０、３５０、５５０  プレビュー画像転送ライン
１５１、３５１、５５１  第１の画像転送ライン
１５２  要求転送ライン
１５３  第３の画像転送ライン
５２３、７３４  データ処理部
９５３  第２の画像転送ライン
１８００  ファクシミリ装置
１８４０  ファクシミリ部
【図１】
2006345496.tif 000003
【図２】
2006345496.tif 000004
【図３】
2006345496.tif 000005
【図４】
2006345496.tif 000006
【図５】
2006345496.tif 000007
【図６】
2006345496.tif 000008
【図７】
2006345496.tif 000009
【図８】
2006345496.tif 000010
【図９】
2006345496.tif 000011
【図１０−１】
2006345496.tif 000012
【図１０−２】
2006345496.tif 000013
【図１１】
2006345496.tif 000014
【図１２】
2006345496.tif 000015
【図１３】
2006345496.tif 000016
【図１４】
2006345496.tif 000017
【図１５】
2006345496.tif 000018
【図１６】
2006345496.tif 000019
【図１７】
2006345496.tif 000020
【図１８】
2006345496.tif 000021
【図１９】
2006345496.tif 000022
【図２０】
2006345496.tif 000023
【手続補正書】
【提出日】平成18年5月22日(2006.5.22)
【手続補正１】
【補正対象書類名】明細書
【補正対象項目名】全文
【補正方法】変更
【補正の内容】
【発明の詳細な説明】
【技術分野】
【０００１】
本発明は、原稿をスキャンして、スキャンした原稿の画像データを生成し、画像出力する画像形成装置に関するものであり、特に、スキャンした画像データをプレビュー画像として表示出力する画像形成装置及びプレビュー画像表示方法に関する。
【背景技術】
【０００２】
従来、利用者により載置された原稿をスキャンして、スキャンした原稿の画像データを出力する過程において、利用者の要求に応じて原稿の画像データを印刷前にプレビュー画像として操作表示部に表示する複写機などの画像形成装置が一般に知られている。
【０００３】
また、プリンタにおいて複数頁のプレビュー画像を平行して生成することにより、プレビュー処理を高速化する技術が開示されている（例えば、特許文献１参照）。また、スキャナ装置で解像度あるいは階調数の異なる複数の画像データを生成して、低解像度あるいは低階調の画像データに基づきプレビュー表示処理を高速に行う技術も開示されている（例えば、特許文献２参照）。
【０００４】
【特許文献１】特開平１１−２０３０９９号公報
【特許文献２】特開平１１−２８９４１６号公報
【発明の開示】
【発明が解決しようとする課題】
【０００５】
しかし、従来の画像形成装置でプレビュー画像を表示する場合は、スキャナ部によりスキャンした原稿の画像データを画像処理等を行う本体部に送信し、本体部で受信した画像データからプレビュー画像を生成し、生成されたプレビュー画像を操作表示部に送信して表示していた。この場合、スキャナ部によってスキャンした画像データはＲＧＢ形式のデータであるが、画像データを印刷するために最終的に生成される画像データは、書き込み用のフォーマットであるＣＭＹＫ形式のデータや一般的な画像フォーマットであるＪＰＥＧ形式のデータなどである。
【０００６】
このため、本体部では、スキャナ部によりスキャンしたＲＧＢ形式の画像データをＣＭＹＫ形式のデータやＪＰＥＧ形式のデータに変換する。そして、利用者によりプレビュー画像を要求された場合は、プレビュー画像として表示するためのフォーマットであるＲＧＢ形式のデータに戻すために、画像データを再生成することになる。よって、データ形式変換した後に元のデータ形式に戻してプレビュー画面を表示することになるため、利用者がプレビュー画像を要求してから表示されるまでに時間が掛かり、作業効率を低下させるという問題があった。
【０００７】
また、上記特許文献１の技術では、プレビュー画像を表示する表示装置部（操作表示部）がプリンタに設けられておらず、ネットワーク上のホストＰＣ（Personal Computer）でプレビュー画像を表示する。即ち、プリンタ本体で行われる画像処理の中でプレビュー画像が生成され、ネットワークを介してホストＰＣに送信されて、表示装置部に表示されることになるため、利用者がプレビュー画像を要求してから表示されるまでに時間が掛かり、作業効率を低下させるという問題があった。
【０００８】
また、上記特許文献２の技術でも、プレビュー画像を表示する表示部（操作表示部）が設けられておらず、ネットワーク上のコンピュータでプレビュー画像を表示する。即ち、上記特許文献１の技術と同様に、プレビュー画像はネットワークを介してコンピュータで表示されることになるため、利用者がプレビュー画像を要求してから表示されるまでに時間が掛かり、作業効率を低下させるという問題があった。
【０００９】
本発明は、上記に鑑みてなされたものであって、原稿をスキャンしてからプレビュー画像が表示されるまでの時間を短縮でき、利用者を長時間待たせることがなく操作性を向上させ作業効率を向上させる画像形成装置及びプレビュー画像表示方法を得ることを目的とする。
【課題を解決するための手段】
【００１０】
上述した課題を解決し、目的を達成するために、請求項１にかかる発明は、原稿をスキャンして、スキャンした原稿の画像データを生成するスキャナ手段と、利用者による操作入力および利用者に対して画像を表示出力する表示部（ＬＣＤ）を備えた操作表示手段と、前記画像データに対する画像処理を行う本体部と、前記スキャナ手段と前記本体部とを接続する第１の画像転送手段と、前記スキャナ手段と前記操作表示手段とを、前記本体部を介さずに直接接続するプレビュー画像転送手段と、を備え、前記スキャナ手段は、前記画像データを前記第１の画像転送手段を介して前記本体部に転送するとともに、前記画像データを前記プレビュー画像転送手段を介して前記操作表示手段に転送し、前記操作表示手段は、前記スキャナ手段から受信した前記画像データを前記スキャンした原稿のプレビュー画像として前記表示部に表示出力すること、を特徴とする画像形成装置である。
【００１１】
また、請求項２にかかる発明は、請求項１に記載の画像形成装置において、前記プレビュー画像転送手段は、前記第１の画像転送手段から分岐して前記操作表示手段と接続されていること、を特徴とする。
【００１２】
また、請求項３にかかる発明は、請求項１に記載の画像形成装置において、前記スキャナ手段の内部に設けられ、前記画像データの生成及び送受信の制御を行う読取制御手段を備え、前記読取制御手段は、前記画像データから前記プレビュー画像を生成するデータ処理手段を有し、前記データ処理手段によって生成されたプレビュー画像を、前記プレビュー画像転送手段を介して前記操作表示手段に転送すること、を特徴とする。
【００１３】
また、請求項４にかかる発明は、請求項１または２に記載の画像形成装置において、前記操作表示手段の内部に設けられ、前記画像データの受信及び表示出力の制御を行う表示制御手段を備え、前記表示制御手段は、前記スキャナ手段から前記プレビュー画像転送手段を介して受信した前記画像データから前記プレビュー画像を生成するデータ処理手段を有し、前記データ処理手段によって生成されたプレビュー画像を前記表示部に表示出力すること、を特徴とする。
【００１４】
また、請求項５にかかる発明は、請求項１〜４のいずれか一つに記載の画像形成装置において、前記操作表示手段は、利用者から前記本体部で画像処理された前記画像データをプレビュー画像として表示出力する詳細表示の要求を受け付け、前記操作表示手段と前記本体部を接続して、前記本体部から前記操作表示手段に、前記画像処理された前記画像データを転送する第２の画像転送手段とを備え、前記本体部は、前記操作表示手段によって前記詳細表示の要求を受け付けた場合、前記画像処理された前記画像データを、前記第２の画像転送手段を介して前記操作表示手段に転送し、前記操作表示手段は、前記本体部から受信した前記画像処理された前記画像データを前記表示部に表示出力すること、を特徴とする。
【００１５】
また、請求項６にかかる発明は、請求項１〜５のいずれか一つに記載の画像形成装置において、前記操作表示手段は、前記スキャナ手段でスキャンした前記画像データをプレビュー画像として表示出力するプレビュー画像表示の要求を受け付け、前記スキャナ手段は、前記操作表示手段によって前記プレビュー画像表示の要求を受け付けた場合、スキャンした前記画像データを前記プレビュー画像転送手段を介して前記操作表示手段に転送し、前記操作表示手段は、前記スキャナ手段から受信したスキャンした前記画像データを前記表示部に表示出力すること、を特徴とする。
【００１６】
また、請求項７にかかる発明は、請求項１〜６のいずれか一つに記載の画像形成装置において、前記画像データを画像出力する画像出力手段をさらに備え、前記操作表示手段は、さらに、利用者から前記本体部で画像処理された前記画像データの画像出力動作を開始する画像出力動作開始の要求を受け付け、前記本体部は、前記操作表示手段によって前記画像出力動作開始の要求を受け付けた場合、前記画像処理された前記画像データを前記画像出力手段に転送し、前記画像出力手段は、前記操作表示手段によって前記画像出力動作開始の要求を受け付けた場合、前記本体部から受信した前記画像処理された前記画像データの画像出力動作を開始すること、を特徴とする。
【００１７】
また、請求項８にかかる発明は、請求項７に記載の画像形成装置において、前記操作表示手段は、さらに、前記画像処理された前記画像データの画像出力動作を停止する画像出力動作停止の要求を受け付け、前記本体部は、前記操作表示手段によって前記画像出力動作停止の要求を受け付けた場合、前記画像処理された前記画像データを削除し、前記画像出力手段は、前記操作表示手段によって前記画像出力動作停止の要求を受け付けた場合、前記画像処理された前記画像データの画像出力動作を停止すること、を特徴とする。
【００１８】
また、請求項９にかかる発明は、請求項８に記載の画像形成装置において、前記操作表示手段は、画像出力動作を開始する画像出力動作開始設定、または画像出力動作を停止する画像出力動作停止設定を受け付け、前記本体部は、さらに、前記画像出力動作開始設定を受け付けた場合に所定時間が経過した場合、前記画像処理された前記画像データを前記画像出力手段に転送し、前記画像出力動作停止設定を受け付けた場合に前記所定時間が経過した場合、前記画像処理された前記画像データを削除し、前記画像出力手段は、さらに、前記画像出力動作開始設定を受け付けた場合に前記所定時間が経過した場合、前記本体部から受信した前記画像処理された前記画像データの画像出力動作を開始し、前記画像出力動作停止設定を受け付けた場合に前記所定時間が経過した場合、前記画像処理された前記画像データの画像出力動作を停止すること、を特徴とする。
【００１９】
また、請求項１０にかかる発明は、請求項７〜９のいずれか一つに記載の画像形成装置において、前記画像出力手段は、前記画像データを印刷するプリンタ部を含むこと、を特徴とする。
【００２０】
また、請求項１１にかかる発明は、請求項７〜９のいずれか一つに記載の画像形成装置において、前記画像出力手段は、前記画像データをファクシミリ送信するファクシミリ部を含むこと、を特徴とする。
【００２１】
また、請求項１２にかかる発明は、原稿をスキャンするスキャナ手段と画像データに対する画像処理を行う本体部とを接続する第１の画像転送手段を介して、前記スキャナ手段によってスキャンした原稿の画像データを前記本体部に転送するとともに、前記画像データを前記スキャナ手段と画像を表示する操作表示手段とを直接接続するプレビュー画像転送手段を介して前記操作表示手段に転送する転送ステップと、前記スキャナ手段から受信した前記画像データをスキャンした原稿のプレビュー画像として表示部に表示出力する表示ステップと、を含むことを特徴とするプレビュー画像表示方法である。
【発明の効果】
【００２２】
請求項１にかかる発明によれば、スキャナ手段によって、スキャンした原稿の画像データを、第１の画像転送手段を介して画像データに対する画像処理を行う本体部に転送するとともに、スキャンした原稿の画像データを、プレビュー画像転送手段を介して操作表示手段に転送し、操作表示手段によって、スキャナ手段から受信した画像データをスキャンした原稿のプレビュー画像として表示部に表示出力する。
【００２３】
このため、スキャナ手段により読み取った画像データを本体部に転送し、本体部において画像データの処理をした後、その画像データを操作表示手段に転送してプレビュー画像を表示する画像形成装置に比べ、プレビュー画像の表示と画像出力用の画像データの処理を同時に行うことができる。従って、スキャナ手段により原稿を読み取ってから、プレビュー画像として操作表示手段により表示されるまでの時間を短縮することができ、利用者を長時間待たせることがなく操作性を向上させ作業効率を向上させるという効果を奏する。
【００２４】
また、スキャナ手段で読み取ったデータを操作表示手段に直接転送するため、読取データと表示データが同一データであることを活用できる。即ち、スキャナ手段によってスキャンした画像データを再生成する必要がなく、ＲＧＢ形式のデータのまま操作表示手段に転送し、プレビュー画像として表示できる。従って、プレビュー画像の生成のためにデータフォーマットのＲＧＢ形式のデータからＣＭＹＫ形式やＪＰＥＧ形式のデータへの変換や、ＣＭＹＫ形式やＪＰＥＧ形式のデータからＲＧＢ形式のデータへの再変換などの複雑な制御を行う必要がなく、簡易な制御でプレビュー画像表示機能を実現でき、プレビュー画像の表示までの時間を短縮することができるという効果を奏する。
【００２５】
また、請求項２にかかる発明によれば、プレビュー画像転送手段は、第１の画像転送手段から分岐して操作表示手段に接続されている。従って、スキャナ手段から本体部及び操作表示手段へ同一の画像データが転送されるため、スキャナ手段の構成は画像データ送信機能以外、既存のシステムをそのまま流用することができ、利用者の無駄な出費を防止することができるという効果を奏する。
【００２６】
また、請求項３にかかる発明によれば、スキャナ手段の内部に設けられた読取制御手段によって、画像データの生成及び送受信の制御を行う。さらに、読取制御手段は、画像データからプレビュー画像を生成するデータ処理手段を有し、データ処理手段によって生成されたプレビュー画像を、プレビュー画像転送手段を介して操作表示手段に転送する。
【００２７】
このため、スキャナ手段内部にあるデータ処理手段によって、本体部転送用の画像データ及び操作表示手段用のプレビュー画像としての画像データをそれぞれ別個に生成する。よって、本体部に送信する画像データより、操作表示手段に転送するプレビュー画像としての画像データの方が、少量のデータ量ですむことを考慮すると、プレビュー画像用に個別に画像データを生成することで、操作表示手段へ適切なデータ量のみを転送することができることになる。従って、必要以上に多量な画像データを転送することによる転送時間の遅延、転送時の画像データの破壊のリスク、操作表示手段におけるデータ処理時間の遅延等の問題を解消することができるとともに、スキャナ手段により原稿を読み取ってから、プレビュー画像として操作表示手段により表示されるまでの時間を短縮することができるという効果を奏する。
【００２８】
また、本体部によって印刷用に処理される画像データよりも単純間引きにより解像度、分解能等を下げてプレビュー画像を生成することによって、複雑な制御等を付加することが不要となり、スキャナ手段により原稿を読み取ってから、プレビュー画像として操作表示手段により表示されるまでの時間を短縮することができ、作業効率を向上させるという効果を奏する。
【００２９】
また、請求項４にかかる発明によれば、操作表示手段の内部に設けられた表示制御手段によって、画像データの受信及び表示出力の制御を行う。さらに、表示制御手段は、スキャナ手段からプレビュー画像転送手段を介して受信した画像データからプレビュー画像を生成するデータ処理手段を有し、データ処理手段によって生成されたプレビュー画像を表示部に表示出力する。このため、データ処理手段による処理によって、表示部に応じた適切な画像サイズ及び分解能でのプレビュー画像表示が可能となる。また、データの生成量を任意に設定できる構成とすれば、プレビュー画像の拡大、縮小等の機能も簡易に付加することができ、作業効率を向上させるという効果を奏する。
【００３０】
また、請求項５にかかる発明によれば、操作表示手段によって、利用者から本体部で画像処理された画像データをプレビュー画像として表示出力する詳細表示の要求を受け付け、本体部によって、操作表示手段により詳細表示の要求を受け付けた場合、画像処理された画像データを、操作表示手段と本体部を接続する第２の画像転送手段を介して操作表示手段に転送し、操作表示手段によって、本体部から受信した画像処理された画像データを前記表示部に表示出力する。
【００３１】
このため、利用者によるプレビュー画像の詳細表示の要求がなされた場合に、本体部により画像処理がなされた画像データを詳細画像として表示することが可能となる。また、本体部によって画像処理がなされた画像出力用の画像データや、本体部に保存されている画像データを操作表示手段に表示することも可能となり、従来の画像形成装置の機能を劣化させることがない。従って、高レベルでの画像確認が可能となり、機能性を向上させることができつつ、スキャナ手段により原稿を読み取ってから、プレビュー画像として操作表示手段により表示されるまでの時間を短縮することができ、利用者を長時間待たせることがなく、利便性を向上させ作業効率を向上させることができる。また、プレビュー画像の詳細表示の要求があった場合のみ、画像処理がなされた画像出力用の画像データを表示するため、システムの安定性を増加することができるという効果を奏する。
【００３２】
また、請求項６にかかる発明によれば、操作表示手段によって、スキャナ手段でスキャンした画像データをプレビュー画像として表示出力するプレビュー画像表示の要求を受け付け、スキャナ手段によって、操作表示手段によりプレビュー画像表示の要求を受け付けた場合、スキャンした画像データをプレビュー画像転送手段を介して操作表示手段に転送し、操作表示手段によって、スキャナ手段から受信したスキャンした画像データを表示部に表示出力する。従って、プレビュー画像表示の要求があった場合のみ、プレビュー画像を表示するため、プレビュー画像表示の要求を行わなければ、プレビュー画像表示機能を有さない装置と同様の処理能力で画像出力を行うことが可能であるため、プレビュー画像表示機能の付加による機能劣化を防止することができ、機能性を向上させ作業効率を向上させるという効果を奏する。
【００３３】
また、請求項７にかかる発明によれば、操作表示手段によって、利用者から本体部で画像処理された画像データの画像出力動作を開始する画像出力動作開始の要求を受け付け、本体部によって、操作表示手段により画像出力動作開始の要求を受け付けた場合、画像処理された画像データを画像出力手段に転送し、画像出力手段によって、操作表示手段により画像出力動作開始の要求を受け付けた場合、本体部から受信した画像処理された画像データの画像出力動作を開始する。従って、プレビュー画像が表示されて確認した後に画像出力動作開始の要求ができ、確実にプレビュー画像の確認後に画像出力動作を開始することができるため、機能性を向上させ作業効率を向上させることができるという効果を奏する。
【００３４】
また、請求項８にかかる発明によれば、操作表示手段によって、画像処理された画像データの画像出力動作を停止する画像出力動作停止の要求を受け付け、本体部によって、操作表示手段により画像出力動作停止の要求を受け付けた場合、画像処理された画像データを削除し、画像出力手段によって、操作表示手段により画像出力動作停止の要求を受け付けた場合、画像処理された画像データの画像出力動作を停止する。従って、プレビュー画像が表示されて確認した後に画像出力動作停止の要求ができ、所望する画像出力の方向とは異なる場合などに、画像処理中や画像出力中であっても処理を中断できるため、機能性を向上させ作業効率を向上させることができるという効果を奏する。
【００３５】
また、請求項９にかかる発明によれば、操作表示手段によって、画像出力動作を開始する画像出力動作開始設定、または画像出力動作を停止する画像出力動作停止設定を受け付け、本体部によって、画像出力動作開始設定を受け付けた場合に所定時間が経過した場合、画像処理された画像データを画像出力手段に転送し、画像出力動作停止設定を受け付けた場合に所定時間が経過した場合、画像処理された画像データを削除し、画像出力手段によって、画像出力動作開始設定を受け付けた場合に所定時間が経過した場合、本体部から受信した画像処理された画像データの画像出力動作を開始し、画像出力動作停止設定を受け付けた場合に所定時間が経過した場合、画像処理された画像データの画像出力動作を停止する。従って、プレビュー画像を表示した後、次動作を要求せずに所定時間が経過した場合でも、画像出力動作の開始もしくは画像出力動作の停止の次動作を行い、装置の動作が途中で放置されることなく最終動作を完了させることができるため、機能性を向上させ作業効率を向上させることができるという効果を奏する。
【００３６】
また、請求項１０にかかる発明によれば、画像出力手段が画像データを印刷するプリンタ部を含む構成となっている。従って、プレビュー画像の表示と印刷用の画像データの処理を同時に行うことができ、スキャナ手段により原稿を読み取ってから、プレビュー画像として操作表示手段により表示されるまでの時間を短縮することができ、利用者を長時間待たせることがなく操作性を向上させ作業効率を向上させるプリンタ部を含む画像形成装置を提供することができるという効果を奏する。
【００３７】
また、請求項１１にかかる発明によれば、画像出力手段が画像データをファクシミリ送信するファクシミリ部を含む構成となっている。従って、プレビュー画像の表示とファクシミリ送信用の画像データの処理を同時に行うことができ、スキャナ手段により原稿を読み取ってから、プレビュー画像として操作表示手段により表示されるまでの時間を短縮することができ、利用者を長時間待たせることがなく操作性を向上させ作業効率を向上させるファクシミリ部を含む画像形成装置を提供することができるという効果を奏する。
【００３８】
また、請求項１２にかかる発明によれば、転送ステップによって、原稿をスキャンするスキャナ手段と画像データに対する画像処理を行う本体部とを接続する第１の画像転送手段を介して、スキャナ手段によってスキャンした原稿の画像データを本体部に転送するとともに、画像データをスキャナ手段と画像を表示する操作表示手段とを直接接続するプレビュー画像転送手段を介して操作表示手段に転送し、表示ステップによって、スキャナ手段から受信した画像データをスキャンした原稿のプレビュー画像として表示部に表示出力する。
【００３９】
このため、スキャナ手段により読み取った画像データを本体部に転送し、本体部において画像データの処理をした後、その画像データを操作表示手段に転送してプレビュー画像を表示する画像形成装置に比べ、プレビュー画像の表示と画像出力用の画像データの処理を同時に行うことができる。従って、スキャナ手段により原稿を読み取ってから、プレビュー画像として操作表示手段により表示されるまでの時間を短縮することができ、利用者を長時間待たせることがなく操作性を向上させ作業効率を向上させるという効果を奏する。
【００４０】
また、スキャナ手段で読み取ったデータを操作表示手段に直接転送するため、読取データと表示データが同一データであることを活用できる。即ち、スキャナ手段によってスキャンした画像データを再生成する必要がなく、ＲＧＢ形式の画像データのまま操作表示手段に転送し、プレビュー画像として表示できる。従って、データフォーマットの生成などの複雑な制御を付加する必要がなく、簡易な制御構成でプレビュー画像表示機能を実現でき、プレビュー画像の表示までの時間を短縮することができるという効果を奏する。
【発明を実施するための最良の形態】
【００４１】
以下に添付図面を参照して、この発明にかかる画像形成装置及びプレビュー画像表示方法の最良な実施の形態を詳細に説明する。以下の実施の形態では、本発明の画像形成装置を複写機に適用した例を示す。但し、複写機に限られず、プリンタ、ファクシミリ等の画像形成処理を行うものであれば、本発明を適用することができる。
【００４２】
（第１の実施の形態）
図１は、本発明の第１の実施の形態にかかる複写機の構成を示すブロック図である。本実施の形態にかかる複写機１００は、原稿をスキャンして、スキャンした原稿の画像データを生成し、印刷するものであり、スキャナ部１２０と、本体部１１０と、操作表示部１３０と、プリンタ部１４０とから構成されている。
【００４３】
また、本体部１１０とスキャナ部１２０は、第１の画像転送ライン１５１により接続されており、本体部１１０と操作表示部１３０は、要求転送ライン１５２により接続されており、さらに、本体部１１０とプリンタ部１４０は、第３の画像転送ライン１５３により接続されている。また、スキャナ部１２０と操作表示部１３０は、プレビュー画像転送ライン１５０により本体部１１０を経由せずに直接接続されている。
【００４４】
スキャナ部１２０は、利用者によって載置された原稿をスキャンして読み取るものであり、ＣＣＤ（Charge Coupled Device）１２１と、読取制御部１２２とを主に備えている。
【００４５】
ＣＣＤ１２１は、スキャナ部１２０に設置されている図示しないコンタクトガラス上に利用者によって載置された原稿に対して光を照射し、その反射光を光電変換して原稿画像をＲＧＢ形式の画像データとして読み取るものである。
【００４６】
読取制御部１２２は、ＣＣＤ１２１により読み取った画像データを第１の画像転送ライン１５１を介して本体部１１０に転送して、スキャナ部１２０の制御を行うものである。また、読取制御部１２２は、ＣＣＤ１２１により読み取った画像データを、本体部１１０を経由せずにプレビュー画像転送ライン１５０を介して操作表示部１３０に転送する。
【００４７】
本体部１１０は、スキャナ部１２０から読み取った画像データを受信して、操作表示部１３０から利用者により入力された設定等の操作に従い画像処理、画像データの保存等を行うものであり、制御部１１１と、ＨＤＤ（Hard Disk Drive）１１４とを主に備えている。また、制御部１１１は、スキャナ部１２０により読み取った画像データの画像処理などの制御を行うものであり、画像メモリ１１２と、画像処理部１１３とを主に備えている。
【００４８】
ＨＤＤ１１４は、スキャナ部１２０から読み取った画像データ、画像処理部１１３によって生成された印刷用の画像データ等を保存する記憶媒体である。
【００４９】
画像メモリ１１２は、スキャナ部１２０から読み取った画像データ、画像処理部１１３により生成された画像データなどを、画像処理等のために一時的に保存する記憶媒体である。
【００５０】
画像処理部１１３は、スキャナ部１２０から受信し画像メモリ１１２に一時的に保存されたＲＧＢ形式の画像データから、プリンタ部１４０における印刷用のＣＭＹＫ形式やＪＰＥＧ形式などの画像データを生成する処理等を行い、画像メモリ１１２に保存するものである。また、画像処理部１１３は、利用者が設定した機能に対応した各種の画像処理（解像度の変更、拡大／縮小、濃度／色の調整など）やレイアウト加工処理（両面印刷／片面印刷、集約印刷、余白サイズの調整など）を行う。
【００５１】
操作表示部１３０は、利用者による設定入力の受付及びプレビュー画像等の画像データを表示出力するものであり、タッチパネル１３１と、表示制御部１３２と、ＬＣＤ（Liquid Crystal Display）１３３とを主に備えている。また、操作表示部１３０は、スキャナ部１２０により読み取った画像データを、本体部１１０を経由しないプレビュー画像転送ライン１５０を介して直接受信し、プレビュー画像として表示出力する。
【００５２】
タッチパネル１３１は、キー及びＬＥＤ（Light Emitting Diode）等から構成されている入力画面であり、利用者が指等でキーを押下することにより設定操作を行うものである。
【００５３】
表示制御部１３２は、利用者によってタッチパネル１３１に入力された印刷指示等の情報を、要求転送ライン１５２を介して本体部１１０に転送し、操作表示部１３０の制御を行うものである。また、表示制御部１３２は、プレビュー画像転送ライン１５０を介してスキャナ部１２０から受信したＲＧＢ形式の画像データをプレビュー画像としてＬＣＤ１３３に表示出力するものである。
【００５４】
ＬＣＤ１３３は、文字や画像を表示する液晶画面であり、スキャナ部１２０によってスキャンした画像のプレビュー画像や、利用者からの設定入力を行わせる各種ボタン、キーなどを表示するものである。
【００５５】
プリンタ部１４０は、本体部１１０によって生成された印刷用の画像データを受信して、印刷するものであり、印刷部１４１と、書込制御部１４２とを主に備えている。
【００５６】
印刷部１４１は、本体部１１０における画像処理部１１３により生成された画像データに基づいて光ビームを偏向走査させ、感光体上に形成した静電潜像にトナーを使って現像し、生成されたトナー画像を転写紙に転写して、定着処理を行って画像データを印刷するものである。
【００５７】
書込制御部１４２は、本体部１１０において生成された印刷用の画像データを受信して、印刷部１４１により印刷するなどの制御を行うものである。
【００５８】
次に、以上のように構成された本実施の形態にかかる複写機１００により読み取った画像データの印刷を行う複写処理について説明する。図２は、複写機１００における複写処理の手順を示すフローチャートである。
【００５９】
まず、原稿を複写して印刷する場合、利用者は原稿をスキャナ部１２０に設置されているコンタクトガラスに載置する。読取制御部１２２は、載置された原稿をスキャンし、ＣＣＤ１２１でＲＧＢ形式の画像データとして読み取る（ステップＳ２０１）。
【００６０】
次に、読取制御部１２２は、本体部１１０において印刷用の画像データを生成するために、ＣＣＤ１２１により読み取った画像データを、本体部１１０における画像処理部１１３に転送する（ステップＳ２０２）。そして、画像処理部１１３は、読取制御部１２２より転送された画像データを第１の画像転送ライン１５１を介して受信する（ステップＳ２０３）。画像処理部１１３は、受信した画像データからＣＭＹＫ形式やＪＰＥＧ形式などの印刷用の画像データを生成するための画像処理を行い、生成した画像データを画像メモリ１１２に保存する（ステップＳ２０４）。
【００６１】
また、読取制御部１２２は、操作表示部１３０においてプレビュー画像を表示するために、ステップＳ２０１で読み取った画像データを表示制御部１３２にも転送する（ステップＳ２０５）。そして、表示制御部１３２は、読取制御部１２２により転送された画像データを、プレビュー画像転送ライン１５０を介して本体部１１０を経由せずに直接受信する（ステップＳ２０６）。表示制御部１３２は、受信した画像データをプレビュー画像としてＬＣＤ１３３に表示出力する（ステップＳ２０７）。
【００６２】
次に、利用者によりＬＣＤ１３３に表示されたプレビュー画像が確認されたか否かの判断がなされる（ステップＳ２０８）。すなわち、表示制御部１３２が印刷指示を受け付けたか否かを判断し、印刷指示を受け付けた場合はプレビュー画像が確認されたと判断する。利用者により、プレビュー画像が確認されなかった場合（ステップＳ２０８：Ｎｏ）、すなわち、印刷指示がなされなかった場合、再度、読取制御部１２２による原稿のスキャンがなされる。
【００６３】
一方、利用者により、プレビュー画像が確認され、印刷指示がなされた場合（ステップＳ２０８：Ｙｅｓ）、画像処理部１１３は、読取制御部１２２によって読み込んだ画像データを印刷するために、ステップＳ２０４において画像処理した画像データを書込制御部１４２に転送する（ステップＳ２０９）。次に、書込制御部１４２は、画像処理部１１３により転送された画像データを第３の画像転送ライン１５３を介して受信する（ステップＳ２１０）。そして、印刷部１４１は、受信した画像データを用紙に印刷する（ステップＳ２１１）。
【００６４】
このように、本実施の形態では、スキャナ部１２０によって、スキャンした原稿の画像データを、第１の画像転送ライン１５１を介して画像データに対する画像処理を行う本体部１１０に転送するとともに、画像データを、プレビュー画像転送ライン１５０を介して操作表示部１３０に転送し、操作表示部１３０によって、スキャナ部１２０から受信した画像データをスキャンした原稿のプレビュー画像としてＬＣＤ１３３に表示出力する。
【００６５】
このため、プレビュー画像の表示と印刷用の画像データの処理を同時に行うことができる。従って、スキャナ部１２０により原稿を読み取ってから、プレビュー画像として操作表示部１３０により表示されるまでの時間を短縮することができ、利用者を長時間待たせることがなく操作性を向上させ作業効率を向上させることができる。
【００６６】
また、スキャナ部１２０で読み取ったデータを操作表示部１３０に直接転送するため、読取データと表示データが同一データであることを活用できる。即ち、スキャナ部１２０によってスキャンした画像データを再生成する必要がなく、ＲＧＢ形式のデータのまま操作表示部１３０に転送し、プレビュー画像として表示できる。従って、プレビュー画像の生成のためにデータフォーマットのＲＧＢ形式のデータからＣＭＹＫ形式やＪＰＥＧ形式のデータへの変換や、ＣＭＹＫ形式やＪＰＥＧ形式のデータからＲＧＢ形式のデータへの再変換などの複雑な制御を行う必要がなく、簡易な制御でプレビュー画像表示機能を実現でき、プレビュー画像の表示までの時間を短縮することができる。
【００６７】
（第２の実施の形態）
第１の実施の形態の複写機は、ＣＣＤによって読み取った画像データを読取制御部によって、画像処理部及び表示制御部それぞれに転送されたが、第２の実施の形態の複写機は、読取制御部によって転送された画像データが、画像処理部及び表示制御部に対して分岐して転送されるものである。以下に、添付図面を参照して、第２の実施の形態について説明する。
【００６８】
図３は、本発明の第２の実施の形態にかかる複写機の構成を示すブロック図である。本実施の形態にかかる複写機３００は、原稿をスキャンして、スキャンした原稿の画像データを生成し、印刷するものであり、スキャナ部３２０と、本体部１１０と、操作表示部１３０と、プリンタ部１４０とから構成されている。
【００６９】
また、本体部１１０とスキャナ部３２０は、第１の画像転送ライン３５１によって接続されており、本体部１１０と操作表示部１３０は、要求転送ライン１５２によって接続されており、さらに、本体部１１０とプリンタ部１４０は、第３の画像転送ライン１５３によって接続されている。また、スキャナ部３２０と操作表示部１３０は、プレビュー画像転送ライン３５０によって、本体部１１０を経由せずに第１の画像転送ライン３５１から分岐して直接接続されている。
【００７０】
ここで、本体部１１０と、操作表示部１３０と、プリンタ部１４０の構成及び機能は、第１の実施の形態における複写機と同様であるので、説明を省略する。尚、操作表示部１３０は、第１の画像転送ライン３５１から分岐したプレビュー画像転送ライン３５０を介してスキャナ部３２０から受信した画像データをプレビュー画像としてＬＣＤ１３３に表示出力するものである。
【００７１】
スキャナ部３２０は、利用者によって載置された原稿をスキャンして読み取るものであり、ＣＣＤ１２１と、読取制御部３２２とを主に備えている。
【００７２】
ここで、ＣＣＤ１２１の構成及び機能は、第１の実施の形態と同様であるので、説明を省略する。
【００７３】
読取制御部３２２は、ＣＣＤ１２１により読み取った画像データを、第１の画像転送ライン３５１を介して本体部１１０に転送して、スキャナ部３２０の制御を行うものである。また、読取制御部３２２は、ＣＣＤ１２１により読み取った画像データを、本体部１１０を経由せずに、第１の画像転送ライン３５１から分岐したプレビュー画像転送ライン３５０を介して操作表示部１３０に転送する。
【００７４】
次に、以上のように構成された本実施の形態にかかる複写機３００により読み取った画像データの印刷を行う複写処理について説明する。図４は、複写機３００における複写処理の手順を示すフローチャートである。
【００７５】
まず、原稿を複写して印刷する場合、利用者は原稿をスキャナ部３２０に設置されているコンタクトガラスに載置する。読取制御部３２２は、載置された原稿をスキャンし、ＣＣＤ１２１でＲＧＢ形式の画像データとして読み取る（ステップＳ４０１）。
【００７６】
次に、読取制御部３２２は、ＣＣＤ１２１により読み取った画像データを転送する（ステップＳ４０２）。そして、画像処理部１１３は、読取制御部３２２より転送された画像データを第１の画像転送ライン３５１を介して受信する（ステップＳ４０３）。そして、画像処理部１１３は、受信した画像データからＣＭＹＫ形式やＪＰＥＧ形式などの印刷用の画像データを生成するための画像処理を行い、生成した画像データを画像メモリ１１２に保存する（ステップＳ４０４）。
【００７７】
また、表示制御部１３２は、ステップＳ４０２において読取制御部３２２により転送された画像データを、第１の画像転送ライン３５１から分岐したプレビュー画像転送ライン３５０を介して、本体部１１０を経由せずに直接受信する（ステップＳ４０５）。そして、表示制御部１３２は、受信した画像データをプレビュー画像としてＬＣＤ１３３に表示出力する（ステップＳ４０６）。
【００７８】
利用者によるＬＣＤ１３３に表示されたプレビュー画像の確認以降の処理及び流れ（ステップＳ４０７〜Ｓ４１０）については、図２の第１の実施の形態で説明した処理および流れ（ステップＳ２０８〜Ｓ２１１）と同様である。
【００７９】
このように、本実施の形態では、プレビュー画像転送ライン３５０は、第１の画像転送ライン３５１から分岐して操作表示部１３０に接続されている。従って、スキャナ部３２０から本体部１１０及び操作表示部１３０へ同一の画像データが転送されるため、スキャナ部３２０の構成は画像データ送信機能以外、既存のシステムをそのまま流用することができ、利用者の無駄な出費を防止するとことができる。
【００８０】
（第３の実施の形態）
第１の実施の形態の複写機は、ＣＣＤによって読み取った画像データを読取制御部によって、画像処理部及び表示制御部それぞれにそのまま転送されたが、第３の実施の形態の複写機は、ＣＣＤによって読み取った画像データのデータ処理を行った後に、画像処理部及び表示制御部それぞれに転送されるものである。以下に、添付図面を参照して、第３の実施の形態について説明する。
【００８１】
図５は、本発明の第３の実施の形態にかかる複写機の構成を示すブロック図である。本実施の形態にかかる複写機５００は、原稿をスキャンして、スキャンした原稿の画像データを生成し、印刷するものであり、スキャナ部５２０と、本体部１１０と、操作表示部１３０と、プリンタ部１４０とから構成されている。
【００８２】
また、本体部１１０とスキャナ部５２０は、第１の画像転送ライン５５１によって接続されており、本体部１１０と操作表示部１３０は、要求転送ライン１５２によって接続されており、さらに、本体部１１０とプリンタ部１４０は、第３の画像転送ライン１５３によって接続されている。また、スキャナ部５２０と操作表示部１３０は、プレビュー画像転送ライン５５０によって、本体部１１０を経由せずに直接接続されている。
【００８３】
ここで、本体部１１０と、操作表示部１３０と、プリンタ部１４０の構成及び機能は、第１の実施の形態における複写機と同様であるので、説明を省略する。尚、操作表示部１３０は、プレビュー画像転送ライン５５０を介してスキャナ部５２０から受信した画像データを、プレビュー画像としてＬＣＤ１３３に表示出力するものである。
【００８４】
スキャナ部５２０は、利用者によって載置された原稿をスキャンして読み取るものであり、ＣＣＤ１２１と、読取制御部５２２とを主に備えている。
【００８５】
ここで、ＣＣＤ１２１の構成及び機能は、第１の実施の形態と同様であるので、説明を省略する。
【００８６】
読取制御部５２２は、ＣＣＤ１２１により読み取った画像データを、第１の画像転送ライン５５１を介して本体部１１０に転送して、スキャナ部５２０の制御を行うものである。また、読取制御部５２２は、ＣＣＤ１２１により読み取った画像データを、本体部１１０を経由せずに、プレビュー画像転送ライン５５０を介して操作表示部１３０に直接転送する。また、読取制御部５２２は、データ処理を行うデータ処理部５２３を主に備えている。
【００８７】
データ処理部５２３は、ＣＣＤ１２１により読み取った画像データから、本体部１１０の画像処理部１１３に転送するための画像データ及び表示制御部１３２に転送するためのプレビュー画像を、それぞれ別個に生成するものである。
【００８８】
次に、以上のように構成された本実施の形態にかかる複写機５００により読み取った画像データの印刷を行う複写処理について説明する。図６は、複写機５００における複写処理の手順を示すフローチャートである。
【００８９】
まず、原稿を複写して印刷する場合、利用者は原稿をスキャナ部５２０に設置されているコンタクトガラスに載置する。読取制御部５２２は、載置された原稿をスキャンし、ＣＣＤ１２１でＲＧＢ形式の画像データとして読み取る（ステップＳ６０１）。
【００９０】
次に、読取制御部５２２に設けられたデータ処理部５２３は、ＣＣＤ１２１により読み取った画像データから画像処理部１１３へ転送するための画像処理部転送用データ及び表示制御部１３２へ転送するためのプレビュー画像をそれぞれ別個に生成する（ステップＳ６０２）。それぞれ別個に生成することにより、プレビュー画像は、画像処理部転送用データ（印刷用に転送する画像データ）より少ないデータ量で生成することが可能になる。
【００９１】
次に、読取制御部５２２は、データ処理部５２３により生成された画像処理部転送用データを画像処理部１１３に転送する（ステップＳ６０３）。そして、画像処理部１１３は、読取制御部５２２より転送された画像処理部転送用データを、第１の画像転送ライン５５１を介して受信する（ステップＳ６０４）。そして、画像処理部１１３は、受信した画像処理部転送用データからＣＭＹＫ形式やＪＰＥＧ形式などの印刷用の画像データを生成するための画像処理を行い、生成した画像データを画像メモリ１１２に保存する（ステップＳ６０５）。
【００９２】
また、読取制御部５２２は、ステップＳ６０２においてデータ処理部５２３により生成されたプレビュー画像を、表示制御部１３２に転送する（ステップＳ６０６）。そして、表示制御部１３２は、読取制御部５２２により転送されたプレビュー画像を、プレビュー画像転送ライン５５０を介して、本体部１１０を経由せずに直接受信する（ステップＳ６０７）。そして、表示制御部１３２は、受信したプレビュー画像をＬＣＤ１３３に表示出力する（ステップＳ６０８）。
【００９３】
利用者によるＬＣＤ１３３に表示されたプレビュー画像の確認以降の処理および流れ（ステップＳ６０９〜Ｓ６１２）については、図２の第１の実施の形態で説明した処理および流れ（ステップＳ２０８〜Ｓ２１１）と同様である。
【００９４】
このように、本実施の形態では、スキャナ部５２０の内部に設けられた読取制御部５２２によって、画像データの生成及び送受信の制御を行う。さらに、読取制御部５２２は、画像データからプレビュー画像を生成するデータ処理部５２３を有し、データ処理部５２３によって生成されたプレビュー画像を、プレビュー画像転送ライン５５０を介して操作表示部１３０に転送する。従って、スキャナ部５２０内部にあるデータ処理部５２３によって、本体部１１０転送用の画像データ及び操作表示部１３０用のプレビュー画像としての画像データをそれぞれ別個に生成するため、操作表示部１３０へ適切なデータ量のみを転送することができることになる。よって、必要以上に多量な画像データを転送することにより考えられる転送時間の遅延、転送時の画像データの破壊のリスク、操作表示部１３０におけるデータ処理時間の遅延等の問題を解消することができるとともに、スキャナ部５２０により原稿を読み取ってから、プレビュー画像として操作表示部１３０により表示されるまでの時間を短縮することができる。
【００９５】
また、本体部１１０によって印刷用に処理される画像データよりも単純間引きにより解像度、分解能等を下げてプレビュー画像を生成することによって、複雑な制御等を付加することが不要となり、スキャナ部５２０により原稿を読み取ってから、プレビュー画像として操作表示部１３０により表示されるまでの時間を短縮することができ、作業効率を向上させることができる。
【００９６】
（第４の実施の形態）
第２の実施の形態の複写機は、読取制御部によって転送された画像データが、画像処理部及び表示制御部に分岐して転送されるものであるが、第４の実施の形態の複写機は、表示制御部により転送された画像データを受信して、更に、画像処理を行った後に表示されるものである。以下に、添付図面を参照して、第４の実施の形態について説明する。
【００９７】
図７は、本発明の第４の実施の形態にかかる複写機の構成を示すブロック図である。本実施の形態にかかる複写機７００は、原稿をスキャンして、スキャンした原稿の画像データを生成し、印刷するものであり、スキャナ部３２０と、本体部１１０と、操作表示部７３０と、プリンタ部１４０とから構成されている。
【００９８】
また、本体部１１０とスキャナ部３２０は、第１の画像転送ライン３５１によって接続されており、本体部１１０と操作表示部７３０は、要求転送ライン１５２によって接続されており、さらに、本体部１１０とプリンタ部１４０は、第３の画像転送ライン１５３によって接続されている。また、スキャナ部３２０と操作表示部７３０は、プレビュー画像転送ライン３５０によって、本体部１１０を経由せずに第１の画像転送ライン３５１から分岐して直接接続されている。
【００９９】
ここで、本体部１１０と、プリンタ部１４０の構成及び機能は、第１の実施の形態における複写機と同様であり、スキャナ部３２０は、第２の実施の形態における複写機と同様であるので、説明を省略する。
【０１００】
操作表示部７３０は、利用者による設定入力の受付及びプレビュー画像等の画像データを表示出力するものであり、タッチパネル１３１と、表示制御部７３２と、ＬＣＤ１３３とを主に備えている。また、操作表示部７３０は、スキャナ部３２０により読み取った画像データを、本体部１１０を経由しないプレビュー画像転送ライン３５０を介して直接受信し、プレビュー画像として表示出力する。
【０１０１】
ここで、タッチパネル１３１と、ＬＣＤ１３３の構成及び機能は、第１の実施の形態における複写機と同様であるので、説明を省略する。
【０１０２】
表示制御部７３２は、利用者によってタッチパネル１３１に入力された情報を、要求転送ライン１５２を介して本体部１１０に転送して、操作表示部７３０の制御を行うものである。また、表示制御部７３２は、プレビュー画像転送ライン３５０を介してスキャナ部３２０から受信したＲＧＢ形式の画像データをプレビュー画像としてＬＣＤ１３３に表示出力するものである。また、表示制御部７３２は、データ処理を行うデータ処理部７３４を備えている。
【０１０３】
データ処理部７３４は、読取制御部３２２により受信した画像データから、ＬＣＤ１３３に表示するためのプレビュー画像を生成するものである。
【０１０４】
次に、以上のように構成された本実施の形態にかかる複写機７００により読み取った画像データの印刷を行う複写処理について説明する。図８は、複写機７００における複写処理の手順を示すフローチャートである。
【０１０５】
まず、原稿を複写して印刷する場合、利用者は原稿をスキャナ部３２０に設置されているコンタクトガラスに載置する。読取制御部３２２におけるＣＣＤ１２１による載置された原稿のスキャンから、画像処理部１１３による生成した画像データの画像メモリ１１２への保存までの処理および流れ（ステップＳ８０１〜Ｓ８０４）については、図４の第２の実施の形態で説明した処理および流れ（ステップＳ４０１〜Ｓ４０４）と同様である。
【０１０６】
次に、表示制御部７３２は、ステップＳ８０２において読取制御部３２２により転送された画像データを、第１の画像転送ライン３５１から分岐したプレビュー画像転送ライン３５０を介して、本体部１１０を経由せずに直接受信する（ステップＳ８０５）。
【０１０７】
次に、操作表示部７３０に設けられたデータ処理部７３４は、読取制御部３２２から受信した画像データからＬＣＤ１３３に表示するためのプレビュー画像を生成する（ステップＳ８０６）。そして、表示制御部７３２は、生成したプレビュー画像をＬＣＤ１３３に表示出力する（ステップＳ８０７）。
【０１０８】
利用者によるＬＣＤ１３３に表示されたプレビュー画像の確認以降の処理および流れ（ステップＳ８０８〜Ｓ８１１）については、図２の第１の実施の形態で説明した処理および流れ（ステップＳ２０８〜Ｓ２１１）と同様である。
【０１０９】
このように、本実施の形態では、操作表示部７３０の内部に設けられた表示制御部７３２によって、画像データの受信及び表示出力の制御を行う。さらに、表示制御部７３２は、スキャナ部３２０からプレビュー画像転送ライン３５０を介して受信した画像データからプレビュー画像を生成するデータ処理部７３４を有し、データ処理部７３４によって生成されたプレビュー画像をＬＣＤ１３３に表示出力する。このため、データ処理部７３４による処理によって、ＬＣＤ１３３に応じた適切な画像サイズ及び分解能でのプレビュー画像表示が可能となる。また、データの生成量を任意に設定できる構成とすれば、プレビュー画像の拡大、縮小等の機能も簡易に付加することができ、作業効率を向上させることができる。
【０１１０】
（第５の実施の形態）
第３の実施の形態の複写機は、ＣＣＤによって読み取った画像データの画像処理を行った後に、画像処理部及び表示制御部それぞれに転送されるものであるが、第５の実施の形態の複写機は、さらに、利用者によるプレビュー画像の詳細表示要求があった場合は、本体部において画像処理された画像データを、プレビュー画像として表示するものである。以下に、添付図面を参照して、第５の実施の形態について説明する。
【０１１１】
図９は、本発明の第５の実施の形態にかかる複写機の構成を示すブロック図である。本実施の形態にかかる複写機９００は、原稿をスキャンして、スキャンした原稿の画像データを生成し、印刷するものであり、スキャナ部５２０と、本体部１１０と、操作表示部１３０と、プリンタ部１４０とから構成されている。
【０１１２】
また、本体部１１０とスキャナ部５２０は、第１の画像転送ライン５５１によって接続されており、本体部１１０と操作表示部１３０は、要求転送ライン１５２及び第２の画像転送ライン９５３とによって接続されており、さらに、本体部１１０とプリンタ部１４０は、第３の画像転送ライン１５３によって接続されている。また、スキャナ部５２０と操作表示部１３０は、プレビュー画像転送ライン５５０によって、本体部１１０を経由せずに直接接続されている。
【０１１３】
ここで、本体部１１０と、操作表示部１３０と、プリンタ部１４０の構成及び機能は、第１の実施の形態における複写機と同様であり、スキャナ部５２０の構成及び機能は、第３の実施の形態における複写機と同様であるので、説明を省略する。
【０１１４】
尚、操作表示部１３０は、プレビュー画像転送ライン５５０を介してスキャナ部５２０から受信した画像データを、プレビュー画像としてＬＣＤ１３３に表示出力するものである。また、操作表示部１３０は、利用者より入力されたプレビュー画像の詳細表示の要求を、要求転送ライン１５２を介して、画像処理部１１３に転送し、第２の画像転送ライン９５３を介して画像処理部１１３によって生成された画像データを受信し、プレビュー画像の詳細表示としてＬＣＤ１３３に表示出力する。
【０１１５】
次に、以上のように構成された本実施の形態にかかる複写機９００により読み取った画像データの印刷を行う複写処理について説明する。図１０−１、図１０−２は、複写機９００における複写処理の手順を示すフローチャートである。
【０１１６】
まず、原稿を複写して印刷する場合、利用者は原稿をスキャナ部５２０に設置されているコンタクトガラスに載置する。読取制御部５２２におけるＣＣＤ１２１による載置された原稿のスキャンから、表示制御部１３２におけるＬＣＤ１３３によるプレビュー画像の表示までの処理および流れ（ステップＳ１００１〜Ｓ１００８）については、図６の第３の実施の形態で説明した処理および流れ（ステップＳ６０１〜Ｓ６０８）と同様である。
【０１１７】
次に、利用者によりプレビュー画像の詳細表示が要求されたか否かの判断がなされる（ステップＳ１００９）。利用者によるプレビュー画像の詳細表示が要求された場合（ステップＳ１００９：Ｙｅｓ）、その旨が要求転送ライン１５２を介して画像処理部１１３に転送される。そして、画像処理部１１３は、画像メモリ１１２に保存されている画像処理がなされた画像データを、表示制御部１３２に転送する（ステップＳ１０１０）。
【０１１８】
次に、表示制御部１３２は、画像処理部１１３より転送された画像データを、第２の画像転送ライン９５３を介して受信する。そして、受信した画像データをプレビュー画像の詳細表示としてＬＣＤ１３３に表示出力する（ステップＳ１０１１）。
【０１１９】
一方、利用者によるプレビュー画像の詳細表示が要求されなかった場合（ステップＳ１００９：Ｎｏ）は、そのまま次の処理が行われる。
【０１２０】
利用者によって、詳細表示がされた場合のＬＣＤ１３３に表示されたプレビュー画像及び詳細表示、または詳細表示がされなかった場合のＬＣＤ１３３に表示されたプレビュー画像の確認以降の処理および流れ（ステップＳ１０１２〜Ｓ１０１５）については、図２の第１の実施の形態で説明した処理および流れ（ステップＳ２０８〜Ｓ２１１）と同様である。
【０１２１】
このように、本実施の形態では、操作表示部１３０によって、利用者から本体部１１０で画像処理された画像データをプレビュー画像として表示出力する詳細表示の要求を受け付け、第２の画像転送ライン９５３によって、操作表示部１３０と本体部１１０を直接接続して、本体部１１０から操作表示部１３０に、画像処理された画像データを転送し、操作表示部１３０によって、本体部１１０から受信した画像処理された画像データを表示出力する。このため、利用者によるプレビュー画像の詳細表示の要求がなされた場合に、本体部１１０により画像処理がなされた画像データを詳細画像として表示することが可能となる。また、本体部１１０によって画像処理がなされた印刷用の画像データや、本体部１１０に保存されている画像データを操作表示部１３０に表示することも可能となり、従来の画像形成装置の機能を劣化させることがない。従って、スキャナ部５２０により原稿を読み取ってから、プレビュー画像として操作表示部１３０により表示されるまでの時間を短縮することができ、利用者を長時間待たせることがなく、利便性を向上させ作業効率を向上させることができる。
【０１２２】
尚、本実施の形態における複写機は、利用者による詳細表示の要求の転送に用いる要求転送ライン１５２と、画像処理部１１３から画像処理がなされた画像データをプレビュー画像の詳細表示として転送する第２の画像転送ライン９５３とは、別個のラインとして設けているが、同一のラインを兼用して構成してもよく、その場合は、ハード構成の複雑化を防止できる。
【０１２３】
（第６の実施の形態）
第５の実施の形態の複写機は、転送された画像データを受信し、表示制御部により画像処理を行ったプレビュー画像が表示されると、印刷動作を開始する旨の指示がなされ印刷を行なうものであったが、第６の実施の形態の複写機は、さらに、利用者による印刷動作を停止する旨の指示があった場合に、印刷動作を停止するものである。以下に、添付図面を参照して、第６の実施の形態について説明する。
【０１２４】
図１１は、第６の実施の形態にかかる複写機の構成を示すブロック図である。本実施形態にかかる複写機１１００は、原稿をスキャンして、スキャンした原稿の画像データを生成し、印刷するものであり、スキャナ部１２０と、本体部１１１０と、操作表示部１１３０と、プリンタ部１１４０とから構成されている。
【０１２５】
また、本体部１１１０とスキャナ部１２０は、第１の画像転送ライン１５１によって接続されており、本体部１１１０と操作表示部１１３０は、要求転送ライン１５２によって接続されており、さらに、本体部１１１０とプリンタ部１１４０は、第３の画像転送ライン１５３によって接続されている。また、スキャナ部１２０と操作表示部１１３０は、プレビュー画像転送ライン１５０により本体部１１１０を経由せずに直接接続されている。
【０１２６】
ここで、スキャナ部１２０の構成及び機能は、第１の実施の形態における複写機と同様であるので、説明を省略する。
【０１２７】
操作表示部１１３０は、利用者による設定入力の受付及びプレビュー画像等の画像データを表示出力するものであり、タッチパネル１３１と、表示制御部１１３２と、ＬＣＤ１３３とを主に備えている。また、操作表示部１１３０は、スキャナ部１２０により読み取った画像データを、本体部１１１０を経由しないプレビュー画像転送ライン１５０を介して直接受信し、プレビュー画像として表示出力する。
【０１２８】
ここで、タッチパネル１３１と、ＬＣＤ１３３の構成及び機能は、第１の実施の形態における複写機と同様であるので、説明を省略する。
【０１２９】
表示制御部１１３２は、利用者によってタッチパネル１３１に入力された情報を、要求転送ライン１５２を介して本体部１１１０に転送して、操作表示部１１３０の制御を行うものである。また、表示制御部１１３２は、利用者によるスキャナ部１２０によりスキャンした原稿の画像データの印刷を開始する旨の印刷動作開始の要求をタッチパネル１３１の「スタートボタン」等が押下されることによって受け付けると、印刷動作移行フラグをオンに設定する。他方、利用者による印刷を停止する旨の印刷動作停止の要求をタッチパネル１３１の「キャンセルボタン」等が押下されることによって受け付けると、印刷動作移行フラグをオフに設定する。ここで、印刷動作移行フラグとは、印刷動作に移行するか否かを判断するためのフラグであり、印刷動作移行フラグがオンのときは、印刷動作に移行可能な状態を示し、印刷動作移行フラグがオフのときは、印刷動作に移行しない状態を示すものである。また、印刷動作移行フラグは、メモリ、ＨＤＤなどの記憶媒体に保存されている。
また、表示制御部１１３２は、プレビュー画像転送ライン１５０を介してスキャナ部１２０から受信したＲＧＢ形式の画像データをプレビュー画像としてＬＣＤ１３３に表示出力する。また、表示制御部１１３２は、データ処理を行うデータ処理部７３４を備えている。ここで、データ処理部７３４の構成及び機能は、第４の実施の形態における複写機と同様であるので、説明を省略する。
【０１３０】
本体部１１１０は、スキャナ部１２０から読み取った画像データを受信して、操作表示部１１３０から利用者により入力された設定等の操作に従い画像処理、画像データの保存等を行うものであり、制御部１１１１と、ＨＤＤ１１４とを主に備えている。また、制御部１１１１は、スキャナ部１２０により読み取った画像データの画像処理などの制御を行うものであり、画像メモリ１１２と、画像処理部１１１３とを主に備えている。
【０１３１】
ここで、画像メモリ１１２の構成及び機能は、第１の実施の形態における複写機と同様であるので、説明を省略する。
【０１３２】
ＨＤＤ１１４は、スキャナ部１２０から読み取った画像データ、画像処理部１１１３によって生成された印刷用の画像データ等、及び印刷動作移行フラグのオンまたはオフの設定を保存する記憶媒体である。
【０１３３】
画像処理部１１１３は、第１の実施の形態における画像処理部１１３と同様に、スキャナ部１２０から受信し、画像メモリ１１２に一時的に保存されたＲＧＢ形式の画像データから、プリンタ部１１４０における印刷用のＣＭＹＫ形式やＪＰＥＧ形式などの画像データを生成する処理等を行い、画像メモリ１１２に保存するものである。また、利用者が設定した機能に対応した各種の画像処理やレイアウト加工処理を行い、画像メモリ１１２に保存するものである。
また、画像処理部１１１３は、印刷動作移行フラグを参照して、操作表示部１１３０の表示制御部１１３２により印刷動作移行フラグがオンに設定されている場合、その旨および上述したような画像処理を行った印刷用の画像データをプリンタ部１１４０に転送する処理を行う。また、画像処理部１１１３は、印刷動作移行フラグを参照して、操作表示部１１３０の表示制御部１１３２により印刷動作移行フラグがオフに設定されている場合、その旨をプリンタ部１１４０に転送し、上述したような画像処理を行った印刷用の画像データを画像メモリ１１２から削除する処理を行い、次動作に備えて待機状態に移行する。
【０１３４】
プリンタ部１１４０は、本体部１１１０によって生成された印刷用の画像データを受信して、印刷するものであり、印刷部１４１と、書込制御部１１４２とを主に備えている。
【０１３５】
ここで、印刷部１４１の機能及び構成は、第１の実施の形態における複写機と同様であるので、説明を省略する。
【０１３６】
書込制御部１１４２は、本体部１１１０において生成された印刷用の画像データを受信して、印刷部１４１により印刷するなどの制御を行うものである。また、書込制御部１１４２は、操作表示部１１３０の表示制御部１１３２により印刷動作移行フラグがオンに設定されている場合に、本体部１１１０から受信した画像処理された印刷用の画像データの印刷動作を開始する。また、操作表示部１１３０の表示制御部１１３２により印刷動作移行フラグがオフに設定されている場合に、本体部１１１０から受信した画像処理された印刷用の画像データの印刷動作を行っている場合は、その印刷動作を中断して停止し、次動作に備えて待機状態に移行する。
【０１３７】
次に、以上のように構成された本実施の形態にかかる複写機１１００により読み取った画像データの印刷を行う複写処理について説明する。図１２は、複写機１１００における複写処理の手順を示すフローチャートである。
【０１３８】
まず、原稿を複写して印刷する場合、利用者は原稿をスキャナ部１２０に設置されているコンタクトガラスに載置する。読取制御部１２２は、載置された原稿をスキャンし、ＣＣＤ１２１でＲＧＢ形式の画像データとして読み取る（ステップＳ１２０１）。
【０１３９】
次に、読取制御部１２２は、本体部１１１０において印刷用の画像データを生成するために、ＣＣＤ１２１により読み取った画像データを、本体部１１１０における画像処理部１１１３に転送する（ステップＳ１２０２）。そして、画像処理部１１１３は、読取制御部１２２により転送された画像データを第１の画像転送ライン１５１を介して受信する（ステップＳ１２０３）。画像処理部１１１３は、受信した画像データからＣＭＹＫ形式やＪＰＥＧ形式などの印刷用の画像データを生成するための画像処理を行い、生成した画像データを画像メモリ１１２に保存する（ステップＳ１２０４）。
【０１４０】
また、読取制御部１２２は、操作表示部１１３０においてプレビュー画像を表示するために、ステップＳ１２０１で読み取った画像データを表示制御部１１３２にも転送する（ステップＳ１２０５）。そして、表示制御部１１３２は、読取制御部１２２により転送された画像データを、プレビュー画像転送ライン１５０を介して本体部１１１０を経由せずに直接受信する（ステップＳ１２０６）。
【０１４１】
次に、操作表示部１１３０に設けられたデータ処理部７３４は、読取制御部１２２から受信した画像データからＬＣＤ１３３に表示するためのプレビュー画像を生成する（ステップＳ１２０７）。そして、表示制御部１１３２は、生成したプレビュー画像をＬＣＤ１３３に表示出力する（ステップＳ１２０８）。
【０１４２】
次に、利用者によりＬＣＤ１３３に表示されたプレビュー画像が確認されたか否かの判断がなされる。すなわち、表示制御部１１３２は、利用者からの印刷動作開始の要求を受け付けたか否かの判断をすることによって、利用者によりプレビュー画像が確認されたか否かを判断する（ステップＳ１２０９）。印刷動作開始の要求を受け付けた場合（ステップＳ１２０９：Ｙｅｓ）、表示制御部１１３２は、プレビュー画像が確認されたことになり、印刷動作移行フラグをオンに設定する（ステップＳ１２１０）。
【０１４３】
一方、印刷動作開始の要求を受け付けなかった場合（ステップＳ１２０９：Ｎｏ）、プレビュー画像が確認されなかったことになり、表示制御部１１３２は、印刷動作停止の要求を受け付けたか否かを判断する（ステップＳ１２１１）。印刷動作停止の要求を受け付けた場合（ステップＳ１２１１：Ｙｅｓ）、印刷動作を強制停止する（ステップＳ１２１２）。すなわち、画像処理部１１１３は、印刷用の画像データを画像メモリ１１２から削除する処理を行い、次動作に備えて待機状態に移行する。また、書込制御部１１４２は、本体部１１１０から受信した印刷用の画像データの印刷動作を既に行っている場合は、その印刷動作を中断して停止し、次動作に備えて待機状態に移行する。一方、印刷動作停止の要求を受け付けなかった場合（ステップＳ１２１１：Ｎｏ）、ステップＳ１２０９に戻って、再度、プレビュー画像が確認されたか否かを判断する処理を行う。
【０１４４】
また、ステップＳ１２０４により画像データを画像メモリ１１２に保存した後、画像処理部１１１３は、ステップＳ１２１０における印刷動作移行フラグがオンに設定されているか否かを判断する（ステップＳ１２１３）。印刷動作移行フラグがオンになっていない場合、すなわち印刷動作移行フラグがオフに設定されている場合は（ステップＳ１２１３：Ｎｏ）、再度、ステップ１２１３に戻って処理を行う。
【０１４５】
一方、印刷動作移行フラグがオンに設定されている場合は（ステップＳ１２１３：Ｙｅｓ）、画像処理部１１１３は、読取制御部１２２によって読み込んだ画像データを印刷するために、ステップＳ１２０４において画像メモリ１１２に保存した印刷用の画像データを書込制御部１１４２に転送する（ステップＳ１２１４）。次に、書込制御部１１４２は、画像処理部１１１３により転送された画像データを第３の画像転送ライン１５３を介して受信する（ステップＳ１２１５）。そして、印刷部１４１は、受信した画像データを用紙に印刷する（ステップＳ１２１６）。
【０１４６】
このように、本実施の形態では、表示制御部１１３２によりプレビュー画像を表示出力した後、利用者から本体部１１１０で画像処理された印刷用の画像データの印刷動作開始の要求を受け付けた場合に、画像処理部１１１３は、画像処理された印刷用の画像データをプリンタ部１１４０に転送し、書込制御部１１４２は、本体部１１１０から受信した画像データの印刷動作を開始する。また、表示制御部１１３２によりプレビュー画像を表示出力した後、利用者から本体部１１１０で画像処理された印刷用の画像データの印刷動作停止の要求を受け付けた場合に、画像処理部１１１３は、画像処理された印刷用の画像データを削除し、書込制御部１１４２は、画像データの印刷動作を行っている場合は、その印刷動作を停止する。
【０１４７】
従って、プレビュー画像が表示されて確認した後に印刷動作開始の要求ができるため、確実にプレビュー画像の確認後に印刷動作を開始することができ、機能性を向上させ作業効率を向上させることができる。また、プレビュー画像が表示されて確認した後に印刷動作停止の要求ができるため、印刷される画像が所望する方向とは異なっている場合などに、画像データの画像処理中や印刷中であっても処理を中断でき、機能性を向上させ作業効率を向上させることができる。
【０１４８】
また、プレビュー画像は、印刷方向の判断が可能な程度とすると、操作表示部１１３０に転送される画像データの容量を減少させることができる。さらに、本体部１１１０において画像データの画像処理動作中であっても印刷動作開始または印刷動作停止のいずれを行うかの判断が可能となるため、印刷方向に間違いがあった場合には、即座に印刷動作を停止して修正し、再度印刷動作を開始することが可能となり、さらに機能性を向上させ作業効率を向上させることができる。
【０１４９】
（第７の実施の形態）
第６の実施の形態の複写機は、転送された画像データを受信し、表示制御部により画像処理を行ったプレビュー画像が表示された後、印刷動作を開始する旨の指示がなされた場合は印刷を行ない、印刷動作を停止する旨の指示がなされた場合は印刷動作を停止するものであったが、第７の実施の形態の複写機は、さらに、本体部において画像処理された画像データを、プレビュー画像の詳細表示として表示出力するものである。以下に、添付図面を参照して、第７の実施の形態について説明する。
【０１５０】
図１３は、第７の実施の形態にかかる複写機の構成を示すブロック図である。本実施形態にかかる複写機１３００は、原稿をスキャンして、スキャンした原稿の画像データを生成し、印刷するものであり、スキャナ部１２０と、本体部１３１０と、操作表示部１３３０と、プリンタ部１１４０とから構成されている。
【０１５１】
また、本体部１３１０とスキャナ部１２０は、第１の画像転送ライン１５１によって接続されており、本体部１３１０と操作表示部１３３０は、要求転送ライン１５２及び第２の画像転送ライン９５３とによって接続されており、さらに、本体部１３１０とプリンタ部１１４０は、第３の画像転送ライン１５３によって接続されている。また、スキャナ部１２０と操作表示部１３３０は、プレビュー画像転送ライン１５０によって、本体部１３１０を経由せずに直接接続されている。
【０１５２】
ここで、スキャナ部１２０の構成及び機能は、第１の実施の形態における複写機と同様であり、プリンタ部１１４０の構成及び機能は、第６の実施の形態における複写機と同様であるので、説明を省略する。
【０１５３】
操作表示部１３３０は、利用者による設定入力の受付及びプレビュー画像等の画像データを表示出力するものであり、タッチパネル１３１と、表示制御部１３３２と、ＬＣＤ１３３とを主に備えている。また、操作表示部１３３０は、スキャナ部１２０により読み取った画像データを、本体部１３１０を経由しないプレビュー画像転送ライン１５０を介して直接受信し、プレビュー画像として表示出力する。
【０１５４】
ここで、タッチパネル１３１と、ＬＣＤ１３３の構成及び機能は、第１の実施の形態における複写機と同様であるので、説明を省略する。
【０１５５】
表示制御部１３３２は、第６の実施の形態の表示制御部における機能に加えて、画像処理された画像データを本体部１３１０に要求し、第２の画像転送ライン９５３を介して本体部１３１０から画像処理された画像データを受信して、受信した画像データをプレビュー画像の詳細表示としてＬＣＤ１３３に表示出力するものである。
【０１５６】
本体部１３１０は、スキャナ部１２０から読み取った画像データを受信して、操作表示部１３３０から利用者により入力された設定等の操作に従い画像処理、画像データの保存等を行うものであり、制御部１３１１と、ＨＤＤ１１４とを主に備えている。また、制御部１３１１は、スキャナ部１２０により読み取った画像データの画像処理などの制御を行うものであり、画像メモリ１１２と、画像処理部１３１３とを主に備えている。
【０１５７】
ここで、ＨＤＤ１１４と、画像メモリ１１２の構成及び機能は、第１の実施の形態における複写機と同様であるので、説明を省略する。
【０１５８】
画像処理部１３１３は、第６の実施の形態の画像処理部における機能に加えて、操作表示部１３３０から画像処理した画像データの要求を受信した場合、画像メモリ１１２に保存されている画像データを第２の画像転送ライン９５３を介して操作表示部１３３０に転送するものである。
【０１５９】
次に、以上のように構成された本実施の形態にかかる複写機１３００により読み取った画像データの印刷を行う複写処理について説明する。図１４は、複写機１３００における複写処理の手順を示すフローチャートである。
【０１６０】
まず、原稿を複写して印刷する場合、利用者は原稿をスキャナ部１２０に設置されているコンタクトガラスに載置する。読取制御部１２２におけるＣＣＤ１２１による載置された原稿のスキャンから、印刷動作の強制停止までの処理および流れ（ステップＳ１４０１〜Ｓ１４１２）については、図１２の第６の実施の形態で説明した処理および流れ（ステップＳ１２０１〜Ｓ１２１２）と同様である。
【０１６１】
次に、表示制御部１３３２が印刷動作停止の要求を受け付けたか否かを判断し（ステップＳ１４１１）、印刷動作停止の要求を受け付けなかった場合（ステップＳ１４１１：Ｎｏ）、表示制御部１３３２は、画像処理された画像データを本体部１３１０に要求する（ステップＳ１４１３）。そして、表示制御部１３３２は、要求に対応する画像処理された画像データを第２の画像転送ライン９５３を介して本体部１３１０から受信して（ステップＳ１４１４）、受信した画像データをプレビュー画像の詳細表示としてＬＣＤ１３３に表示出力する（ステップＳ１４１５）。そして、ステップＳ１４０９に戻って、再度、プレビュー画像（詳細表示）が確認されたか否かを判断する処理を行う。
【０１６２】
また、ステップＳ１４０４により画像データを画像メモリ１１２に保存した後、ステップＳ１４１３においてなされた表示制御部１３３２からの画像処理された画像データの要求を受信したか否かを判断する（ステップＳ１４１６）。画像処理された画像データの要求を受信した場合（ステップＳ１４１６：Ｙｅｓ）、画像処理部１３１３は、画像メモリ１１２に保存されている画像データを操作表示部１３３０に転送する（ステップＳ１４１７）。なお、表示制御部１３３２は、ここで転送された画像データを、上述したステップＳ１４１４で受信していることになる。
【０１６３】
そして、画像処理部１３１３は、ステップＳ１４１０における印刷動作移行フラグがオンに設定されているか否かを判断する（ステップＳ１４１８）。また、画像処理されたデータの要求を受信しなかった場合（ステップＳ１４１６：Ｎｏ）も同様に、印刷動作移行フラグがオンに設定されているか否かを判断する（ステップＳ１４１８）。印刷動作移行フラグがオンになっていない場合、すなわち印刷動作移行フラグがオフに設定されている場合は（ステップＳ１４１８：Ｎｏ）、再度、ステップ１４１６に戻って処理を行う。
【０１６４】
一方、印刷動作移行フラグがオンに設定されている場合は（ステップＳ１４１８：Ｙｅｓ）、プリンタ部１１４０により印刷動作が開始されるが、画像処理部１３１３による印刷用の画像データの転送以降の処理および流れは（ステップＳ１４１９〜Ｓ１４２１）、図１２の第６の実施の形態で説明した処理および流れ（ステップＳ１２１４〜Ｓ１２１６）と同様である。
【０１６５】
このように、本実施の形態では、表示制御部１３３２は、プレビュー画像が表示された後に印刷動作開始の要求を受け付けなかった場合、本体部１３１０において画像処理された画像データを第２の画像転送ライン９５３を介して操作表示部１３３０に転送し、表示制御部１３３２は、本体部１３１０から受信した画像処理された印刷用の画像データをＬＣＤ１３３に表示出力する。
【０１６６】
このため、スキャナ部１２０より操作表示部１３３０へ直接転送された画像データのプレビュー画像は、画像処理がなされていないため、実際の印刷画像とは細部において異なることが考えられるが、上記構成にすると、本体部１３１０によって画像処理がなされた印刷用の画像データや、本体部１３１０に保存されている画像データをＬＣＤ１３３に表示することも可能となり、高レベルでの画像確認が可能となる。従って、印刷動作を迅速化を重視する利用者でも、高レベルの画像確認を重視する利用者でも、それぞれの利用者の要求に応じた動作が可能になり、機能性を向上させることができる。
また、直接転送されたプレビュー画像を表示する場合は、スキャナ部１２０により原稿を読み取ってから、プレビュー画像として操作表示部１３３０により表示されるまでの時間を短縮することができ、利用者を長時間待たせることがなく、利便性を向上させ作業効率を向上させることができる。
【０１６７】
（第８の実施の形態）
第７の実施の形態の複写機は、本体部において画像処理された画像データを、プレビュー画像の詳細表示として表示出力するものであったが、第８の実施の形態に複写機は、さらに、利用者によるプレビュー画像の詳細表示の要求があった場合に、本体部において画像処理された画像データを、プレビュー画像の詳細表示として表示するものである。以下に、添付図面を参照して、第８の実施の形態について説明する。
【０１６８】
第８の実施の形態にかかる複写機の構成は、第７の実施の形態と同様であるため、図１３を参照して説明する。以下では、第７の実施の形態の複写機と異なる構成について説明する。
【０１６９】
表示制御部１３３２は、第６の実施の形態の表示制御部における機能に加えて、利用者から本体部１３１０で画像処理された画像データをプレビュー画像として表示出力する旨の詳細表示の要求を受け付けた場合に、画像処理された画像データを本体部１３１０に要求するものである。また、表示制御部１３３２は、第２の画像転送ライン９５３を介して本体部１３１０から画像処理された画像データを受信して、受信した画像データをプレビュー画像の詳細表示としてＬＣＤ１３３に表示出力するものである。
【０１７０】
画像処理部１３１３は、第６の実施の形態の画像処理部における機能に加えて、操作表示部１３３０において詳細表示の要求を受け付け、画像処理した画像データの要求を受信した場合、画像メモリ１１２に保存されている画像データを第２の画像転送ライン９５３を介して操作表示部１３３０に転送するものである。
【０１７１】
次に、以上のように構成された本実施の形態にかかる複写機１３００により読み取った画像データの印刷を行う複写処理について説明する。図１５は、複写機１３００における複写処理の手順を示すフローチャートである。
【０１７２】
まず、原稿を複写して印刷する場合、利用者は原稿をスキャナ部１２０に設置されているコンタクトガラスに載置する。読取制御部１２２におけるＣＣＤ１２１による載置された原稿のスキャンから、印刷動作の強制停止までの処理および流れ（ステップＳ１５０１〜Ｓ１５１２）については、図１２の第６の実施の形態で説明した処理および流れ（ステップＳ１２０１〜Ｓ１２１２）と同様である。
【０１７３】
次に、表示制御部１３３２が印刷動作停止の要求を受け付けたか否かを判断し（ステップＳ１５１１）、印刷動作停止の要求を受け付けなかった場合（ステップＳ１５１１：Ｎｏ）、表示制御部１３３２は、利用者からプレビュー画像の詳細表示の要求を受け付けたか否かを判断する（ステップＳ１５１３）。利用者からのプレビュー画像の詳細表示の要求を受け付けなかった場合（ステップＳ１５１３：Ｎｏ）、ステップＳ１５０９に戻って、再度、プレビュー画像が確認されたか否かを判断する処理を行う。
【０１７４】
一方、利用者からのプレビュー画像の詳細表示の要求を受け付けた場合（ステップＳ１５１３：Ｙｅｓ）、表示制御部１３３２による画像データの要求以降の処理および流れは（ステップＳ１５１４〜Ｓ１５２２）、図１４の第７の実施の形態で説明した処理および流れ（ステップＳ１４１３〜Ｓ１４２１）と同様である。
【０１７５】
このように、本実施の形態では、表示制御部１３３２により利用者から本体部１３１０で画像処理された画像データをプレビュー画像として表示出力するプレビュー画像の詳細表示の要求を受け付けた場合、本体部１３１０において画像処理された画像データを第２の画像転送ライン９５３を介して操作表示部１３３０に転送し、表示制御部１３３２は、本体部１３１０から受信した画像処理された印刷用の画像データをＬＣＤ１３３に表示出力する。
【０１７６】
このため、利用者によるプレビュー画像の詳細表示の要求がなされた場合に、本体部１３１０により画像処理がなされた画像データを詳細画像として表示することが可能となる。また、スキャナ部１２０より操作表示部１３３０へ直接転送された画像データのプレビュー画像は、画像処理がなされていないため、実際の印刷画像とは細部において異なることが考えられるが、上記構成にすると、本体部１３１０によって画像処理がなされた印刷用の画像データや、本体部１３１０に保存されている画像データをＬＣＤ１３３に表示することも可能となり、高レベルでの画像確認が可能となる。従って、印刷動作を迅速化を重視する利用者でも、高レベルの画像確認を重視する利用者でも、それぞれの利用者の要求に応じた動作が可能になり、機能性を向上させることができる。
また、直接転送されたプレビュー画像を表示する場合は、スキャナ部１２０により原稿を読み取ってから、プレビュー画像として操作表示部１３３０により表示されるまでの時間を短縮することができ、利用者を長時間待たせることがなく、利便性を向上させ作業効率を向上させることができる。また、プレビュー画像の詳細表示の要求があった場合のみ、画像処理がなされた印刷用の画像データを表示するため、無断なデータ転送を軽減し、装置の制御負荷を低減し、システムの安定性を増加することができる。
【０１７７】
（第９の実施の形態）
第８の実施の形態に複写機は、利用者によるプレビュー画像の詳細表示の要求があった場合に、本体部において画像処理された画像データを、プレビュー画像の詳細表示として表示するものであったが、第９の実施の形態は、さらに、プレビュー画像の詳細表示の要求の前段階の処理であるプレビュー画像の表示において、利用者によるプレビュー画像の表示要求があった場合に、ＣＣＤによって読み取った画像データをプレビュー画像として表示するものである。以下に、添付図面を参照して、第９の実施の形態について説明する。
【０１７８】
第９の実施の形態にかかる複写機の構成は、第７の実施の形態と同様であるため、図１３を参照して説明する。以下では、第８の実施の形態の複写機と異なる構成について説明する。
【０１７９】
表示制御部１３３２は、第８の実施の形態の表示制御部における機能に加えて、読取制御部１２２によって読み取った原稿の画像データをプレビュー画像として表示出力する旨のプレビュー画像表示の要求を受け付けた場合に、スキャナ部１２０から受信した読み取った原稿の画像データをＬＣＤ１３３に表示出力するものである。また、プレビュー画像表示の要求を受け付けなかった場合は、印刷動作移行フラグをオンに設定する。
【０１８０】
読取制御部１２２は、ＣＣＤ１２１により読み取った画像データを第１の画像転送ライン１５１を介して本体部１３１０に転送して、スキャナ部１２０の制御を行うものである。また、読取制御部１２２は、操作表示部１３３０によってプレビュー画像表示の要求を受け付けた場合、ＣＣＤ１２１により読み取った画像データを、本体部１３１０を経由せずにプレビュー画像転送ライン１５０を介して操作表示部１３３０に転送する。
【０１８１】
次に、以上のように構成された本実施の形態にかかる複写機１３００により読み取った画像データの印刷を行う複写処理について説明する。図１６は、複写機１３００における複写処理の手順を示すフローチャートである。
【０１８２】
まず、原稿を複写して印刷する場合、利用者は原稿をスキャナ部１２０に設置されているコンタクトガラスに載置する。読取制御部１２２は、載置された原稿をスキャンし、ＣＣＤ１２１でＲＧＢ形式の画像データとして読み取る（ステップＳ１６０１）。
【０１８３】
次に、表示制御部１３３２は、プレビュー画像表示の要求を受け付けたか否かを判断する（ステップＳ１６０２）。そして、プレビュー画像表示の要求を受け付けた場合（ステップＳ１６０２：Ｙｅｓ）、読取制御部１２２は、本体部１３１０において印刷用の画像データを生成するために、ＣＣＤ１２１により読み取った画像データを、本体部１３１０における画像処理部１３１３に転送する（ステップＳ１６０５）。そして、画像処理部１３１３は、読取制御部１２２により転送された画像データを第１の画像転送ライン１５１を介して受信する（ステップＳ１６０６）。画像処理部１３１３は、受信した画像データからＣＭＹＫ形式やＪＰＥＧ形式などの印刷用の画像データを生成するための画像処理を行い、生成した画像データを画像メモリ１１２に保存する（ステップＳ１６０７）。
【０１８４】
また、読取制御部１２２は、操作表示部１３３０においてプレビュー画像を表示するために、ステップＳ１６０１で読み取った画像データを表示制御部１３３２にも転送する（ステップＳ１６０８）。そして、表示制御部１３３２は、読取制御部１２２により転送された画像データを、プレビュー画像転送ライン１５０を介して本体部１３１０を経由せずに直接受信する（ステップＳ１６０９）。
【０１８５】
次に、操作表示部１３３０に設けられたデータ処理部７３４は、読取制御部１２２から受信した画像データからＬＣＤ１３３に表示するためのプレビュー画像を生成する（ステップＳ１６１０）。そして、表示制御部１３３２は、生成したプレビュー画像をＬＣＤ１３３に表示出力する（ステップＳ１６１１）。
【０１８６】
一方、ステップＳ１６０２において、プレビュー画像表示の要求を受け付けなかった場合（ステップＳ１６０２：Ｎｏ）、表示制御部１３３２は、印刷動作移行フラグをオンに設定する（ステップＳ１６０３）。次に、読取制御部１２２は、本体部１３１０において印刷用の画像データを生成するために、ＣＣＤ１２１により読み取った画像データを、本体部１３１０における画像処理部１３１３に転送する（ステップＳ１６０４）。そして、ステップＳ１６０６以降の処理を行う。なお、この場合は、表示制御部１３３２に読み取った画像データを転送しない。
【０１８７】
そして、利用者によりＬＣＤ１３３に表示されたプレビュー画像が確認されたか否かの判断から、画像処理部１３１３による画像データの転送までの処理および流れは（ステップＳ１６１２〜Ｓ１６２１）、第８の実施の形態で説明した処理および流れ（ステップＳ１５０９〜Ｓ１５１８）と同様である。
【０１８８】
次に、画像処理部１３１３は、ステップＳ１６０３およびステップＳ１６１３における印刷動作移行フラグがオンに設定されているか否かを判断する（ステップＳ１６２２）。また、画像処理されたデータの要求を受信しなかった場合（ステップＳ１６２０：Ｎｏ）も同様に、印刷動作移行フラグがオンに設定されているか否かを判断する（ステップＳ１６２２）。印刷動作移行フラグがオンになっていない場合、すなわち印刷動作移行フラグがオフに設定されている場合は（ステップＳ１６２２：Ｎｏ）、再度、ステップ１６２０に戻って処理を行う。
【０１８９】
一方、印刷動作移行フラグがオンに設定されている場合は（ステップＳ１６２２：Ｙｅｓ）、プリンタ部１１４０により印刷動作が開始されるが、画像処理部１３１３による印刷用の画像データの転送以降の処理および流れは（ステップＳ１６２３〜Ｓ１６２５）、図１２の第６の実施の形態で説明した処理および流れ（ステップＳ１２１４〜Ｓ１２１６）と同様である。
【０１９０】
このように、表示制御部１３３２は、スキャナ部１２０でスキャンした画像データをプレビュー画像として表示出力するプレビュー画像表示の要求を受け付けた場合、読取制御部１２２がスキャンした画像データをプレビュー画像転送ライン１５０を介して操作表示部１３３０に転送し、表示制御部１３３２は、スキャナ部１２０から受信したスキャンした画像データをＬＣＤ１３３に表示出力する。従って、プレビュー画像表示の要求があった場合のみ、プレビュー画像を表示するため、プレビュー画像表示の要求を行わなければ、プレビュー画像表示機能を有さない複写機と同様の処理能力で印刷動作を行うことが可能であり、プレビュー画像表示機能の付加による機能劣化を防止することができ、機能性を向上させ作業効率を向上させる。このとき、読取制御部１２２から操作表示部１３３０への画像データの転送動作自体も停止させる構成とすると、装置の制御負荷の低減等、システムの安定性を増加させることができる。
【０１９１】
なお、複数枚の原稿を連続して印刷する場合に、印刷の向きの確認のため１枚目のみプレビュー画像を表示させたい場合には、２枚目の原稿以降の印刷動作ではプレビュー画像表示機能を有さない複写機と同等の処理能力で印刷動作を実行することができることになる。
【０１９２】
（第１０の実施の形態）
第８の実施の形態に複写機は、利用者によるプレビュー画像の詳細表示の要求があった場合に、本体部において画像処理された画像データを、プレビュー画像の詳細表示として表示するものであったが、第１０の実施の形態は、さらに、プレビュー画像を表示した後、所定時間内に次動作の指示がない場合は、予め定めた次動作を実行するものである。以下に、添付図面を参照して、第１０の実施の形態について説明する。
【０１９３】
第１０の実施の形態にかかる複写機の構成は、第７の実施の形態と同様であるため、図１３を参照して説明する。以下では、第８の実施の形態の複写機と異なる構成について説明する。
【０１９４】
表示制御部１３３２は、第８の実施の形態の表示制御部における機能に加えて、ＬＣＤ１３３にプレビュー画像を表示した後の所定時間内に印刷動作開始または印刷動作停止のいずれの要求も受け付けなかった場合に、読取制御部１２２により読み取った画像データをプリンタ部１１４０で印刷する印刷動作を開始する旨を予め設定する印刷動作開始設定、またはその印刷動作を停止する旨を予め設定する印刷動作停止設定を受け付け、ＨＤＤ１１４に保存するものである。
【０１９５】
ＨＤＤ１１４は、スキャナ部１２０から読み取った画像データ、画像処理部１３１３によって生成された印刷用の画像データ等、及び印刷動作開始設定または印刷動作停止設定のいずれかの設定を保存する記憶媒体である。
【０１９６】
画像処理部１３１３は、第８の実施の形態の画像処理部における機能に加えて、ＨＤＤ１１４を参照して印刷動作開始設定がなされている場合で、ＬＣＤ１３３にプレビュー画像を表示した後の所定時間内に印刷動作開始または印刷動作停止のいずれの要求も受け付けなかった場合に、印刷動作開始の要求および画像処理された印刷用の画像データをプリンタ部１１４０に転送する処理を行う。また、ＨＤＤ１１４を参照して印刷動作停止設定がなされている場合で、ＬＣＤ１３３にプレビュー画像を表示した後の所定時間内に印刷動作開始または印刷動作停止のいずれの要求も受け付けなかった場合に、印刷動作停止の要求をプリンタ部１１４０に転送し、画像処理された印刷用の画像データを画像メモリ１１２から削除する処理を行い、次動作に備えて待機状態に移行する。
【０１９７】
書込制御部１１４２は、本体部１３１０において生成された印刷用の画像データを受信して、印刷部１４１により印刷するなどの制御を行うものである。また、書込制御部１１４２は、ＬＣＤ１３３にプレビュー画像を表示した後に所定時間が経過し、予め定めた印刷動作開始設定に従って、本体部１３１０から印刷動作開始の要求および画像処理された印刷用の画像データを受信した場合に、受信した画像データの印刷動作を開始する。また、書込制御部１１４２は、ＬＣＤ１３３にプレビュー画像を表示した後に所定時間が経過し、予め定めた印刷動作停止設定に従って、本体部１３１０から印刷動作停止の要求を受信した場合で、本体部１３１０から受信した画像処理された印刷用の画像データの印刷動作を行っている場合は、その印刷動作を中断して停止し、次動作に備えて待機状態に移行する。
【０１９８】
次に、以上のように構成された本実施の形態にかかる複写機１３００により読み取った画像データの印刷を行う複写処理について説明する。図１７は、複写機１３００における複写処理の手順を示すフローチャートである。
【０１９９】
まず、表示制御部１３３２は、利用者によるＬＣＤ１３３にプレビュー画像を表示した後の所定時間内に印刷動作開始または印刷動作停止のいずれの要求も受け付けなかった場合に、印刷動作開始または印刷動作停止のいずれの動作を行うかの設定、すなわち印刷動作開始設定または印刷動作停止設定のいずれかの設定を予め受け付け、ＨＤＤ１１４に保存する。
【０２００】
そして、原稿を複写して印刷する場合、利用者は原稿をスキャナ部１２０に設置されているコンタクトガラスに載置する。読取制御部１２２におけるＣＣＤ１２１による載置された原稿のスキャンから、表示制御部１３３２によるプレビュー画像の表示までの処理および流れ（ステップＳ１７０１〜Ｓ１７０８）については、図１２の第６の実施の形態で説明した処理および流れ（ステップＳ１２０１〜Ｓ１２０８）と同様である。
【０２０１】
次に、画像処理部１３１３は、表示制御部１３３２によってＬＣＤ１３３にプレビュー画像が表示された後、所定の時間が経過したか否かの判断をする（ステップＳ１７０９）。所定の時間が経過していない場合（ステップＳ１７０９：Ｎｏ）、利用者によりＬＣＤ１３３に表示されたプレビュー画像が確認されたか否かの判断がなされる。すなわち、表示制御部１３３２は、利用者からの印刷動作開始の要求を受け付けたか否かの判断をすることによって、利用者によりプレビュー画像が確認されたか否かを判断する（ステップＳ１７１０）。表示制御部１３３２は、印刷動作開始の要求を受け付けた場合（ステップＳ１７１０：Ｙｅｓ）、プレビュー画像が確認されたことになり、印刷動作移行フラグをオンに設定する（ステップＳ１７１１）。
【０２０２】
一方、印刷動作開始の要求を受け付けなかった場合（ステップＳ１７１０：Ｎｏ）、プレビュー画像が確認されなかったことになり、表示制御部１３３２は、印刷動作停止の要求を受け付けたか否かを判断する（ステップＳ１７１２）。印刷動作停止の要求を受け付けた場合（ステップＳ１７１２：Ｙｅｓ）、印刷動作を強制停止する（ステップＳ１７１３）。すなわち、画像処理部１３１３は、印刷用の画像データを画像メモリ１１２から削除する処理を行い、次動作に備えて待機状態に移行する。また、書込制御部１１４２は、本体部１３１０から受信した印刷用の画像データの印刷動作を既に行っている場合は、その印刷動作を中断して停止し、次動作に備えて待機状態に移行する。
【０２０３】
また、ステップＳ１７０９に戻って、所定の時間が経過していた場合（ステップＳ１７０９：Ｙｅｓ）、画像処理部１３１３は、ＨＤＤ１１４を参照して印刷動作停止設定が保存されているか否かを判断する（ステップＳ１７１４）。印刷動作停止設定が保存されていなかった場合、すなわち、印刷動作開始設定が保存されていた場合（ステップＳ１７１４：Ｎｏ）、表示制御部１３３２は、印刷動作移行フラグをオンに設定する（ステップＳ１７１１）。
【０２０４】
一方、印刷動作停止設定が保存されていた場合（ステップＳ１７１４：Ｙｅｓ）、印刷動作を強制停止する（ステップＳ１７１３）。すなわち、画像処理部１３１３は、印刷用の画像データを画像メモリ１１２から削除する処理を行い、次動作に備えて待機状態に移行する。また、書込制御部１１４２は、本体部１３１０から受信した印刷用の画像データの印刷動作を既に行っている場合は、その印刷動作を中断して停止し、次動作に備えて待機状態に移行する。
【０２０５】
また、ステップＳ１７１２に戻って、印刷動作停止の要求を受け付けなかった場合の（ステップＳ１７１２：Ｎｏ）、表示制御部１３３２によるプレビュー画像の詳細表示の要求以降の処理および流れは（ステップＳ１７１５〜Ｓ１７２４）、図１５の第８の実施の形態で説明した処理および流れ（ステップＳ１５１３〜Ｓ１５２２）と同様である。
【０２０６】
このように、本実施の形態では、表示制御部１３３２が予め印刷動作を開始する印刷動作開始設定、または印刷動作を停止する印刷動作停止設定を受け付ける。そして、本体部１３１０は、印刷動作開始設定を受け付けた場合に所定時間が経過した場合、画像処理された印刷用の画像データをプリンタ部１１４０に転送し、プリンタ部１１４０は、本体部１３１０から受信した画像処理された印刷用の画像データの印刷動作を開始する。また、本体部１３１０は、印刷動作停止設定を受け付けた場合に所定時間が経過した場合、画像処理された画像データを削除し、プリンタ部１１４０は、画像処理された印刷用の画像データの印刷動作を停止する。従って、プレビュー画像を表示した後、次動作を要求せずに所定時間が経過した場合でも、印刷動作の開始もしくは印刷動作の停止のいずれかの次動作を行うため、複写機の動作が途中で放置されることなく最終動作を完了させて次の動作に備えることが可能となり、機能性を向上させ作業効率を向上させることができる。
【０２０７】
（第１１の実施の形態）
第１１の実施の形態では、本発明の画像形成装置をファクシミリ装置に適用した例を示す。以下に、添付図面を参照して、第１１の実施の形態について説明する。
【０２０８】
図１８は、第１１の実施の形態にかかるファクシミリ装置の構成を示すブロック図である。本実施の形態にかかるファクシミリ装置１８００は、原稿をスキャンして、スキャンした原稿の画像データを生成し、ファクシミリ送信するものであり、スキャナ部１２０と、本体部１８１０と、操作表示部１８３０と、ファクシミリ部１８４０とから構成されている。
【０２０９】
また、本体部１８１０とスキャナ部１２０は、第１の画像転送ライン１５１によって接続されており、本体部１８１０と操作表示部１８３０は、要求転送ライン１５２によって接続されており、さらに、本体部１８１０とファクシミリ部１８４０は、第３の画像転送ライン１５３によって接続されている。また、スキャナ部１２０と操作表示部１８３０は、プレビュー画像転送ライン１５０により本体部１８１０を経由せずに直接接続されている。
【０２１０】
ここで、スキャナ部１２０の構成及び機能は、第１の実施の形態の複写機におけるスキャナ部と同様であるので、説明を省略する。
【０２１１】
操作表示部１８３０は、利用者による設定入力の受付及びプレビュー画像等の画像データを表示出力するものであり、タッチパネル１３１と、表示制御部１８３２と、ＬＣＤ１３３とを主に備えている。また、操作表示部１８３０は、スキャナ部１２０により読み取った画像データを、本体部１８１０を経由しないプレビュー画像転送ライン１５０を介して直接受信し、プレビュー画像として表示出力する。
【０２１２】
ここで、タッチパネル１３１と、ＬＣＤ１３３の構成及び機能は、第１の実施の形態の複写機におけるタッチパネルとＬＣＤと同様であるので、説明を省略する。
【０２１３】
表示制御部１８３２は、利用者によってタッチパネル１３１に入力された情報を、要求転送ライン１５２を介して本体部１８１０に転送して、操作表示部１８３０の制御を行うものである。また、表示制御部１８３２は、利用者によるスキャナ部１２０によりスキャンした原稿の画像データのファクシミリ送信を開始する旨のファクシミリ送信動作開始の要求をタッチパネル１３１の「スタートボタン」等が押下されることによって受け付けると、送信動作移行フラグをオンに設定する。他方、利用者によるファクシミリ送信を停止する旨のファクシミリ送信動作停止の要求をタッチパネル１３１の「キャンセルボタン」等が押下されることによって受け付けると、送信動作移行フラグをオフに設定する。ここで、送信動作移行フラグとは、ファクシミリ送信動作に移行するか否かを判断するためのフラグであり、送信動作移行フラグがオンのときは、ファクシミリ送信動作に移行可能な状態を示し、送信動作移行フラグがオフのときは、ファクシミリ動作に移行しない状態を示すものである。また、送信動作移行フラグは、メモリ、ＨＤＤなどの記憶媒体に保存されている。
また、表示制御部１８３２は、プレビュー画像転送ライン１５０を介してスキャナ部１２０から受信したＲＧＢ形式の画像データをプレビュー画像としてＬＣＤ１３３に表示出力する。また、表示制御部１８３２は、データ処理を行うデータ処理部７３４を備えている。ここで、データ処理部７３４の構成及び機能は、第４の実施の形態の複写機におけるデータ処理部と同様であるので、説明を省略する。
【０２１４】
本体部１８１０は、スキャナ部１２０から読み取った画像データを受信して、操作表示部１８３０から利用者により入力された設定等の操作に従い画像処理、画像データの保存等を行うものであり、制御部１８１１と、ＨＤＤ１１４とを主に備えている。また、制御部１８１１は、スキャナ部１２０により読み取った画像データの画像処理などの制御を行うものであり、画像メモリ１１２と、画像処理部１８１３とを主に備えている。
【０２１５】
ＨＤＤ１１４は、スキャナ部１２０から読み取った画像データ、画像処理部１８１３によって生成されたファクシミリ送信用の画像データ等、及び送信動作移行フラグのオンまたはオフの設定を保存する記憶媒体である。
【０２１６】
ここで、画像メモリ１１２の構成及び機能は、第１の実施の形態の複写機における画像メモリと同様であるので、説明を省略する。
【０２１７】
画像処理部１８１３は、第１の実施の形態における画像処理部１１３と同様に、スキャナ部１２０から受信し、画像メモリ１１２に一時的に保存されたＲＧＢ形式の画像データから、ファクシミリ部１８４０におけるファクシミリ送信用の画像データを生成する処理等を行い、画像メモリ１１２に保存するものであり、利用者が設定した機能に対応した各種の画像処理やレイアウト加工処理を行う。
また、画像処理部１８１３は、送信動作移行フラグを参照して、操作表示部１８３０の表示制御部１８３２により送信動作移行フラグがオンに設定されている場合、その旨および上述したような画像処理を行ったファクシミリ送信用の画像データをファクシミリ部１８４０に転送する処理を行う。また、画像処理部１８１３は、送信動作移行フラグを参照して、操作表示部１８３０の表示制御部１８３２により送信動作移行フラグがオフに設定されている場合、その旨をファクシミリ部１８４０に転送し、上述したような画像処理を行ったファクシミリ送信用の画像データを画像メモリ１１２から削除する処理を行い、次動作に備えて待機状態に移行する。
【０２１８】
ファクシミリ部１８４０は、本体部１８１０によって生成されたファクシミリ送信用の画像データを受信して、受信した画像データを各宛先へファクシミリ送信するものである。また、ファクシミリ部１８４０は、操作表示部１８３０の表示制御部１８３２により送信動作移行フラグがオンに設定されている場合に、本体部１８１０から受信した画像処理されたファクシミリ送信用の画像データのファクシミリ送信動作を開始する。また、操作表示部１８３０の表示制御部１８３２により送信動作移行フラグがオフに設定されている場合に、本体部１８１０から受信した画像処理されたファクシミリ送信用の画像データのファクシミリ送信動作を行っている場合は、そのファクシミリ送信動作を中断して停止し、次動作に備えて待機状態に移行する。
【０２１９】
次に、以上のように構成された本実施の形態にかかるファクシミリ装置１８００により読み取った画像データのファクシミリ送信を行うファクシミリ送信処理について説明する。図１９は、ファクシミリ装置１８００におけるファクシミリ送信処理の手順を示すフローチャートである。
【０２２０】
まず、原稿を複写してファクシミリ送信する場合、利用者は原稿をスキャナ部１２０に設置されているコンタクトガラスに載置する。読取制御部１２２による原稿のスキャンから、表示制御部１８３２によるプレビュー画像の表示出力までの処理および流れは（ステップＳ１９０１〜１９０８）は、図１２の第６の実施の形態で説明した処理および流れ（ステップＳ１２０１〜Ｓ１２０８）と同様である。
【０２２１】
次に、利用者によりＬＣＤ１３３に表示されたプレビュー画像が確認されたか否かの判断がなされる。すなわち、表示制御部１８３２は、利用者からのファクシミリ送信動作開始の要求を受け付けたか否かの判断をすることによって、利用者によりプレビュー画像が確認されたか否かを判断する（ステップＳ１９０９）。ファクシミリ送信動作開始の要求を受け付けた場合（ステップＳ１９０９：Ｙｅｓ）、表示制御部１８３２は、プレビュー画像が確認されたことになり、送信動作移行フラグをオンに設定する（ステップＳ１９１０）。
【０２２２】
一方、ファクシミリ送信動作開始の要求を受け付けなかった場合（ステップＳ１９０９：Ｎｏ）、プレビュー画像が確認されなかったことになり、表示制御部１８３２は、ファクシミリ送信動作停止の要求を受け付けたか否かを判断する（ステップＳ１９１１）。ファクシミリ送信動作停止の要求を受け付けた場合（ステップＳ１９１１：Ｙｅｓ）、ファクシミリ送信動作を強制停止する（ステップＳ１９１２）。すなわち、本体部１８１０は、ファクシミリ送信用の画像データを画像メモリ１１２から削除する処理を行い、次動作に備えて待機状態に移行する。また、ファクシミリ部１８４０は、本体部１８１０から受信したファクシミリ送信用の画像データのファクシミリ送信動作を既に行っている場合は、そのファクシミリ送信動作を中断して停止し、次動作に備えて待機状態に移行する。一方、ファクシミリ送信動作停止の要求を受け付けなかった場合（ステップＳ１９１１：Ｎｏ）、ステップＳ１９０９に戻って、再度、プレビュー画像が確認されたか否かを判断する処理を行う。
【０２２３】
また、ステップＳ１９０４により画像データを画像メモリ１１２に保存した後、画像処理部１８１３は、ステップＳ１９１０における送信動作移行フラグがオンに設定されているか否かを判断する（ステップＳ１９１３）。送信動作移行フラグがオンになっていない場合、すなわち送信動作移行フラグがオフに設定されている場合は（ステップＳ１９１３：Ｎｏ）、再度、ステップ１９１３に戻って処理を行う。
【０２２４】
一方、送信動作移行フラグがオンに設定されている場合は（ステップＳ１９１３：Ｙｅｓ）、画像処理部１８１３は、読取制御部１２２によって読み込んだ画像データをファクシミリ送信するために、ステップＳ１９０４において画像メモリ１１２に保存したファクシミリ送信用の画像データをファクシミリ部１８４０に転送する（ステップＳ１９１４）。次に、ファクシミリ部１８４０は、画像処理部１８１３により転送された画像データを第３の画像転送ライン１５３を介して受信する（ステップＳ１９１５）。そして、ファクシミリ部１８４０は、受信した画像データを各宛先へファクシミリ送信する（ステップＳ１９１６）。
【０２２５】
このように、本実施の形態では、表示制御部１８３２によりプレビュー画像を表示出力した後、利用者から本体部１８１０で画像処理されたファクシミリ送信用の画像データのファクシミリ送信動作開始の要求を受け付けた場合に、画像処理部１８１３は、画像処理されたファクシミリ送信用の画像データをファクシミリ部１８４０に転送し、ファクシミリ部１８４０は、本体部１８１０から受信した画像データのファクシミリ送信動作を開始する。また、表示制御部１８３２によりプレビュー画像を表示出力した後、利用者から本体部１８１０で画像処理されたファクシミリ送信用の画像データのファクシミリ送信動作停止の要求を受け付けた場合に、画像処理部１８１３は、画像処理されたファクシミリ送信用の画像データを削除し、ファクシミリ部１８４０は、画像データのファクシミリ送信動作を行っている場合は、そのファクシミリ送信動作を停止する。
従って、プレビュー画像が表示されて確認した後にファクシミリ送信動作開始の要求ができるため、確実にプレビュー画像の確認後にファクシミリ送信動作を開始することができ、機能性を向上させ作業効率を向上させることができる。また、プレビュー画像が表示されて確認した後にファクシミリ送信動作停止の要求ができるため、ファクシミリ送信される画像が所望する方向ではなかった場合などに、画像データの画像処理中やファクシミリ送信中であっても処理を中断でき、機能性を向上させ作業効率を向上させることができる。
【０２２６】
図２０は、本実施の形態にかかる複写機１００、３００、５００、７００、９００、１１００、１３００のハードウェア構成を示すブロック図である。本図に示すように、この複写機１００、３００、５００、７００、９００、１１００、１３００は、コントローラ１０とエンジン部（Engine）６０とをＰＣＩ（Peripheral Component Interconnect）バスで接続した構成となる。コントローラ１０は、複写機１００、３００、５００、７００、９００、１１００、１３００全体の制御と描画、通信、図示しない操作部からの入力を制御するコントローラである。エンジン部６０は、ＰＣＩバスに接続可能なプリンタエンジンなどであり、たとえば白黒プロッタ、１ドラムカラープロッタ、４ドラムカラープロッタ、スキャナまたはファックスユニットなどである。なお、このエンジン部６０には、プロッタなどのいわゆるエンジン部分に加えて、誤差拡散やガンマ変換などの画像処理部分が含まれる。
【０２２７】
コントローラ１０は、ＣＰＵ１１と、ノースブリッジ（ＮＢ）１３と、システムメモリ（ＭＥＭ−Ｐ）１２と、サウスブリッジ（ＳＢ）１４と、ローカルメモリ（ＭＥＭ−Ｃ）１７と、ＡＳＩＣ（Application Specific Integrated Circuit）１６と、ハードディスクドライブ（ＨＤＤ）１８とを有し、ノースブリッジ（ＮＢ）１３とＡＳＩＣ１６との間をＡＧＰ（Accelerated Graphics Port）バス１５で接続した構成となる。また、ＭＥＭ−Ｐ１２は、ＲＯＭ（Read Only Memory）１２ａと、ＲＡＭ(Random Access Memory)１２ｂとをさらに有する。
【０２２８】
ＣＰＵ１１は、複写機１００、３００、５００、７００、９００、１１００、１３００の全体制御をおこなうものであり、ＮＢ１３、ＭＥＭ−Ｐ１２およびＳＢ１４からなるチップセットを有し、このチップセットを介して他の機器と接続される。
【０２２９】
ＮＢ１３は、ＣＰＵ１１とＭＥＭ−Ｐ１２、ＳＢ１４、ＡＧＰ１５とを接続するためのブリッジであり、ＭＥＭ−Ｐ１２に対する読み書きなどを制御するメモリコントローラと、ＰＣＩマスタおよびＡＧＰターゲットとを有する。
【０２３０】
ＭＥＭ−Ｐ１２は、プログラムやデータの格納用メモリ、プログラムやデータの展開用メモリ、プリンタの描画用メモリなどとして用いるシステムメモリであり、ＲＯＭ１２ａとＲＡＭ１２ｂとからなる。ＲＯＭ１２ａは、プログラムやデータの格納用メモリとして用いる読み出し専用のメモリであり、ＲＡＭ１２ｂは、プログラムやデータの展開用メモリ、プリンタの描画用メモリなどとして用いる書き込みおよび読み出し可能なメモリである。
【０２３１】
ＳＢ１４は、ＮＢ１３とＰＣＩデバイス、周辺デバイスとを接続するためのブリッジである。このＳＢ１４は、ＰＣＩバスを介してＮＢ１３と接続されており、このＰＣＩバスには、ネットワークインターフェース（Ｉ／Ｆ）部なども接続される。
【０２３２】
ＡＳＩＣ１６は、画像処理用のハードウェア要素を有する画像処理用途向けのＩＣ（Integrated Circuit）であり、ＡＧＰ１５、ＰＣＩバス、ＨＤＤ１８およびＭＥＭ−Ｃ１７をそれぞれ接続するブリッジの役割を有する。このＡＳＩＣ１６は、ＰＣＩターゲットおよびＡＧＰマスタと、ＡＳＩＣ１６の中核をなすアービタ（ＡＲＢ）と、ＭＥＭ−Ｃ１７を制御するメモリコントローラと、ハードウェアロジックなどにより画像データの回転などをおこなう複数のＤＭＡＣ（Direct Memory Access Controller）と、エンジン部６０との間でＰＣＩバスを介したデータ転送をおこなうＰＣＩユニットとからなる。このＡＳＩＣ１６には、ＰＣＩバスを介してＦＣＵ（Fax Control Unit）３０、ＵＳＢ（Universal Serial Bus）４０、ＩＥＥＥ１３９４（the Institute of Electrical and Electronics Engineers 1394）インターフェース５０が接続される。操作表示部２０はＡＳＩＣ１６に直接接続されている。
【０２３３】
ＭＥＭ−Ｃ１７は、コピー用画像バッファ、符号バッファとして用いるローカルメモリであり、ＨＤＤ（Hard Disk Drive）１８は、画像データの蓄積、プログラムの蓄積、フォントデータの蓄積、フォームの蓄積を行うためのストレージである。
【０２３４】
ＡＧＰ１５は、グラフィック処理を高速化するために提案されたグラフィックスアクセラレーターカード用のバスインターフェースであり、ＭＥＭ−Ｐ１２に高スループットで直接アクセスすることにより、グラフィックスアクセラレーターカードを高速にするものである。
【０２３５】
なお、本実施の形態の複写機１００、３００、５００、７００、９００、１１００、１３００で実行されるプレビュー画像表示プログラムは、ＲＯＭ等に予め組み込まれて提供される。
【０２３６】
本実施の形態の複写機１００、３００、５００、７００、９００、１１００、１３００で実行されるプレビュー画像表示プログラムは、インストール可能な形式又は実行可能な形式のファイルでＣＤ−ＲＯＭ、フレキシブルディスク（ＦＤ）、ＣＤ−Ｒ、ＤＶＤ（Digital Versatile Disk）等のコンピュータで読み取り可能な記録媒体に記録して提供するように構成してもよい。
【０２３７】
さらに、本実施の形態の複写機１００、３００、５００、７００、９００、１１００、１３００装置で実行されるプレビュー画像表示プログラムを、インターネット等のネットワークに接続されたコンピュータ上に格納し、ネットワーク経由でダウンロードさせることにより提供するように構成しても良い。また、本実施の形態の複写機１００、３００、５００、７００、９００、１１００、１３００装置で実行されるプレビュー画像表示プログラムをインターネット等のネットワーク経由で提供または配布するように構成しても良い。
【０２３８】
本実施の形態の複写機１００、３００、５００、７００、９００、１１００、１３００装置で実行されるプレビュー画像表示プログラムは、上述した各部（読取制御部１２２、３２２、５２２、表示制御部１３２、７３２、１１３２、１３３２、画像処理部１１３、１１１３、１３１３、書込制御部１４２、１１４２）を含むモジュール構成となっており、実際のハードウェアとしてはＣＰＵ（プロセッサ）が上記ＲＯＭからプレビュー画像表示プログラムを読み出して実行することにより上記各部が主記憶装置上にロードされ、読取制御部１２２、３２２、５２２、表示制御部１３２、７３２、１１３２、１３３２、画像処理部１１３、１１１３、１３１３、書込制御部１４２、１１４２が主記憶装置上に生成されるようになっている。
【図面の簡単な説明】
【０２３９】
【図１】第１の実施の形態にかかる複写機の構成を示すブロック図である。
【図２】第１の実施の形態にかかる複写機における複写処理の手順を示すフローチャートである。
【図３】第２の実施の形態にかかる複写機の構成を示すブロック図である。
【図４】第２の実施の形態にかかる複写機における複写処理の手順を示すフローチャートである。
【図５】第３の実施の形態にかかる複写機の構成を示すブロック図である。
【図６】第３の実施の形態にかかる複写機における複写処理の手順を示すフローチャートである。
【図７】第４の実施の形態にかかる複写機の構成を示すブロック図である。
【図８】第４の実施の形態にかかる複写機における複写処理の手順を示すフローチャートである。
【図９】第５の実施の形態にかかる複写機の構成を示すブロック図である。
【図１０−１】第５の実施の形態にかかる複写機における複写処理の手順を示すフローチャートである。
【図１０−２】第５の実施の形態にかかる複写機における複写処理の手順を示すフローチャート（続き）である。
【図１１】第６の実施の形態にかかる複写機の構成を示すブロック図である。
【図１２】第６の実施の形態にかかる複写機における複写処理の手順を示すフローチャートである。
【図１３】第７の実施の形態にかかる複写機の構成を示すブロック図である。
【図１４】第７の実施の形態にかかる複写機における複写処理の手順を示すフローチャートである。
【図１５】第８の実施の形態にかかる複写機における複写処理の手順を示すフローチャートである。
【図１６】第９の実施の形態にかかる複写機における複写処理の手順を示すフローチャートである。
【図１７】第１０の実施の形態にかかる複写機における複写処理の手順を示すフローチャートである。
【図１８】第１１の実施の形態にかかるファクシミリ装置の構成を示すブロック図である。
【図１９】第１１の実施の形態にかかるファクシミリ装置におけるファクシミリ送信処理の手順を示すフローチャートである。
【図２０】本実施の形態にかかる複写機のハードウェア構成を示すブロック図である。
【符号の説明】
【０２４０】
１００、３００、５００、７００、９００、１１００、１３００  複写機
１１０、１１１０、１３１０、１８１０  本体部
１１１、１１１１、１３１１、１８１１  制御部
１１２  画像メモリ
１１３、１１１３、１３１３、１８１３  画像処理部
１１４  ＨＤＤ
１２０、３２０、５２０  スキャナ部
１２１  ＣＣＤ
１２２、３２２、５２２  読取制御部
１３０、７３０、１１３０、１３３０、１８３０  操作表示部
１３１  タッチパネル
１３２、７３２、１１３２、１３３２、１８３２  表示制御部
１３３  ＬＣＤ
１４０、１１４０  プリンタ部
１４１  印刷部
１４２、１１４２  書込制御部
１５０、３５０、５５０  プレビュー画像転送ライン
１５１、３５１、５５１  第１の画像転送ライン
１５２  要求転送ライン
１５３  第３の画像転送ライン
５２３、７３４  データ処理部
９５３  第２の画像転送ライン
１８００  ファクシミリ装置
１８４０  ファクシミリ部
【手続補正２】
【補正対象書類名】図面
【補正対象項目名】図６
【補正方法】変更
【補正の内容】
【図６】
2006345496.tif 000024
【手続補正３】
【補正対象書類名】図面
【補正対象項目名】図１２
【補正方法】変更
【補正の内容】
【図１２】
2006345496.tif 000025
【手続補正４】
【補正対象書類名】図面
【補正対象項目名】図１４
【補正方法】変更
【補正の内容】
【図１４】
2006345496.tif 000026
【手続補正５】
【補正対象書類名】図面
【補正対象項目名】図１５
【補正方法】変更
【補正の内容】
【図１５】
2006345496.tif 000027
【手続補正６】
【補正対象書類名】図面
【補正対象項目名】図１６
【補正方法】変更
【補正の内容】
【図１６】
2006345496.tif 000028
【手続補正７】
【補正対象書類名】図面
【補正対象項目名】図１７
【補正方法】変更
【補正の内容】
【図１７】
2006345496.tif 000029
【手続補正８】
【補正対象書類名】図面
【補正対象項目名】図１８
【補正方法】変更
【補正の内容】
【図１８】
2006345496.tif 000030
【手続補正９】
【補正対象書類名】図面
【補正対象項目名】図１９
【補正方法】変更
【補正の内容】
【図１９】
2006345496.tif 000031